(57)【要約】【課題】好適に補助演出を実行することが可能な遊技機を提供する。【解決手段】スロットマシン１０に設けられたスタートレバー４１が操作されると、内部で役の抽選が行われるとともに、表示窓２６Ｌ，２６Ｍ，２６Ｒを介して視認可能なリール３２Ｌ，３２Ｍ，３２Ｒが回転を開始する。そして、ストップスイッチ４２〜４４が操作されると、各スイッチ４２〜４４に対応したリール３２Ｌ，３２Ｍ，３２Ｒが停止する。ここで、何らかの役に当選した場合、表示制御装置は、示唆演出を行うか否かを決定するとともに、示唆演出を行うと決定した場合には当選役対応演出と当選役非対応演出のいずれを行うかを決定する。その後、表示制御装置は、ストップスイッチ４２〜４４の適正な操作タイミングを指定するための操作位置指定処理を実行する。【選択図】      図１
2020018913.tif 000002
【特許請求の範囲】
【請求項１】
複数種の絵柄を循環表示させる循環表示手段と、
前記循環表示手段に前記絵柄の循環表示を開始させると決定する開始決定手段と、
前記開始決定手段の決定結果に基づいて役の抽選を行う抽選手段と、
前記絵柄の循環表示を停止させるべく操作される停止操作手段と、
前記開始決定手段の決定結果に基づいて前記絵柄の循環表示を開始させるとともに、前記停止操作手段の操作に基づいて前記絵柄の循環表示を停止させるよう前記循環表示手段を表示制御する表示制御手段と、
前記役の抽選結果が当選であって、当選した役と対応する当選絵柄が予め定めた有効位置に停止した場合に特典を付与する特典付与手段と、
前記役の抽選に当選した当選役を示唆する補助演出を実行可能な補助演出実行手段と
を備えた遊技機において、
前記役の抽選結果が第１役当選であって第１絵柄が前記有効位置に停止した場合、遊技者に有利な第１特典を付与する第１特典付与手段と、
前記役の抽選結果が前記第１役当選であって前記第１絵柄が前記有効位置に停止したことに基づいて、遊技者に有利な特定遊技状態を終了させる特定遊技状態終了手段と、
前記補助演出を実行するか否かを決定する実行決定手段と、
前記実行決定手段が前記補助演出を実行すると決定した場合、前記補助演出実行手段に実行させる補助演出を決定するとともに、前記役の抽選結果が前記第１役当選である場合、前記第１役当選を示唆する当選役示唆演出を前記補助演出実行手段に実行させると決定し得る演出決定手段と、
少なくとも前記演出決定手段が前記当選役示唆演出を前記補助演出実行手段に実行させると決定した場合、前記停止操作手段の操作順序に関わる特定操作情報を、少なくとも前記停止操作手段が操作される前に設定する操作順序情報設定手段と
を備え、
前記操作順序情報設定手段は、前記補助演出実行手段が前記当選役示唆演出を実行する場合、遊技状況を判断し、前記第１絵柄を前記有効位置に停止させることができる第１特定操作情報又は前記第１絵柄が前記有効位置に停止することを回避できる第２特定操作情報を設定し、
前記表示制御手段は、前記操作順序情報設定手段の設定した特定操作情報に基づいて前記停止操作手段が操作された場合、遊技者に有利な停止結果となるように前記循環表示手段を表示制御することを特徴とする遊技機。
【発明の詳細な説明】
【技術分野】
【０００１】
本発明は、スロットマシン等の遊技機に関するものである。
【背景技術】
【０００２】
複数のリールを回転させたあとに停止させる遊技機としては、例えばスロットマシンがある。スロットマシンでは、各リールの外周部に複数の図柄が付与されており、表示窓を通じて各リールに付与された図柄の一部が視認可能な構成となっている。そして、遊技者がメダルを投入することで有効ラインが設定され、その後、遊技者がスタートレバーを操作することでスロットマシンの内部にてビッグボーナス（以下、「ＢＢ」と言う）役や小役、再遊技といった役の抽選が行われるとともに各リールが回転を開始し、各リールが回転を開始した後にストップスイッチを操作することで各リールが順次停止して１回のゲームが終了する。そして、全てのリールが回転を停止した際に有効ライン上に当選した役と対応する図柄の組合せが停止すると入賞となり、メダルが払い出される特典や遊技状態が移行される特典等が遊技者に付与される。また、液晶表示装置等の補助表示部を備え、補助表示部にて当選役を示唆する補助演出等を実行可能なスロットマシンがある（例えば特許文献１参照）。
【先行技術文献】
【特許文献】
【０００３】
【特許文献１】特開２００２−１１９６４１号公報
【発明の概要】
【発明が解決しようとする課題】
【０００４】
上記例示したような遊技機においては、新規の遊技性が求められている。
【０００５】
なお、以上の問題は、上記例示したようなスロットマシンに限らず、複数種の絵柄を変動表示させ、その後に変動表示を終了させる他の遊技機にも該当する問題である。
【０００６】
本発明は上記例示した事情等に鑑みてなされたものであり、新規の遊技性を提供することが可能な遊技機を提供することを目的とするものである。
【課題を解決するための手段】
【０００７】
請求項１記載の発明は、複数種の絵柄を循環表示させる循環表示手段と、前記循環表示手段に前記絵柄の循環表示を開始させると決定する開始決定手段と、前記開始決定手段の決定結果に基づいて役の抽選を行う抽選手段と、前記絵柄の循環表示を停止させるべく操作される停止操作手段と、前記開始決定手段の決定結果に基づいて前記絵柄の循環表示を開始させるとともに、前記停止操作手段の操作に基づいて前記絵柄の循環表示を停止させるよう前記循環表示手段を表示制御する表示制御手段と、前記役の抽選結果が当選であって、当選した役と対応する当選絵柄が予め定めた有効位置に停止した場合に特典を付与する特典付与手段と、前記役の抽選に当選した当選役を示唆する補助演出を実行可能な補助演出実行手段とを備えた遊技機において、前記役の抽選結果が第１役当選であって第１絵柄が前記有効位置に停止した場合、遊技者に有利な第１特典を付与する第１特典付与手段と、前記役の抽選結果が前記第１役当選であって前記第１絵柄が前記有効位置に停止したことに基づいて、遊技者に有利な特定遊技状態を終了させる特定遊技状態終了手段と、前記補助演出を実行するか否かを決定する実行決定手段と、前記実行決定手段が前記補助演出を実行すると決定した場合、前記補助演出実行手段に実行させる補助演出を決定するとともに、前記役の抽選結果が前記第１役当選である場合、前記第１役当選を示唆する当選役示唆演出を前記補助演出実行手段に実行させると決定し得る演出決定手段と、少なくとも前記演出決定手段が前記当選役示唆演出を前記補助演出実行手段に実行させると決定した場合、前記停止操作手段の操作順序に関わる特定操作情報を、少なくとも前記停止操作手段が操作される前に設定する操作順序情報設定手段とを備え、前記操作順序情報設定手段は、前記補助演出実行手段が前記当選役示唆演出を実行する場合、遊技状況を判断し、前記第１絵柄を前記有効位置に停止させることができる第１特定操作情報又は前記第１絵柄が前記有効位置に停止することを回避できる第２特定操作情報を設定し、前記表示制御手段は、前記操作順序情報設定手段の設定した特定操作情報に基づいて前記停止操作手段が操作された場合、遊技者に有利な停止結果となるように前記循環表示手段を表示制御することを特徴とする。
【発明の効果】
【０００８】
新規の遊技性を提供することが可能となる。
【図面の簡単な説明】
【０００９】
【図１】一実施の形態におけるスロットマシンの正面図。
【図２】前面扉を閉じた状態を示すスロットマシンの斜視図。
【図３】前面扉を開いた状態を示すスロットマシンの斜視図。
【図４】前面扉の背面図。
【図５】筐体の正面図。
【図６】各リールの図柄配列を示す図。
【図７】表示窓から視認可能となる図柄と組合せラインとの関係、及び発光表示部を示す説明図。
【図８】入賞態様と付与される特典との関係を示す説明図。
【図９】スロットマシンのブロック図。
【図１０】タイマ割込み処理を示すフローチャート。
【図１１】通常処理を示すフローチャート。
【図１２】抽選処理を示すフローチャート。
【図１３】通常状態用抽選テーブルの一例を示す図。
【図１４】スベリテーブルの一例を示す図。
【図１５】リール制御処理を示すフローチャート。
【図１６】停止前処理を示すフローチャート。
【図１７】ＢＢ状態処理を示すフローチャート。
【図１８】ＲＢ状態処理を示すフローチャート。
【図１９】ＲＴ状態処理を示すフローチャート。
【図２０】表示制御基板の実装面側の構成を示す平面図。
【図２１】抽選結果コマンド処理を示すフローチャート。
【図２２】操作位置指定処理を示すフローチャート。
【図２３】状況判断処理を示すフローチャート。
【図２４】性能試験時の試験装置を示す概略構成図。
【図２５】第２の実施の形態における各リールの図柄配列を示す図。
【図２６】演出判定処理を示すフローチャート。
【図２７】演出テーブルの一例を示す図。
【図２８】示唆演出の一例を示す図。
【図２９】性能試験機の構成を示す概略構成図。
【図３０】性能測定処理を示すフローチャート。
【図３１】停止操作信号出力処理を示すフローチャート。
【図３２】図柄表示装置の構成を示す概略構成図。
【図３３】図柄表示処理を示すフローチャート。
【図３４】停止操作確認装置の構成を示す概略構成図。
【図３５】集計処理を示すフローチャート。
【図３６】技量レベル判定処理を示すフローチャート。
【図３７】遊技判定処理を示すフローチャート。
【図３８】他の実施の形態における各リールの図柄配列を示す図。
【図３９】入賞態様と付与される特典との関係を示す説明図。
【図４０】通常状態用抽選テーブルの一例を示す図。
【発明を実施するための形態】
【００１０】
以下、遊技機の一種である回胴式遊技機、具体的にはスロットマシンに適用した場合の一実施の形態を、図面に基づいて詳細に説明する。図１はスロットマシン１０の正面図、図２はスロットマシン１０の前面扉１２を閉じた状態の斜視図、図３はスロットマシン１０の前面扉１２を開いた状態の斜視図、図４は前面扉１２の背面図、図５は筐体１１の正面図である。
【００１１】
図１〜図５に示すように、スロットマシン１０は、その外殻を形成する筐体１１を備えている。筐体１１は、全体として前面を開放した箱状に形成されており、遊技ホールへの設置の際にいわゆる島設備に対し釘を打ち付ける等して取り付けられる。
【００１２】
筐体１１の前面側には、前面扉１２が開閉可能に取り付けられている。すなわち、筐体１１には、その正面から見て左側部に上下一対の支軸１３ａ，１３ｂが設けられており、前面扉１２には、各支軸１３ａ，１３ｂと対応する位置に軸受部１４ａ，１４ｂが設けられている。そして、各軸受部１４ａ，１４ｂに各支軸１３ａ，１３ｂが挿入された状態では、前面扉１２が筐体１１に対して両支軸１３ａ，１３ｂを結ぶ上下方向へ延びる開閉軸線を中心として回動可能に支持され、前面扉１２の回動によって筐体１１の前面開放側を開放したり閉鎖したりすることができるようになっている。また、前面扉１２は、その裏面に設けられた施錠装置２０によって開放不能な施錠状態とされる。前面扉１２の右端側上部には、施錠装置２０と一体化されたキーシリンダ２１が設けられており、キーシリンダ２１に対する所定のキー操作によって前記施錠状態が解除されるように構成されている。
【００１３】
前面扉１２の中央部上寄りには、遊技者に遊技状態を報知する遊技パネル２５が設けられている。遊技パネル２５には、縦長の３つの表示窓２６Ｌ，２６Ｍ，２６Ｒが横並びに形成されており、各表示窓２６Ｌ，２６Ｍ，２６Ｒを通じてスロットマシン１０の内部が視認可能な状態となっている。なお、各表示窓２６Ｌ，２６Ｍ，２６Ｒを１つにまとめて共通の表示窓としてもよい。
【００１４】
図３に示すように、筐体１１は仕切り板３０によりその内部が上下２分割されており、仕切り板３０の上部には、可変表示手段を構成するリールユニット３１が取り付けられている。リールユニット３１は、円筒状（円環状）にそれぞれ形成された左リール３２Ｌ，中リール３２Ｍ，右リール３２Ｒを備えている。各リール３２Ｌ，３２Ｍ，３２Ｒは、その中心軸線が当該リールの回転軸線となるように回転可能に支持されている。各リール３２Ｌ，３２Ｍ，３２Ｒの回転軸線は略水平方向に延びる同一軸線上に配設され、それぞれのリール３２Ｌ，３２Ｍ，３２Ｒが各表示窓２６Ｌ，２６Ｍ，２６Ｒと１対１で対応している。したがって、各リール３２Ｌ，３２Ｍ，３２Ｒの表面の一部はそれぞれ対応する表示窓２６Ｌ，２６Ｍ，２６Ｒを通じて視認可能な状態となっている。また、リール３２Ｌ，３２Ｍ，３２Ｒが正回転すると、各表示窓２６Ｌ，２６Ｍ，２６Ｒを通じてリール３２Ｌ，３２Ｍ，３２Ｒの表面は上から下へ向かって移動しているかのように映し出される。
【００１５】
ここで、リールユニット３１の構成を簡単に説明する。
【００１６】
各リール３２Ｌ，３２Ｍ，３２Ｒは、それぞれがステッピングモータに連結されており、各ステッピングモータの駆動により各リール３２Ｌ，３２Ｍ，３２Ｒが個別に、すなわちそれぞれ独立して回転駆動し得る構成となっている。ステッピングモータは、例えば５０４パルスの駆動信号（以下、励磁パルスとも言う。）を与えることにより１回転されるように設定されており、この励磁パルスによってステッピングモータの回転位置、すなわちリールの回転位置が制御される。また、リールユニット３１には、リールが１回転したことを検出するためのリールインデックスセンサが各リール３２Ｌ，３２Ｍ，３２Ｒに設置されている。そして、リールインデックスセンサからは、リールが１回転したことを検出した場合、その検出の都度、後述する主制御装置１０１に検出信号が出力されるようになっている。このため主制御装置１０１は、リールインデックスセンサの検出信号と、当該検出信号が入力されるまでに出力した励磁パルス数とに基づいて、各リール３２Ｌ，３２Ｍ，３２Ｒの角度位置を１回転毎に確認するとともに補正することができる。
【００１７】
各リール３２Ｌ，３２Ｍ，３２Ｒの外周面には、その長辺方向（周回方向）に、識別情報としての図柄が複数個描かれている。より具体的には、２１個の図柄が等間隔に描かれている。このため、所定の位置においてある図柄を次の図柄へ切り替えるには、２４パルス（＝５０４パルス÷２１図柄）の励磁パルスの出力を要する。主制御装置１０１は、リールインデックスセンサの検出信号が入力されてから出力した励磁パルス数により、表示窓２６Ｌ，２６Ｍ，２６Ｒから視認可能な状態となっている図柄を把握したり、表示窓２６Ｌ，２６Ｍ，２６Ｒから視認可能な位置に所定の図柄を停止させたりする制御を行うことができる。
【００１８】
次に、各リール３２Ｌ，３２Ｍ，３２Ｒに描かれている図柄について説明する。
【００１９】
図６には、左リール３２Ｌ，中リール３２Ｍ，右リール３２Ｒの図柄配列が示されている。同図に示すように、各リール３２Ｌ，３２Ｍ，３２Ｒには、それぞれ２１個の図柄が一列に配置されている。また、各リール３２Ｌ，３２Ｍ，３２Ｒに対応して番号が０〜２０まで付されているが、これら番号は主制御装置１０１が表示窓２６Ｌ，２６Ｍ，２６Ｒから視認可能な状態となっている図柄を認識するための番号であり、リール３２Ｌ，３２Ｍ，３２Ｒに実際に付されているわけではない。但し、以下の説明では当該番号を使用して説明する。
【００２０】
図柄としては、「ベル」図柄（例えば、左リール３２Ｌの２０番目）、「青７」図柄（例えば、左リール３２Ｌの１９番目）、「リプレイ」図柄（例えば、左リール３２Ｌの１８番目）、「スイカ」図柄（例えば、左リール３２Ｌの１７番目）、「青チェリー」図柄（例えば、左リール３２Ｌの１６番目）、「白７」図柄（例えば、左リール３２Ｌの１３番目）、「青年」図柄（例えば、左リール３２Ｌの１２番目）、「赤７」図柄（例えば、左リール３２Ｌの７番目）、「赤チェリー」図柄（例えば、左リール３２Ｌの３番目）の９種類がある。そして、図６に示すように、各リール３２Ｌ，３２Ｍ，３２Ｒにおいて各種図柄の数や配置順序は全く異なっている。
【００２１】
各表示窓２６Ｌ，２６Ｍ，２６Ｒは、対応するリールに付された２１個の図柄のうち図柄全体を視認可能となる図柄が３個となるように形成されている。このため、各リール３２Ｌ，３２Ｍ，３２Ｒがすべて停止している状態では、３×３＝９個の図柄が表示窓２６Ｌ，２６Ｍ，２６Ｒを介して視認可能な状態となる。
【００２２】
本スロットマシン１０では、これら９個の図柄が視認可能となる各位置を結ぶようにして、横方向へ平行に３本、斜め方向へたすき掛けに２本、計５本の組合せラインが設定されている。より詳しくは、図７に示すように、横方向の組合せラインとして、各リール３２Ｌ，３２Ｍ，３２Ｒの上段図柄を結んだ上ラインＬ１と、各リール３２Ｌ，３２Ｍ，３２Ｒの中段図柄を結んだ中ラインＬ２と、各リール３２Ｌ，３２Ｍ，３２Ｒの下段図柄を結んだ下ラインＬ３と、が設定されている。また、斜め方向の組合せラインとして、左リール３２Ｌの上段図柄，中リール３２Ｍの中段図柄，右リール３２Ｒの下段図柄を結んだ右下がりラインＬ４と、左リール３２Ｌの下段図柄，中リール３２Ｍの中段図柄，右リール３２Ｒの上段図柄を結んだ右上がりラインＬ５と、が設定されている。そして、有効化された組合せライン、すなわち有効ライン上に図柄が所定の組合せで停止した場合には、入賞成立として、遊技媒体たるメダルが所定数払い出される特典が付与されたり、遊技状態が移行される特典が付与されたりするようになっている。また、前面扉１２の背面側には、図４に示すように、補助演出部を構成する発光ユニット３３が配設されている。発光ユニット３３の前面側には、図７に示すように、視認可能となる９個の図柄と対応する位置に、左右一対の発光表示部３４Ｌ〜３６Ｌ，３４Ｍ〜３６Ｍ，３４Ｒ〜３６Ｒがそれぞれ設けられている。
【００２３】
図８には、入賞となる図柄の組合せと、入賞となった場合に付与される特典とが示されている。
【００２４】
メダル払出が行われる入賞としては、スイカ入賞と、ベル入賞と、第１及び第２チェリー入賞とがある。各リール３２Ｌ，３２Ｍ，３２Ｒの「スイカ」図柄が有効ライン上に並んで停止した場合、スイカ入賞として１５枚のメダル払出が行われ、各リール３２Ｌ，３２Ｍ，３２Ｒの「ベル」図柄が有効ライン上に並んで停止した場合、ベル入賞として１０枚のメダル払出が行われる。また、左リール３２Ｌの「赤チェリー」図柄が有効ライン上に停止した場合、第１チェリー入賞として２枚のメダル払出が行われ、左リール３２Ｌの「青チェリー」図柄が有効ライン上に停止した場合、第２チェリー入賞として２枚のメダル払出が行われる。すなわち、第１及び第２チェリー入賞の場合には、中リール３２Ｍと右リール３２Ｒについて、有効ライン上に停止する図柄がどのような図柄であっても良い。換言すれば、左リール３２Ｌのいずれかの「チェリー」図柄と、中リール３２Ｍ及び右リール３２Ｒの任意の図柄との組合せが有効ライン上に停止した場合、対応するチェリー入賞が成立するとも言える。したがって、左リール３２Ｌの複数の有効ラインが重なる位置（具体的には上段と下段）に「赤チェリー」図柄又は「青チェリー」図柄が停止した場合には、各有効ライン上にて対応するチェリー入賞が成立することとなり、結果として４（＝２×２）枚のメダル払出が行われる。なお、本スロットマシン１０では、チェリー入賞が成立する場合、左リール３２Ｌの「赤チェリー」図柄又は「青チェリー」図柄が上段と下段のいずれかに停止するようになっており、常に４枚のメダル払出が行われるようになっている。
【００２５】
遊技状態の移行が行われる入賞としては、第１〜第３ＢＢ入賞の３種類のＢＢ入賞がある。各リール３２Ｌ，３２Ｍ，３２Ｒの同色の「７」図柄が有効ライン上に並んで停止した場合、ＢＢ入賞として遊技状態がビッグボーナス状態（以下、「ＢＢ状態」と言う。）に移行する。具体的には、有効ライン上に左から「赤７」図柄，「赤７」図柄，「赤７」図柄と並んで停止した場合には、第１ＢＢ入賞成立となり、有効ライン上に左から「青７」図柄，「青７」図柄，「青７」図柄と並んで停止した場合には、第２ＢＢ入賞成立となり、有効ライン上に左から「白７」図柄，「白７」図柄，「白７」図柄と並んで停止した場合には、第３ＢＢ入賞成立となる。
【００２６】
メダル払出や遊技状態の移行以外の特典が付与される入賞としては、再遊技入賞がある。各リール４２Ｌ，４２Ｍ，４２Ｒの「リプレイ」図柄が有効ライン上に並んで停止した場合、再遊技入賞として、メダル払出や遊技状態の移行は行われないものの、メダルを投入することなく次ゲームの遊技を行うことが可能となる。
【００２７】
その他の入賞として、遊技状態がＢＢ状態である場合に限って入賞となるＲＢ入賞がある。ＢＢ状態下で有効ライン上に左から「リプレイ」図柄，「ベル」図柄，「リプレイ」図柄と並んで停止した場合、ＲＢ入賞として、メダル払出は行われないものの遊技状態がレギュラーボーナス状態（以下、「ＲＢ状態」と言う。）に移行する。
【００２８】
なお以下では、各入賞と対応する図柄の組合せを入賞図柄の組合せとも言う。例えば、第１ＢＢ図柄の組合せとは、第１ＢＢ入賞となる図柄の組合せ、すなわち「赤７」図柄，「赤７」図柄，「赤７」図柄の組合せである。また、各入賞と対応する各リール３２Ｌ，３２Ｍ，３２Ｒの図柄を入賞図柄とも言う。例えば、第１ＢＢ図柄とは、各リール３２Ｌ，３２Ｍ，３２Ｒにおける「赤７」図柄である。
【００２９】
遊技パネル２５の下方左側には、各リール３２Ｌ，３２Ｍ，３２Ｒの回転を開始させるために操作されるスタートレバー４１が設けられている。スタートレバー４１はリール３２Ｌ，３２Ｍ，３２Ｒを回転開始、すなわち図柄の可変表示を開始させるべく操作される開始操作手段又は始動操作手段を構成する。所定数のメダルが投入されている状態でスタートレバー４１を操作された場合、各リール３２Ｌ，３２Ｍ，３２Ｒが回転を開始するようになっている。
【００３０】
スタートレバー４１の右側には、回転している各リール３２Ｌ，３２Ｍ，３２Ｒを個別に停止させるために操作されるボタン状のストップスイッチ４２〜４４が設けられている。各ストップスイッチ４２〜４４は、停止対象となるリール３２Ｌ，３２Ｍ，３２Ｒに対応する表示窓２６Ｌ，２６Ｍ，２６Ｒの直下にそれぞれ配置されている。すなわち、左ストップスイッチ４２が操作された場合には左リール３２Ｌの回転が停止し、中ストップスイッチ４３が操作された場合には中リール３２Ｍの回転が停止し、右ストップスイッチ４４が操作された場合には右リール３２Ｒの回転が停止する。ストップスイッチ４２〜４４はリール３２Ｌ，３２Ｍ，３２Ｒの回転に基づく図柄の可変表示を停止させるべく操作される停止操作手段を構成する。
【００３１】
表示窓２６Ｌ，２６Ｍ，２６Ｒの下方右側には、メダルを投入するためのメダル投入口４５が設けられている。メダル投入口４５は遊技媒体を入力する入力手段を構成する。また、メダル投入口４５が遊技者によりメダルを直接投入するという動作を伴う点に着目すれば、遊技媒体を直接入力する直接入力手段を構成するものとも言える。
【００３２】
メダル投入口４５から投入されたメダルは、前面扉１２の背面に設けられた通路切替手段としてのセレクタ４６によって貯留用通路４７か排出用通路４８のいずれかへ導かれる。より詳しくは、セレクタ４６にはメダル通路切替ソレノイド４６ａが設けられており、そのメダル通路切替ソレノイド４６ａの非励磁時にはメダルが排出用通路４８側に導かれ、前記メダル通路切替ソレノイド４６ａの励磁時にはメダルが貯留用通路４７側に導かれるようになっている。貯留用通路４７に導かれたメダルは、筐体１１の内部に収納されたホッパ装置５１へと導かれる。一方、排出用通路４８に導かれたメダルは、前面扉１２の前面下部に設けられたメダル排出口４９からメダル受け皿５０へと導かれ、遊技者に返還される。
【００３３】
ホッパ装置５１は、メダルを貯留する貯留タンク５２と、メダルを遊技者に払い出す払出装置５３とより構成されている。払出装置５３は、図示しないメダル払出用回転板を回転させることにより、排出用通路４８に設けられた開口４８ａへメダルを排出し、排出用通路４８を介してメダル受け皿５０へメダルを払い出すようになっている。また、ホッパ装置５１の右方には、貯留タンク５２内に所定量以上のメダルが貯留されることを回避するための予備タンク５４が設けられている。ホッパ装置５１の貯留タンク５２内部には、この貯留タンク５２から予備タンク５４へとメダルを排出する誘導プレート５２ａが設けられている。したがって、誘導プレート５２ａが設けられた高さ以上にメダルが貯留された場合、かかるメダルが予備タンク５４に貯留されることとなる。
【００３４】
メダル投入口４５の下方には、ボタン状の返却スイッチ５５が設けられている。メダル投入口４５に投入されたメダルがセレクタ４６内に詰まった状況下で返却スイッチ５５を操作された場合、セレクタ４６が機械的に連動して動作され、当該セレクタ４６内に詰まったメダルがメダル排出口４９から返却されるようになっている。
【００３５】
表示窓２６Ｌ，２６Ｍ，２６Ｒの下方左側には、遊技媒体としてのクレジットされた仮想メダルを一度に３枚投入するための第１クレジット投入スイッチ５６が設けられている。また、第１クレジット投入スイッチ５６の左方には、第２クレジット投入スイッチ５７と、第３クレジット投入スイッチ５８とが設けられている。第２クレジット投入スイッチ５７は仮想メダルを一度に２枚投入するためのものであり、第３クレジット投入スイッチ５８は仮想メダルを１枚投入するためのものである。各クレジット投入スイッチ５６〜５８は前記メダル投入口４５とともに遊技媒体を入力する入力手段を構成する。また、メダル投入口４５が遊技者によりメダルを直接投入するという動作を伴うのに対し、各クレジット投入スイッチ５６〜５８は貯留記憶に基づく仮想メダルの投入という動作を伴うに過ぎない点に着目すれば、遊技媒体を間接入力する間接入力手段を構成するものとも言える。
【００３６】
スタートレバー４１の左方には、精算スイッチ５９が設けられている。すなわち、本スロットマシン１０では、所定の最大値（メダル５０枚分）となるまでの余剰の投入メダルや入賞時の払出メダルを仮想メダルとして貯留記憶するクレジット機能を有しており、仮想メダルが貯留記憶されている状況下で精算スイッチ５９を操作された場合、仮想メダルが現実のメダルとしてメダル排出口４９から払い出されるようになっている。この場合、クレジットされた仮想メダルを現実のメダルとして払い出すという機能に着目すれば、精算スイッチ５９は貯留記憶された遊技媒体を実際に払い出すための精算操作手段を構成するものとも言える。
【００３７】
遊技パネル２５の表示窓２６Ｌ，２６Ｍ，２６Ｒ下方には、クレジットされている仮想メダル数を表示するクレジット表示部６０と、ＢＢ状態が終了するまでに払い出される残りのメダル数を表示する残払出枚数表示部６１と、入賞時に払い出したメダルの枚数を表示する払出枚数表示部６２とがそれぞれ設けられている。これら表示部６０〜６２は７セグメント表示器によって構成されているが、液晶表示器等によって代替することは当然可能である。
【００３８】
ここで、メダルのベット数と、有効化される組合せラインとの関係を、図７を用いて説明する。遊技の開始時にメダル投入口４５からメダルが投入されるとベットとなる。
【００３９】
１枚目のメダルがメダル投入口４５に投入された場合、ベット数は１となり、中ラインＬ２が有効化される。２枚目のメダルがメダル投入口４５に投入された場合、ベット数は２となり、中ラインＬ２に加えて上ラインＬ１と下ラインＬ３を含む合計３本の組合せラインが有効化される。３枚目のメダルがメダル投入口４５に投入された場合、ベット数は３となり、組合せラインＬ１〜Ｌ５の全てが有効化される。
【００４０】
なお、４枚以上のメダルがメダル投入口４５に投入された場合、そのときに貯留記憶されている仮想メダルが５０枚未満であれば、３枚を超える余剰メダルはスロットマシン１０内部に貯留され、クレジット表示部６０の仮想メダル数が加算表示される。一方、仮想メダル数が５０枚のとき又は５０枚に達したときには、セレクタ４６により貯留用通路４７から排出用通路４８への切替がなされ、メダル排出口４９からメダル受け皿５０へと余剰メダルが返却される。
【００４１】
また、仮想メダルが貯留記憶されており、遊技の開始時に第１〜第３クレジット投入スイッチ５６〜５８のいずれかが操作された場合にも、仮想メダルが投入されたこととなりベットとなる。なお、第１〜第３クレジット投入スイッチ５６〜５８のいずれかが操作された場合については、投入された仮想メダルの枚数分だけクレジット表示部６０に表示されている仮想メダル数が減算されることを除き、メダル投入口４５からメダルを投入した場合と同じため、説明を省略する。
【００４２】
ちなみに、第１〜第３クレジット投入スイッチ５６〜５８のいずれかが操作された場合に投入されるべき仮想メダルが貯留記憶されていない場合、例えばクレジット表示部６０の表示が２のときに第１クレジット投入スイッチ５６が操作された場合等には、クレジット表示部６０の数値が全て減算されて０となり、投入可能な仮想メダル分だけベットされる。
【００４３】
前面扉１２の上部には、遊技の進行に伴い点灯したり点滅したりする上部ランプ６３と、遊技の進行に伴い種々の効果音を鳴らしたり、遊技者に遊技状態を報知したりする左右一対のスピーカ６４と、遊技者に各種情報を与える補助表示部６５とが設けられている。補助表示部６５は、遊技の進行に伴って各種表示演出を実行するためのものであり、各リール３２Ｌ，３２Ｍ，３２Ｒによる遊技を主表示部によるものと考えることができることから、本実施形態では補助表示部６５と称している。補助表示部６５の背面には、発光ユニット３３や上部ランプ６３、スピーカ６４、補助表示部６５を駆動させるための表示制御装置８１が設けられている。
【００４４】
筐体１１の内部においてホッパ装置５１の左方には、電源ボックス７０が設けられている。電源ボックス７０は、その内部に電源装置９１を収容するとともに、電源スイッチ７１やリセットスイッチ７２、設定キー挿入孔７３などを備えている。電源スイッチ７１は、主制御装置１０１を始めとする各部に電源を供給するための起動スイッチである。リセットスイッチ７２は、スロットマシン１０のエラー状態をリセットするためのスイッチである。また、設定キー挿入孔７３は、ホール管理者などがメダルの出玉調整を行うためのものである。すなわち、ホール管理者等が設定キーを設定キー挿入孔７３へ挿入してＯＮ操作することにより、スロットマシン１０の当選確率を設定できるようになっている。なお、リセットスイッチ７２は、エラー状態をリセットする場合の他に、スロットマシン１０の当選確率を変更する場合にも操作される。
【００４５】
リールユニット３１の上方には、遊技を統括管理する主制御装置１０１が筐体１１に取り付けられている。主制御装置１０１は、主制御基板が透明な合成樹脂材料にて形成された基板ボックスに収容されて構成されている。基板ボックスは、開放不能に又は開放されるとその痕跡が残るように封印処理が施されており、主制御装置１０１は、筐体１１から取り外し不能に又は筐体１１から取り外すとその痕跡が残るように封印処理が施されている。
【００４６】
次に、本スロットマシン１０の電気的構成について、図９のブロック図に基づいて説明する。
【００４７】
主制御装置１０１には、演算処理手段であるＣＰＵ１０２を中心とするマイクロコンピュータが搭載されている。ＣＰＵ１０２には、電源装置９１の他に、所定周波数の矩形波を出力するクロック回路１０３や、入出力ポート１０４などが内部バスを介して接続されている。かかる主制御装置１０１は、スロットマシン１０に内蔵されるメイン基盤としての機能を果たすものである。
【００４８】
主制御装置１０１の入力側には、リールユニット３１（より詳しくは各リール３２Ｌ，３２Ｍ，３２Ｒが１回転したことを個別に検出するリールインデックスセンサ）、スタートレバー４１の操作を検出するスタート検出センサ４１ａ、各ストップスイッチ４２〜４４の操作を個別に検出するストップ検出センサ４２ａ〜４４ａ、メダル投入口４５から投入されたメダルを検出する投入メダル検出センサ４５ａ、ホッパ装置５１から払い出されるメダルを検出する払出検出センサ５１ａ、各クレジット投入スイッチ５６〜５８の操作を個別に検出するクレジット投入検出センサ５６ａ〜５８ａ、精算スイッチ５９の操作を検出する精算検出センサ５９ａ、リセットスイッチ７２の操作を検出するリセット検出センサ７２ａ、設定キー挿入孔７３に設定キーが挿入されてＯＮ操作されたことを検出する設定キー検出センサ７３ａ等の各種センサが接続されており、これら各種センサからの信号は入出力ポート１０４を介してＣＰＵ１０２へ出力されるようになっている。
【００４９】
また、主制御装置１０１の入力側には、入出力ポート１０４を介して電源装置９１が接続されている。電源装置９１には、主制御装置１０１を始めとしてスロットマシン１０の各電子機器に駆動電力を供給する電源部９１ａや、停電監視回路９１ｂなどが搭載されている。
【００５０】
停電監視回路９１ｂは電源の遮断状態を監視し、停電時はもとより、電源スイッチ７１による電源遮断時に停電信号を生成するためのものである。そのため停電監視回路９１ｂは、電源部９１ａから出力されるこの例では直流１２ボルトの安定化駆動電圧を監視し、この駆動電圧が例えば１０ボルト未満まで低下したとき電源が遮断されたものと判断して停電信号が出力されるように構成されている。停電信号はＣＰＵ１０２と入出力ポート１０４のそれぞれに供給され、ＣＰＵ１０２ではこの停電信号を認識することにより後述する停電時処理が実行される。また、この停電信号は表示制御装置８１にも供給されるように構成されている。
【００５１】
電源部９１ａは、出力電圧が１０ボルト未満まで低下した場合でも、主制御装置１０１などの制御系において駆動電圧として使用される５ボルトの安定化電圧が出力されるように構成されている。この安定化電圧が出力される時間としては、主制御装置１０１による停電時処理を実行するに十分な時間が確保されている。
【００５２】
主制御装置１０１の出力側には、リールユニット３１（より詳しくは各リール３２Ｌ，３２Ｍ，３２Ｒを回転させるためのステッピングモータ）、セレクタ４６に設けられたメダル通路切替ソレノイド４６ａ、ホッパ装置５１、クレジット表示部６０、残払出枚数表示部６１、払出枚数表示部６２、表示制御装置８１、図示しないホール管理装置などに情報を送信できる外部集中端子板１２１等が入出力ポート１０４を介して接続されている。
【００５３】
表示制御装置８１は、発光ユニット３３や上部ランプ６３、スピーカ６４、補助表示部６５を駆動させるための制御装置であり、これらを駆動させるためのＣＰＵ、ＲＯＭ、ＲＡＭ等が一体化された表示制御基板８１ａを備えている。そして、主制御装置１０１からの信号を受け取った上で、表示制御装置８１が独自に発光ユニット３３、上部ランプ６３、スピーカ６４及び補助表示部６５を駆動制御する。また、表示制御装置８１は、表示制御装置８１からの信号を主制御装置１０１が受信できないように、すなわち一方向通信となるように、主制御装置１０１と電気的に接続されている。したがって、表示制御装置８１は、遊技を統括管理するメイン基盤たる主制御装置１０１との関係では補助的な制御を実行するサブ基盤となっている。なお、各種表示部６０〜６２も表示制御装置８１が駆動制御する構成としてもよい。
【００５４】
上述したＣＰＵ１０２には、このＣＰＵ１０２によって実行される各種の制御プログラムや固定値データを記憶したＲＯＭ１０５と、このＲＯＭ１０５に記憶されている制御プログラムを実行するにあたって各種のデータを一時的に記憶する作業エリアを確保するためのＲＡＭ１０６の他に、図示はしないが周知のように割込み回路を始めとしてタイマ回路、データ送受信回路などスロットマシン１０において必要な各種の処理回路や、クレジット枚数をカウントするクレジットカウンタなどの各種カウンタが内蔵されている。ＲＯＭ１０５とＲＡＭ１０６によって記憶手段としてのメインメモリが構成され、図１０以降のフローチャートに示される各種処理を実行するためのプログラムは、制御プログラムの一部として上述したＲＯＭ１０５に記憶されている。
【００５５】
ＲＡＭ１０６は、スロットマシン１０の電源が遮断された後においても電源装置９１からバックアップ電圧が供給されてデータを保持（バックアップ）できる構成となっている。ＲＡＭ１０６には、各種のデータを一時的に記憶するためのメモリや、役の抽選結果を記憶するための当選フラグ格納エリア１０６ａ、各リール３２Ｌ，３２Ｍ，３２Ｒの停止制御を行う場合に用いるスベリテーブルを記憶するためのスベリテーブル格納エリア１０６ｂ、ＢＢ状態等の遊技状態を記憶するための状態情報格納エリア１０６ｃ等の他に、バックアップエリアが設けられている。
【００５６】
バックアップエリアは、停電等の発生により電源が遮断された場合において、電源遮断時（電源スイッチ７１の操作による電源遮断をも含む。以下同様）のスタックポインタの値を記憶しておくためのエリアであり、停電解消時（電源スイッチ７１の操作による電源投入をも含む。以下同様）には、バックアップエリアの情報に基づいてスロットマシン１０の状態が電源遮断前の状態に復帰できるようになっている。バックアップエリアへの書き込みは停電時処理（図１０参照）によって電源遮断時に実行され、バックアップエリアに書き込まれた各値の復帰は電源投入時のメイン処理において実行される。
【００５７】
また、ＣＰＵ１０２のＮＭＩ端子（ノンマスカブル割込端子）には、停電等の発生による電源遮断時に、停電監視回路９１ｂからの停電信号が入力されるように構成されている。そして、電源遮断時には、停電フラグ生成処理としてのＮＭＩ割込み処理が即座に実行されるようになっている。
【００５８】
続いて、主制御装置１０１のＣＰＵ１０２により実行される各制御処理について説明する。かかるＣＰＵ１０２の処理としては、大別して、電源投入に伴い起動されるメイン処理と、定期的に（本実施の形態では１．４９ｍｓｅｃ周期で）起動されるタイマ割込み処理と、ＮＭＩ端子への停電信号の入力に伴い起動されるＮＭＩ割込み処理とがある。以下では、これら各処理のうち遊技の進行に関わる処理、すなわちタイマ割込み処理と、メイン処理にて行われる通常処理とを図１０〜図１９のフローチャートを参照しながら説明する。
【００５９】
図１０は、主制御装置１０１で定期的に実行されるタイマ割込み処理のフローチャートであり、主制御装置１０１のＣＰＵ１０２により例えば１．４９ｍｓｅｃごとにタイマ割込みが発生する。
【００６０】
先ず、ステップＳ１０１に示すレジスタ退避処理では、後述する通常処理で使用しているＣＰＵ１０２内の全レジスタの値をＲＡＭ１０６のバックアップエリアに退避させる。ステップＳ１０２では停電フラグがセットされているか否かを確認し、停電フラグがセットされているときにはステップＳ１０３に進み、停電時処理を実行する。
【００６１】
ここで、停電時処理について概略を説明する。
【００６２】
停電の発生等によって電源が遮断されると、電源装置９１の停電監視回路９１ｂから停電信号が出力され、当該停電信号がＮＭＩ端子を介して主制御装置１０１に入力される。主制御装置１０１は、停電信号が入力された場合、即座にＮＭＩ割込み処理を実行し、停電フラグをＲＡＭ１０６に設けられた停電フラグ格納エリアにセットする。
【００６３】
停電時処理では、先ずコマンドの送信が終了しているか否かを判定し、送信が終了していない場合には本処理を終了してタイマ割込み処理に復帰し、コマンドの送信を終了させる。コマンドの送信が終了している場合には、ＣＰＵ１０２のスタックポインタの値をＲＡＭ１０６のバックアップエリアに保存する。その後、入出力ポート１０４における出力ポートの出力状態をクリアし、図示しない全てのアクチュエータをオフ状態にする。そして、停電解消時にＲＡＭ１０６のデータが正常か否かを判定するためのＲＡＭ判定値を算出してバックアップエリアに保存することにより、それ以後のＲＡＭアクセスを禁止する。以上の処理を行った後は、電源が完全に遮断して処理が実行できなくなるのに備え、無限ループに入る。なお、例えばノイズ等に起因して停電フラグが誤ってセットされる場合を考慮し、無限ループに入るまでは停電信号が出力されているか否かを確認する。停電信号が出力されていなければ停電状態から復旧したこととなるため、ＲＡＭ１０６への書き込みを許可すると共に停電フラグをリセットし、タイマ割込み処理に復帰する。停電信号の出力が継続してなされていれば、そのまま無限ループに入る。ちなみに、無限ループ下においても停電信号が出力されているか否かを確認しており、停電信号が出力されなくなった場合にはメイン処理に移行する。
【００６４】
タイマ割込み処理の説明に戻り、ステップＳ１０２にて停電フラグがセットされていない場合には、ステップＳ１０４以降の各種処理を行う。
【００６５】
すなわち、ステップＳ１０４では、誤動作の発生を監視するためのウオッチドッグタイマの値を初期化するウオッチドッグタイマのクリア処理を行う。ステップＳ１０５では、ＣＰＵ１０２自身に対して次回のタイマ割込みを設定可能とする割込み終了宣言処理を行う。ステップＳ１０６では、各リール３２Ｌ，３２Ｍ，３２Ｒを回転させるために、それぞれの回胴駆動モータであるステッピングモータを駆動させるステッピングモータ制御処理を行う。ステップＳ１０７では、入出力ポート１０４に接続されたストップ検出センサ４２ａ〜４４ａ，投入メダル検出センサ４５ａ，払出検出センサ５１ａ等の各種センサ（図９参照）の状態を読み込むと共に、読み込み結果が正常か否かを監視するセンサ監視処理を行う。ステップＳ１０８では、各カウンタやタイマの値を減算するタイマ演算処理を行う。ステップＳ１０９では、メダルのベット数や、払出枚数をカウントした結果を外部集中端子板１２１へ出力するカウンタ処理を行う。
【００６６】
ステップＳ１１０では、後述する開始コマンドや抽選結果コマンド等の各種コマンドを表示制御装置８１へ送信するコマンド出力処理を行う。ステップＳ１１１では、クレジット表示部６０、残払出枚数表示部６１及び払出枚数表示部６２にそれぞれ表示されるセグメントデータを設定するセグメントデータ設定処理を行う。ステップＳ１１２では、セグメントデータ設定処理で設定されたセグメントデータを各表示部６０〜６２に供給して該当する数字、記号などを表示するセグメントデータ表示処理を行う。ステップＳ１１３では、入出力ポート１０４からＩ／Ｏ装置に対応するデータを出力するポート出力処理を行う。ステップＳ１１４では、先のステップＳ１０１にてバックアップエリアに退避させた各レジスタの値をそれぞれＣＰＵ１０２内の対応するレジスタに復帰させる。その後ステップＳ１１５にて次回のタイマ割込みを許可する割込み許可処理を行い、この一連のタイマ割込み処理を終了する。
【００６７】
次に、遊技に関わる主要な制御を行う通常処理について図１１のフローチャートに基づき説明する。
【００６８】
先ずステップＳ２０１では、次回のタイマ割込みを許可する割込み許可処理を行う。ステップＳ２０２では、遊技を可能とするための開始前処理を行う。開始前処理では、表示制御装置８１等が初期化を終了するまで待機する。表示制御装置８１等の初期化が終了した場合には、ステップＳ２０３〜ステップＳ２１３に示す遊技管理処理を行う。
【００６９】
遊技管理処理として、ステップＳ２０３では、ＲＡＭ１０６に格納された各種遊技情報等のデータ（例えば前回の遊技で用いた乱数値等）をクリアする。その後、ステップＳ２０４では開始待ち処理を行う。
【００７０】
開始待ち処理では、前回の遊技で再遊技入賞が成立したか否かを判定する。再遊技入賞が成立していた場合には、前回のベット数と同数の仮想メダルを自動投入する自動投入処理を行うと共に、投入完了コマンドをセットして開始待ち処理を終了する。ここで、投入完了コマンドとは、自動投入の完了を把握させるべく表示制御装置８１に対して送信されるコマンドである。なお、自動投入処理では、クレジット表示部６０に表示された仮想メダル数を減じることなく仮想メダルの投入を行う。つまり、前回の遊技で再遊技入賞が成立した場合には、遊技者は所有するメダルを減らすことなく且つメダルを投入することなく今回の遊技を行うことができる。再遊技入賞が成立していなかった場合には、タイマ割込み処理のセンサ監視処理ステップＳ１０７にてなされたセンサの読み込み結果に異常が発生していないかを確認するセンサ異常確認処理を行い、異常が発生している場合にはスロットマシン１０をエラー状態とすると共にエラーの発生を報知する異常発生時処理を行う。かかるエラー状態は、リセットスイッチ７２が操作されるまで維持される。センサの読み込み結果が正常である場合には精算スイッチ５９が操作されたか否かを判定し、精算スイッチ５９が操作された場合には、クレジットされた仮想メダルと同数のメダルを払い出すメダル返却処理を行うと共に精算コマンドをセットする。ここで、精算コマンドとは、クレジットされた仮想メダルの返却を行っていることを把握させるべく表示制御装置８１に対して送信されるコマンドである。メダル返却処理の終了後又は精算スイッチ５９が操作されていない場合には、前回の開始待ち処理から今回の開始待ち処理までの間にメダルの投入又はクレジット投入スイッチ５６〜５８の操作がなされたか否かを判定し、いずれかが行われた場合には、有効ラインの設定等を行うメダル投入処理を行うと共に、投入コマンドをセットして開始待ち処理を終了する。ここで、投入コマンドとは、メダルのベットがなされたことを把握させるべく表示制御装置８１に対して送信されるコマンドである。また、前回の開始待ち処理から今回の開始待ち処理までの間にメダルの投入とクレジット投入スイッチ５６〜５８の操作のいずれもなされていない場合には、そのまま開始待ち処理を終了する。
【００７１】
ステップＳ２０５では、メダルのベット数が規定数に達しているか否かを判定し、ベット数が規定数に達していない場合には、ステップＳ２０４の開始待ち処理に戻り、当該処理のうちセンサ異常確認処理以降の処理を行う。ベット数が規定数に達している場合には、ステップＳ２０６に進み、スタートレバー４１が操作されたか否かを判定する。スタートレバー４１が操作されていない場合には、ステップＳ２０４の開始待ち処理に戻り、当該処理のうちセンサ異常確認処理以降の処理を行う。
【００７２】
一方、規定数のメダルがベットされている状況下でスタートレバー４１が操作された場合（ステップＳ２０５，ステップＳ２０６が共にＹＥＳの場合）には、遊技を開始させるべく開始指令が発生したことを意味する。かかる場合にはステップＳ２０７に進み、メダル通路切替ソレノイド４６ａを非励磁状態に切り替えてベット受付を禁止し、続くステップＳ２０８にて開始コマンドをセットする。ここで、開始コマンドとは、開始指令が発生したことを把握させるべく表示制御装置８１に対して送信されるコマンドである。その後、ステップＳ２０９の抽選処理、ステップＳ２１０のリール制御処理、ステップＳ２１１のメダル払出処理、ステップＳ２１２のＲＴ状態処理、ステップＳ２１３のＢＢ状態処理を順に実行し、ステップＳ２０３に戻る。
【００７３】
なお、通常処理では、投入コマンドや開始コマンド等の各種コマンドをリングバッファにセットするのみであり、表示制御装置８１に対してコマンドを送信しない。表示制御装置８１へのコマンド送信は、先述したタイマ割込み処理のコマンド出力処理Ｓ１１０にて行われる。
【００７４】
次に、ステップＳ２０９の抽選処理について、図１２のフローチャートに基づき説明する。
【００７５】
ステップＳ３０１では、役の当否判定を行う際に用いる乱数を取得する。本スロットマシン１０では、スタートレバー４１が操作されると、ハード回路がその時点におけるフリーランカウンタの値をラッチする構成となっている。フリーランカウンタは０〜６５５３５の乱数を生成しており、ＣＰＵ１０２は、スタートレバー４１の操作を確認した後、ハード回路がラッチした値をＲＡＭ１０６に格納する。かかる構成とすることにより、スタートレバー４１が操作されたタイミングで速やかに乱数を取得することが可能となり、同期等の問題が発生することを回避することが可能となる。本スロットマシン１０のハード回路は、スタートレバー４１が操作される毎にその都度のフリーランカウンタの値をラッチする構成となっている。
【００７６】
乱数を取得した後、ステップＳ３０２〜Ｓ３０６では、役の当否判定を行うための抽選テーブルを選択する。具体的には、先ずステップＳ３０２において、現在の遊技状態がＲＴ状態か否かを判定する。ＲＴ状態でない場合には、さらにステップＳ３０３にて現在の遊技状態がＢＢ状態か否かを判定する。そして、現在の遊技状態がＢＢ状態とＲＴ状態のいずれでもない場合には、ステップＳ３０４にて通常状態用抽選テーブルを選択する。また、現在の遊技状態がＢＢ状態である場合には、ステップＳ３０５にてＢＢ状態用抽選テーブルを選択し、現在の遊技状態がＲＴ状態である場合には、ステップＳ３０６にてＲＴ状態用抽選テーブルを選択する。ここで、本スロットマシン１０では、「設定１」から「設定６」まで６段階の当選確率が予め用意されており、電源投入時に設定キー挿入孔７３に設定キーを挿入してＯＮ操作するとともに所定の操作を行うことにより、いずれの当選確率に基づいて内部処理を実行させるのかを設定することができる。ステップＳ３０４〜Ｓ３０６では、設定状態が「設定１」のときにメダル払出の期待値が最も低い抽選テーブルを選択し、「設定６」のときにメダル払出の期待値が最も高い抽選テーブルを選択する。
【００７７】
抽選テーブルについて、簡単に説明する。図１３は、「設定３」の通常状態で選択される通常状態用抽選テーブルである。通常状態用抽選テーブルには、１１のインデックス値ＩＶが設定されており、各インデックス値ＩＶには、当選となる役がそれぞれ一義的に対応付けられると共に、ポイント値ＰＶが設定されている。本スロットマシン１０における通常状態では、再遊技、スイカ、ベル、第１及び第２チェリー、第１〜第３ＢＢの８種類の役について判定が行われるようになっており、ＩＶ＝１〜８には、１つの役がそれぞれ対応付けられており、ＩＶ＝９〜１１には、複数の役（具体的にはスイカといずれかのＢＢ）がそれぞれ対応付けられている。
【００７８】
抽選テーブルを選択した後、ステップＳ３０７ではインデックス値ＩＶを１とし、続くステップＳ３０８では役の当否を判定する際に用いる判定値ＤＶを設定する。かかる判定値設定処理では、現在の判定値ＤＶに、現在のインデックス値ＩＶと対応するポイント値ＰＶを加算して新たな判定値ＤＶを設定する。なお、初回の判定値設定処理では、ステップＳ３０１にて取得した乱数値を現在の判定値ＤＶとし、この乱数値に現在のインデックス値ＩＶである１と対応するポイント値ＰＶを加算して新たな判定値ＤＶとする。
【００７９】
その後、ステップＳ３０９ではインデックス値ＩＶと対応する役の当否判定を行う。役の当否判定では判定値ＤＶが６５５３５を超えたか否かを判定する。６５５３５を超えた場合には、ステップＳ３１０に進み、そのときのインデックス値ＩＶと対応する役の当選フラグを、ＲＡＭ１０６の当選フラグ格納エリア１０６ａにセットする。例えば、ＩＶ＝３のときに判定値ＤＶが６５５３５を超えた場合、ステップＳ３１０ではベル当選フラグをセットし、ＩＶ＝９のときに判定値ＤＶが６５５３５を超えた場合、ステップＳ３１０では第１ＢＢ当選フラグとスイカ当選フラグをセットする。つまり、ＩＶ＝１〜８のいずれかのときに判定値ＤＶが６５５３５を超えた場合には、１回のゲームで１つの役に当選となり、ＩＶ＝９〜１１のいずれかのときに判定値ＤＶが６５５３５を超えた場合には、１回のゲームで複数の役に当選となる。
【００８０】
ちなみに、セットされた当選フラグが再遊技当選フラグ，スイカ当選フラグ，ベル当選フラグ，第１チェリー当選フラグ，第２チェリー当選フラグのいずれかである場合、この当選フラグは該当選フラグがセットされたゲームの終了後にリセットされる（通常処理のＳ２０３参照）。一方、当選フラグが第１〜第３ＢＢ当選フラグのいずれかである場合、これらＢＢ当選フラグは対応するＢＢ入賞が成立したことを条件の１つとしてリセットされる。すなわち、第１〜第３ＢＢ当選フラグは、複数回のゲームにわたって有効とされる場合がある。なお、いずれかのＢＢ当選フラグを持ち越した状態におけるステップＳ３１０では、現在のインデックス値ＩＶが１〜５であればインデックス値ＩＶと対応する当選フラグをセットし、現在のインデックス値ＩＶが６〜８であれば対応するＢＢ当選フラグをセットせず、現在のインデックス値ＩＶが９〜１１であればスイカ当選フラグのみをセットする。つまり、いずれかのＢＢ当選フラグが持ち越されているゲームでは、再遊技やベル，スイカ，第１又は第２チェリーに当選した場合には対応する当選フラグをセットする一方、いずれのＢＢに当選した場合であっても新たにＢＢ当選フラグをセットしない。
【００８１】
ステップＳ３０９にて判定値ＤＶが６５５３５を超えなかった場合には、インデックス値ＩＶと対応する役に外れたことを意味する。かかる場合にはステップＳ３１１にてインデックス値ＩＶを１加算し、続くステップＳ３１２ではインデックス値ＩＶと対応する役があるか否か、すなわち当否判定すべき判定対象があるか否かを判定する。具体的には、１加算されたインデックス値ＩＶが抽選テーブルに設定されたインデックス値ＩＶの最大値を超えたか否かを判定する。当否判定すべき判定対象がある場合にはステップＳ３０８に戻り、役の当否判定を継続する。このとき、ステップＳ３０８では、先の役の当否判定に用いた判定値ＤＶ（すなわち現在の判定値ＤＶ）に現在のインデックス値ＩＶと対応するポイント値ＰＶを加算して新たな判定値ＤＶとし、ステップＳ３０９では、当該判定値ＤＶに基づいて役の当否判定を行う。
【００８２】
ステップＳ３１０にて当選フラグをセットした後、又はステップＳ３１２にて当否判定すべき判定対象がないと判定した場合には、役の当否判定が終了したことを意味する。かかる場合には、ステップＳ３１３にて抽選結果コマンドをセットする。ここで、抽選結果コマンドとは、役の当否判定の結果を把握させるべく表示制御装置８１に対して送信されるコマンドである。ちなみに、図１３に示した抽選テーブルを用いて役の当否判定を行う場合、ベル，第１チェリー及び第２チェリーの当選確率はそれぞれ約１４分の１、スイカのみに当選となる確率は約７２０分の１、第１ＢＢ，第２ＢＢ，第３ＢＢのいずれかのみに当選となる確率はそれぞれ約１２００分の１、スイカと第１ＢＢに共に当選となる確率は約１２００分の１、スイカと第２ＢＢに共に当選となる確率は約１２００分の１、スイカと第３ＢＢに共に当選となる確率は約１２００分の１である。また、いずれの役にも当選しない外れの確率は約１．８分の１である。さらにいうと、スイカに当選となる確率は２５６分の１であり、スイカ当選時の約６４％が第１〜第３ＢＢのいずれかに共に当選となる。同様に、各ＢＢの当選確率はそれぞれ約６０１分の１であり、各ＢＢ当選時の約５０％がスイカに共に当選となる。
【００８３】
役の当否判定を行った後、ステップＳ３１４ではリール停止制御用のスベリテーブル（停止テーブル）を設定するスベリテーブル設定処理を行い、本処理を終了する。ここで、スベリテーブルとは、ストップスイッチ４２〜４４が操作されたタイミングからリール３２Ｌ，３２Ｍ，３２Ｒをどれだけ滑らせた（回転させた）上で停止させるかが定められたテーブルである。すなわち、スベリテーブルとは、ストップスイッチ４２〜４４が押された際に基点位置（本実施の形態では下段）に到達している到達図柄（到達図柄番号）と、前記基点位置に実際に停止させる停止図柄（停止図柄番号）との関係を導出することが可能な停止データ群である。
【００８４】
本スロットマシン１０では、各リール３２Ｌ，３２Ｍ，３２Ｒを停止させる停止態様として、ストップスイッチ４２〜４４が操作された場合に、基点位置に到達している到達図柄をそのまま停止させる停止態様と、対応するリールを１図柄分滑らせた後に停止させる停止態様と、２図柄分滑らせた後に停止させる停止態様と、３図柄分滑らせた後に停止させる停止態様と、４図柄分滑らせた後に停止させる停止態様との５パターンの停止態様が用意されている。そして、各リール３２Ｌ，３２Ｍ，３２Ｒの図柄番号毎に前記５パターンの停止態様のいずれかを設定されたスベリテーブルが、各役について複数用意されている。
【００８５】
このように、ストップスイッチ４２〜４４が操作されたタイミングから規定時間（１９０ｍｓｅｃ）が経過するまでの間に各リール３２Ｌ，３２Ｍ，３２Ｒが停止するようスベリテーブルを設定することにより、表示窓２６Ｌ，２６Ｍ，２６Ｒから視認可能な範囲に停止する図柄配列（以下、停止出目と言う。）があたかも遊技者の操作によって決定されたかのような印象を遊技者に抱かせることが可能となる。また、４図柄分までは滑らせることが可能な構成とすることにより、かかる規定時間内で可能な限り抽選に当選した役と対応する図柄の組合せを有効ライン上に停止させることが可能となる。
【００８６】
図１４は、「赤７」図柄を有効ライン上に停止させる場合にセットされるスベリテーブルの一例である。滑り数が０である番号の図柄は、下段に実際に停止する図柄である。例えば、左リール３２Ｌの７番の「赤７」図柄が下段に到達している際に左ストップスイッチ４２を操作された場合、左リール３２Ｌは滑ることなくそのまま停止し、「赤７」図柄が下段に停止する。また、滑り数が０でない番号の図柄は、記載された図柄数分だけリールが滑ることを意味する。例えば、左リール３２Ｌの１番の「リプレイ」図柄が下段に到達している際に左ストップスイッチ４２を操作された場合、左リール３２Ｌは４図柄分だけ滑り、５番の「リプレイ」図柄が下段に停止すると共に７番の「赤７」図柄が上段に停止する。このように、スベリテーブルでは、各リール３２Ｌ，３２Ｍ，３２Ｒに付された図柄が下段に到達したタイミングでストップスイッチ４２〜４４を操作された場合の滑り数が図柄番号毎に設定されている。
【００８７】
さて、スベリテーブル設定処理では、ＲＡＭ１０６の当選フラグ格納エリア１０６ａにセットされている当選フラグを確認し、セットされている当選フラグと一義的に対応するスベリテーブルを、ＲＡＭ１０６のスベリテーブル格納エリア１０６ｂにセットする。このとき、本スロットマシン１０では、左リール３２Ｌの当選役と対応する図柄（以下、「当選図柄」と言う。）が上段又は下段に停止するように、中リール３２Ｍの当選図柄が上段又は中段に停止するように、右リール３２Ｒの当選図柄が上段又は下段に停止するように設定されたスベリテーブルをセットする。
【００８８】
図１４に示すスベリテーブルは、第１ＢＢにのみ当選している場合に最初にセットされるスベリテーブルである。但し、かかるスベリテーブルが最初にセットされた場合であっても、ストップスイッチ４２〜４４の操作されたタイミングによっては「赤７」図柄が上述した位置に停止しないこともある。これは、滑らせることのできる範囲をストップスイッチの押されたタイミングから１９０ｍｓｅｃ以内（最大４図柄分）と予め決めており、各リール３２Ｌ，３２Ｍ，３２Ｒには「赤７」図柄をそれぞれ１つずつしか配置していないためである。
【００８９】
ここで、各リール３２Ｌ，３２Ｍ，３２Ｒの図柄配列について簡単に説明する。
【００９０】
「リプレイ」図柄は、下段に先に到達する図柄と次に到達する図柄との間隔が４図柄以下となるように、各リール３２Ｌ，３２Ｍ，３２Ｒに配置されている。例えば、中リール３２Ｍの１１番の「リプレイ」図柄と１４番の「リプレイ」図柄はその間隔が２図柄となるようにして配置されており、左リール３２Ｌの９番の「リプレイ」図柄と１４番の「リプレイ」図柄はその間隔が４図柄となるようにして配置されている。このように、「リプレイ」図柄は、同種図柄同士の間隔が４図柄以下となるようにして各リール３２Ｌ，３２Ｍ，３２Ｒに配置されている。上述した通り、リール３２Ｌ，３２Ｍ，３２Ｒはストップスイッチ４２〜４４の操作されたタイミングから最大４図柄分滑らせた後に停止させることができる。したがって、かかる図柄配列とすることにより、ストップスイッチ４２〜４４が如何なるタイミングで操作された場合であっても、再遊技入賞を成立させる際に「リプレイ」図柄を任意の位置に停止させることができる。例えば左リール３２Ｌの９番の「リプレイ」図柄が下段に到達した際に左ストップスイッチ４２が操作された場合、左リール３２Ｌをそのまま停止させればこの「リプレイ」図柄を下段に停止させることができ、左リール３２Ｌを２図柄分滑らせた後に停止させれば１４番の「リプレイ」図柄を上段に停止させることができ、左リール３２Ｌを３図柄分滑らせた後に停止させれば１４番の「リプレイ」図柄を中段に停止させることができる。
【００９１】
一方、「赤７」図柄は、左リール３２Ｌにおいては７番、中リール３２Ｍにおいては１２番、右リール３２Ｒにおいては２番の位置に１つずつ配置されているのみであり、同種図柄同士の間隔が４図柄以下となるようにして各リール３２Ｌ，３２Ｍ，３２Ｒに配置されていない。このため、例えば左リール３２Ｌの１１番の「青年」図柄が下段に到達している際に左ストップスイッチ４２が操作された場合、仮に左リール３２Ｌを４図柄分滑らせても「赤７」図柄を有効ライン上に停止させることはできない。したがって、第１ＢＢに当選し、「赤７」図柄が有効ライン上に停止するように設定されたスベリテーブルがセットされた場合であっても、ストップスイッチ４２〜４４の操作されたタイミングによっては「赤７」図柄が有効ライン上に停止せず、第１ＢＢ入賞が成立しない場合がある。本スロットマシン１０では、かかる「赤７」図柄の他、「青７」図柄、「白７」図柄、「スイカ」図柄についても５図柄以上離れた区間が形成されるようにして各リール３２Ｌ，３２Ｍ，３２Ｒに配置されている。また、左リール３２Ｌにおいては、「赤チェリー」図柄、「青チェリー」図柄、「ベル」図柄も５図柄以上離れた区間が形成されるようにして配置されている。このため、各ＢＢ、各チェリー、スイカ、ベルのいずれかに当選した場合には、当選図柄が有効ライン上に停止するよう狙ってストップスイッチ４２〜４４を操作する必要がある。
【００９２】
スベリテーブル設定処理の説明に戻り、ＢＢ当選フラグと他の当選フラグがセットされている場合には、以下に示すスベリテーブルをセットする。
【００９３】
ＢＢ当選フラグと再遊技当選フラグがセットされている場合、再遊技入賞を優先して成立させるための再遊技入賞用スベリテーブルをセットする。
【００９４】
ＢＢ当選フラグとベル当選フラグ、スイカ当選フラグ、第１〜第２チェリー当選フラグのいずれかがセットされている場合、ＢＢ入賞を優先して成立させるためのＢＢ優先入賞用スベリテーブルをセットする。但し、ＢＢ当選フラグと対応する「７」図柄は５図柄以上離れた区間が形成されるようにして各リール３２Ｌ，３２Ｍ，３２Ｒに配置されているため、ストップスイッチ４２〜４４の操作タイミングによっては当選ＢＢ図柄を有効ライン上に停止させることができない場合がある。そこで、ＢＢ優先入賞用スベリテーブルでは、当選ＢＢ図柄を有効ライン上に停止させることが可能であれば優先して停止させるように、当選ＢＢ図柄を有効ライン上に停止させることが不可能であって他の当選図柄を有効ライン上に停止させることが可能であれば当該他の当選図柄を有効ライン上に停止させるように設定されている。
【００９５】
次に、ステップＳ２１０のリール制御処理について、図１５のフローチャートに基づき説明する。
【００９６】
リール制御処理では、先ずステップＳ４０１において各リール３２Ｌ，３２Ｍ，３２Ｒの回転を開始させる回転開始処理を行う。
【００９７】
回転開始処理では、前回の遊技でリールが回転を開始した時点から予め定めたウエイト時間（例えば４．１秒）が経過したか否かを確認し、経過していない場合にはウエイト時間が経過するまで待機する。ウエイト時間が経過した場合には、次回の遊技のためのウエイト時間を再設定するとともに、ＲＡＭ１０６に設けられたモータ制御格納エリアに回転開始情報をセットするモータ制御初期化処理を行う。かかる処理を行うことにより、タイマ割込み処理のステッピングモータ制御処理Ｓ１０６にてステッピングモータの加速処理が開始され、各リール３２Ｌ，３２Ｍ，３２Ｒが回転を開始する。このため、遊技者が規定数のメダルをベットしてスタートレバー４１を操作したとしても、直ちに各リール３２Ｌ，３２Ｍ，３２Ｒが回転を開始しない場合がある。また、ウェイト時間が経過した場合には、各リール３２Ｌ，３２Ｍ，３２Ｒの回転を開始したことを表示制御装置８１に把握させるべく送信される回転開始コマンドをセットする。その後、各リール３２Ｌ，３２Ｍ，３２Ｒが所定の回転速度で定速回転するまで待機し、各リール３２Ｌ，３２Ｍ，３２Ｒが定速回転となった場合には、定速回転コマンドをセットして本処理を終了する。ここで、定速回転コマンドとは、各リール３２Ｌ，３２Ｍ，３２Ｒの回転速度が一定となったことを表示制御装置８１に把握させるべく送信されるコマンドである。また、ＣＰＵ１０２は、各リール３２Ｌ，３２Ｍ，３２Ｒの回転速度が定速となると、各ストップスイッチ４２〜４４の図示しないランプを点灯表示することにより、停止指令を発生させることが可能となったことを遊技者等に報知する。
【００９８】
回転開始処理に続き、ステップＳ４０２では停止前処理を行う。
【００９９】
停止前処理では、図１６のフローチャートに示すように、先ずステップＳ５０１にてストップスイッチ４２〜４４のいずれかが操作されたか否かを判定する。いずれのストップスイッチ４２〜４４も操作されていない場合には、ストップスイッチ４２〜４４のいずれかが操作されるまで待機する。ストップスイッチ４２〜４４のいずれかが操作されたと判定した場合には、ステップＳ５０２に進み、回転中のリールと対応するストップスイッチが操作されたか否か、すなわち停止指令が発生したか否かを判定する。停止指令が発生していない場合には、ステップＳ５０１に戻り、ストップスイッチ４２〜４４のいずれかが操作されるまで待機する。停止指令が発生した場合には、ステップＳ５０３に進み、今回の停止指令が第３停止指令か否か、すなわち１つのリールのみが回転しているときにストップスイッチが操作されたか否かを判定する。今回の停止指令が第３停止指令の場合には、ステップＳ５０３にて肯定判定を行い、そのまま停止前処理を終了する。一方、全リール３２Ｌ，３２Ｍ，３２Ｒが回転しているときに発生する第１停止指令、又は２つのリールが回転しているときに発生する第２停止指令の場合には、ステップＳ５０３にて否定判定を行うとともにステップＳ５０４にてスベリテーブル第１変更処理を行い、停止前処理を終了する。
【０１００】
ここで、スベリテーブル第１変更処理とは、ＲＡＭ１０６のスベリテーブル格納エリア１０６ｂに格納されたスベリテーブルを、停止指令と対応するリールを停止させる前に変更する処理である。スベリテーブル第１変更処理では、例えば左ストップスイッチ４２以外のストップスイッチ４３，４４が操作されて第１停止指令が発生した場合等に、スベリテーブルを変更する。かかる処理を行うことにより、停止出目の多様化を図ったり、セットされた当選フラグと対応する入賞が成立することなく当選フラグがクリアされる所謂取りこぼしの発生頻度を低減させたりすることができる。
【０１０１】
リール制御処理の説明に戻り、ステップＳ４０２にて停止前処理が終了した場合、遊技を進行させるべく回転中のリールと対応するストップスイッチが操作され、停止指令が発生したことを意味する。かかる場合には、回転中のリールを停止させるべくステップＳ４０３〜ステップＳ４１１に示す停止制御処理を行う。
【０１０２】
すなわち、ステップＳ４０３では、ストップスイッチの操作されたタイミングで下段に到達している到達図柄の図柄番号を確認する。具体的には、リールインデックスセンサの検出信号が入力された時点から出力した励磁パルス数により、下段に到達している到達図柄の図柄番号を確認する。続くステップＳ４０４では、スベリテーブル格納エリア１０６ｂにセットされたスベリテーブルのうち到達図柄と対応する図柄番号のデータから今回停止させるべきリールのスベリ数を算出する。ステップＳ４０５では、算出したスベリ数を到達図柄の図柄番号に加算し、下段に実際に停止させる停止図柄の図柄番号を決定する。ステップＳ４０６では今回停止させるべきリールの到達図柄の図柄番号と停止図柄の図柄番号が等しくなったか否かを判定し、等しくなった場合にはステップＳ４０７にてリールの回転を停止させるリール停止処理を行う。その後、ステップＳ４０８では、現在の各リール３２Ｌ，３２Ｍ，３２Ｒの回転状況を表示制御装置８１に把握させるべく回転情報コマンドをセットし、ステップＳ４０９では、停止図柄コマンドをセットする。ここで、回転情報コマンドとは、各リール３２Ｌ，３２Ｍ，３２Ｒの回転状況を把握させるべく表示制御装置８１に対して送信されるコマンドであり、停止図柄コマンドとは、表示窓から視認可能な範囲（上段、中段、下段）に停止した図柄を把握させるべく表示制御装置８１に対して送信されるコマンドである。そして、ステップＳ４１０では、全リール３２Ｌ，３２Ｍ，３２Ｒが停止したか否かを判定する。全リール３２Ｌ，３２Ｍ，３２Ｒが停止していない場合には、ステップＳ４１１にてスベリテーブル第２変更処理を行い、ステップＳ４０２の停止前処理に戻る。
【０１０３】
ここで、スベリテーブル第２変更処理とは、ＲＡＭ１０６のスベリテーブル格納エリア１０６ｂに格納されたスベリテーブルを、リールの停止後に変更する処理である。スベリテーブル第２変更処理では、セットされている当選フラグと、停止しているリールの停止出目と、に基づいてスベリテーブルを変更する。例えば、第１ＢＢ当選フラグのみがセットされ、左リール３２Ｌの「赤７」図柄が下段に停止した場合、中リール３２Ｍの第１ＢＢ図柄たる「赤７」図柄が中段又は下段に停止するように設定されたスベリテーブルに変更する。かかる処理を行うことにより、リールの停止結果に応じてその後に停止させるリールの停止出目の多様化を図ることができるとともに、取りこぼしの発生頻度を低減させることができる。
【０１０４】
一方、ステップＳ４１０にて全リール３２Ｌ，３２Ｍ，３２Ｒが停止していると判定した場合には、ステップＳ４１２にて払出判定処理を行い、本処理を終了する。払出判定処理とは、入賞図柄の組合せが有効ライン上に並んでいることを条件の１つとしてメダルの払出枚数を設定する処理である。
【０１０５】
払出判定処理では、各リール３２Ｌ，３２Ｍ，３２Ｒの下段に停止した停止図柄の図柄番号から各有効ライン上に形成された図柄の組合せを導出し、有効ライン上で入賞が成立しているか否かを判定する。入賞が成立している場合には、さらに入賞成立役が当選フラグ格納エリア１０６ａにセットされている当選フラグと一致しているか否かを判定する。入賞成立役と当選フラグが一致している場合には、入賞成立役と、当該入賞成立役と対応する払出数と、をＲＡＭ１０６に設けられた払出情報格納エリアにセットする。一方、入賞成立役と当選フラグが一致していない場合には、スロットマシン１０をエラー状態とするとともにエラーの発生を報知する異常発生時処理を行う。かかるエラー状態は、リセットスイッチ７２が操作されるまで維持される。全ての有効ラインについて払出判定が終了した場合には、入賞コマンドと入賞ラインコマンドをセットし、払出判定処理を終了する。ここで、入賞コマンドとは、いずれの入賞が成立したかを把握させるべく表示制御装置８１に対して送信されるコマンドであり、入賞ラインコマンドとは、入賞がいずれの有効ラインで成立したかを把握させるべく表示制御装置８１に対して送信されるコマンドである。
【０１０６】
次に、ステップＳ２１１のメダル払出処理について、概略を説明する。
【０１０７】
メダル払出処理では、払出情報格納エリアにセットされた払出数が０か否かを判定する。払出数が０の場合、先の払出判定処理にてメダルの払い出される入賞が成立していないと判定したことを意味する。かかる場合には、払出判定処理にてセットした入賞成立役に基づいて、再遊技入賞が成立したか否かを判定する。再遊技入賞が成立していない場合にはそのままメダル払出処理を終了し、再遊技入賞が成立している場合には、遊技状態を再遊技状態とする再遊技設定処理を行うとともに、再遊技コマンドをセットし、メダル払出処理を終了する。ここで、再遊技コマンドとは、次回のゲームが再遊技であることを把握させるべく表示制御装置８１に対して送信されるコマンドである。なお、先に説明した開始待ち処理Ｓ２０４では、現在の遊技状態が再遊技状態であると判定した場合に自動投入処理を行っている。
【０１０８】
一方、払出情報格納エリアにセットされた払出数が０でない場合には、当該払出数と同数のメダルを払い出し、メダル払出処理を終了する。メダルの払い出しについて具体的には、クレジットカウンタのカウント値が上限（貯留されているメダル数が５０枚）に達していない場合、クレジットカウンタのカウント値に払出数を加算するとともに加算後の値をクレジット表示部６０に表示させる。また、クレジットカウンタのカウント値が上限に達している場合、又は払出数の加算途中でカウント値が上限に達した場合には、メダル払出用回転板を駆動し、メダルをホッパ装置５１からメダル排出口４９を介してメダル受け皿５０へ払い出す。なお、メダル払出処理では、メダルの払い出しにあわせて払出枚数表示部６２に表示される払出数を変更する処理も行っている。また、現在の遊技状態がＢＢ状態である場合には、後述する残払出数カウンタの値から払出数を減算するとともに、残払出枚数表示部６１に表示される残払出数を減算する処理を行う。
【０１０９】
次に、ステップＳ２１３のＢＢ状態処理を、図１７のフローチャートに基づいて説明する。
【０１１０】
ＢＢ状態処理の説明に先立ち、ＢＢ状態について説明する。ＢＢ状態は、ＲＢ移行待ち状態とＲＢ状態とより構成されている。ＲＢ移行待ち状態とは、スイカ入賞、ベル入賞、第１〜第２チェリー入賞に加えて、ＲＢ入賞を成立させることが可能な遊技状態である。そして、ＲＢ移行待ち状態で有効ライン上に左から「リプレイ」図柄、「ベル」図柄、「リプレイ」図柄と並んで停止した場合、ＲＢ入賞成立として、メダル払出は行われないものの遊技状態がＲＢ移行待ち状態からＲＢ状態に移行する。ＲＢ状態は、１２回のＪＡＣゲームで構成されている。ＪＡＣゲームとは、メダル払出の特典が付与される入賞の成立する確率が通常状態と比して非常に高いゲームである。そして、ＪＡＣゲーム中に入賞が８回成立すると、ＪＡＣゲームが１２回行われる前であってもＲＢ状態が終了し、ＲＢ移行待ち状態に復帰する。つまり、ＢＢ状態では、ＲＢ移行待ち状態とＲＢ状態との間で遊技状態が繰り返し移行される。そして、ＢＢ状態は、メダル払出数が所定数（具体的には４００枚）に達したことを以って終了する。また、ＲＢ状態の途中でメダル払出数が所定数に達した場合には、ＢＢ状態のみならずＲＢ状態も終了する。これは、ＢＢ状態中のメダル払出数に上限をもたせることにより遊技者の射幸心を抑え、遊技の健全性を担保するための工夫である。
【０１１１】
さて、ＢＢ状態処理では、先ずステップＳ６０１にて現在の遊技状態がＢＢ状態か否かを判定する。ＢＢ状態でない場合には、ステップＳ６０２〜ステップＳ６０４に示すＢＢ判定処理を行う。
【０１１２】
ＢＢ判定処理では、ステップＳ６０２にて第１〜第３ＢＢ当選フラグのいずれかがセットされているか否かを判定する。第１〜第３ＢＢ当選フラグのいずれかがセットされている場合には、ステップＳ６０３に進み、先の払出判定処理にてセットした入賞成立役に基づいて対応するＢＢ入賞が成立したか否かを判定する。そして、ＢＢ入賞が成立した場合には、ステップＳ６０４にて遊技状態をＢＢ状態に移行させるべくＢＢ開始処理を実行する。具体的には、ＢＢ当選フラグをクリアするとともにＢＢ設定フラグをＲＡＭ１０６の状態情報格納エリア１０６ｃにセットし、遊技状態をＢＢ状態とする。また、前記状態情報格納エリア１０６ｃに設けられるとともに、ＢＢ状態中に払出可能な残りのメダル数をカウントするための残払出数カウンタに４００をセットする。
【０１１３】
ＢＢ判定処理が終了すると、ステップＳ６０５にて状態コマンドをセットし、本処理を終了する。ここで、状態コマンドとは、現在の遊技状態を把握させるべく表示制御装置８１に対して送信されるコマンドである。ステップＳ６０５では、第１〜第３ＢＢ当選フラグのいずれもセットされていないと判定した場合（ステップＳ６０２がＮＯの場合）、通常状態であることを意味する状態コマンド又はＲＴ状態であることを意味する状態コマンドをセットする。また、第１〜第３ＢＢ当選フラグのいずれかがセットされているもののＢＢ入賞が成立していないと判定した場合（ステップＳ６０３がＮＯの場合）には、ＢＢ持ち越し状態であることを意味する状態コマンドをセットする。さらに、ステップＳ６０４にてＢＢ開始処理を行った場合には、ＢＢ状態であることを意味する状態コマンドをセットする。
【０１１４】
ステップＳ６０１にて現在の遊技状態がＢＢ状態であると判定した場合には、さらにステップＳ６０６にてＲＢ状態か否かを判定する。ＲＢ状態でないと判定した場合には、ＲＢ移行待ち状態であることを意味するため、ステップＳ６０７〜ステップＳ６１１に示すＲＢ移行待ち状態処理を行う。
【０１１５】
ＲＢ移行待ち状態処理では、ステップＳ６０７において、ＲＢ入賞が成立したか否かを先の払出判定処理にてセットした入賞成立役に基づいて判定する。そして、ＲＢ入賞が成立した場合には、ステップＳ６０８にて遊技状態をＲＢ状態に移行させるべくＲＢ開始処理を実行する。具体的には、ＲＢ設定フラグをＲＡＭ１０６の状態情報格納エリア１０６ｃにセットし、遊技状態をＲＢ状態とする。ちなみに、先のステップＳ６０６におけるＲＢ状態か否かの判定は、ＲＢ設定フラグの有無により判定している。また、ＲＢ状態下で成立した入賞回数をカウントするための残払出入賞カウンタに８をセットするとともに、ＪＡＣゲームの残りゲーム数をカウントするための残ＪＡＣゲームカウンタに１２をセットする。なお、残払出入賞カウンタと残ＪＡＣ入賞カウンタは、状態情報格納エリア１０６ｃに設けられている。ＲＢ開始処理を行った後、ステップＳ６０５ではＲＢ状態であることを意味する状態コマンドをセットし、本処理を終了する。
【０１１６】
ステップＳ６０７にてＲＢ入賞が成立していないと判定した場合には、ＲＢ移行待ち状態下でＲＢ入賞以外の入賞が成立した、又はいずれの入賞も成立しなかったことを意味する。そこで、ステップＳ６０９では、残払出数カウンタの値が０か否かを判定する。０でない場合には、ＢＢ状態中に払い出されたメダル数が所定数に達しておらず、ＢＢ状態の終了条件が成立していないことを意味するため、ステップＳ６０５にてＲＢ移行待ち状態であることを意味する状態コマンドをセットし、本処理を終了する。一方、残払出数カウンタの値が０である場合には、ＢＢ状態の終了条件が成立したことを意味する。かかる場合には、ＢＢ終了処理として、ステップＳ６１０にてＢＢ設定フラグをクリアする。続くステップＳ６１１では、遊技状態をＲＴ状態に移行させるべくＲＴ開始処理を実行する。ＲＴ開始処理では、ＲＡＭ１０６の状態情報格納エリア１０６ｃにＲＴ設定フラグをセットし、遊技状態をＲＴ状態とする。また、前記状態情報格納エリア１０６ｃに設けられたＲＴ状態の残りゲーム数をカウントするための残ゲーム数カウンタに１００をセットする。その後、ステップＳ６０５にてＲＴ状態であることを意味する状態コマンドをセットし、本処理を終了する。なお、上記ステップＳ３０２におけるＲＴ状態か否かの判定は、ＲＴ設定フラグの有無により判定しており、ステップＳ６０５では、ＲＴ設定フラグがセットされている場合にＲＴ状態であることを意味する状態コマンドをセットするようになっている。
【０１１７】
ステップＳ６０６にて現在の遊技状態がＲＢ状態であると判定した場合には、ステップＳ６１２にてＲＢ状態処理を行う。ここで、ＲＢ状態処理について、図１８のフローチャートを用いて説明する。
【０１１８】
先ずステップＳ７０１では、先の払出判定処理にてセットした入賞成立役に基づいて、入賞が成立したか否かを判定する。入賞が成立した場合には、ステップＳ７０２にて残払出入賞カウンタの値を１減算する。その後、或いはステップＳ７０１にて入賞が成立していないと判定した場合には、ＪＡＣゲームを１ゲーム消化したことになるため、ステップＳ７０３にて残ＪＡＣゲームカウンタの値を１減算する。
【０１１９】
ステップＳ７０４では、残払出入賞カウンタ又は残ＪＡＣゲームカウンタのいずれかが０になったか否かを判定する。いずれかが０になっていた場合、すなわち入賞が８回成立したかＪＡＣゲームが１２回消化された場合には、ＲＢ状態の終了条件が成立したことを意味するため、ステップＳ７０５にてＲＢ状態を終了させるべくＲＢ終了処理を実行する。具体的には、ＲＢ設定フラグをクリアするとともに、残払出入賞カウンタ及び残ＪＡＣゲームカウンタの値をリセットする。ＲＢ終了処理を行った後、又はステップＳ７０４にてＲＢ状態の終了条件が成立していないと判定した場合には、ステップＳ７０６に進み、残払出数カウンタの値が０か否かを判定する。残払出数カウンタの値が０でない場合には、ＢＢ状態の終了条件が成立していないことを意味するため、そのまま本処理を終了する。一方、残払出数カウンタの値が０である場合には、ＢＢ状態の終了条件が成立したことを意味するため、ステップＳ７０７にて上述したＲＢ終了処理を行うと共に、ステップＳ７０８にてＢＢ設定フラグをクリアする。その後、ステップＳ７０９にて上述したＲＴ開始処理を実行し、本処理を終了する。
【０１２０】
図１７のフローチャートに戻り、ステップＳ６１２にてＲＢ状態処理を行った場合には、ステップＳ６０５にて状態コマンドをセットした後に本処理を終了する。ＲＢ状態処理後のステップＳ６０５では、ＢＢ設定フラグの有無とＲＢ設定フラグの有無を確認する。ＢＢ設定フラグとＲＢ設定フラグが共にセットされている場合には、ＲＢ状態であることを意味する状態コマンドをセットし、ＢＢ設定フラグのみがセットされている場合には、ＲＢ移行待ち状態であることを意味する状態コマンドをセットし、いずれの設定フラグもセットされていない場合には、ＲＴ状態であることを意味する状態コマンドをセットする。
【０１２１】
このように、本実施の形態では、ＢＢ状態が終了した場合、状態情報格納エリア１０６ｃにＲＴ設定フラグがセットされ、遊技状態がＲＴ状態に移行するようになっている。
【０１２２】
ここで、ＲＴ状態について簡単に説明する。ＲＴ状態とは、抽選処理にてＲＴ状態用に設定されたＲＴ状態用抽選テーブルが選択され、この抽選テーブルに基づいて各役の当否判定が行われる遊技状態である。ＲＴ状態用抽選テーブルには、通常状態用抽選テーブルと同じ役が当否判定を行うべき役として設定されている。また、ＲＴ状態用抽選テーブルには、再遊技以外のポイント値ＰＶは通常状態用抽選テーブルと同じ値が設定されているものの、再遊技のポイント値ＰＶは、４６３９３と設定されており、通常状態用抽選テーブルの設定値（８９８０）よりも非常に高く設定されている。したがって、ＲＴ状態に移行すると再遊技に当選する確率が非常に高くなり、外れの確率が非常に低くなる（６５５３６分の１）。再遊技入賞はストップスイッチ４２〜４４の操作タイミングに関わらず成立する入賞であるため、再遊技入賞の成立する確率が非常に高くなる。この結果、ＲＴ状態に移行した場合、遊技者は、自己の所有するメダルの減少を抑制しつつゲームを行うことができる。かかるＲＴ状態は、所定回数（本実施形態では１００回）のゲームが行われた場合と、ＢＢに当選した場合と、第１チェリー入賞又は第２チェリー入賞が成立した場合と、に終了する。
【０１２３】
ステップＳ２１２のＲＴ状態処理では、図１９のフローチャートに示すように、ステップＳ８０１にて現在の遊技状態がＲＴ状態か否かを判定し、ＲＴ状態でない場合には、そのまま本処理を終了する。現在の遊技状態がＲＴ状態である場合には、ステップＳ８０２に進み、残ゲーム数カウンタの値を１減算する。続くステップＳ８０３では、残ゲーム数カウンタの値が０か否かを判定する。残ゲーム数カウンタの値が０の場合には、ＲＴ状態において所定回数のゲームが行われたことを意味するため、ステップＳ８０４にてＲＡＭ１０６の状態情報格納エリア１０６ｃに格納されているＲＴ設定フラグをクリアし、本処理を終了する。この結果、ＲＴ状態下で所定回数のゲームが行われた場合には、遊技状態がＲＴ状態から通常状態に移行することとなる。また、残ゲーム数カウンタの値が０でない場合には、ステップＳ８０５に進み、当選フラグ格納エリア１０６ａにＢＢ当選フラグがセットされているか否かを判定する。ＢＢ当選フラグがセットされていない場合には、ステップＳ８０６に進み、先の払出判定処理にてセットした入賞成立役に基づいて第１チェリー入賞又は第２チェリー入賞が成立したか否かを判定する。ＢＢ当選フラグがセットされている場合、又はいずれかのチェリー入賞が成立した場合には、ステップＳ８０７に進み、残ゲーム数カウンタの値をクリアする。その後、ステップＳ８０４にてＲＡＭ１０６の状態情報格納エリア１０６ｃに格納されているＲＴ設定フラグをクリアし、本処理を終了する。この結果、ＲＴ状態下でＢＢに当選した場合又はいずれかのチェリー入賞が成立した場合には、遊技状態がＲＴ状態から通常状態に移行することとなる。一方、残ゲーム数カウンタの値が０でなく、ＢＢ当選フラグがセットされておらず、いずれのチェリー入賞も成立していない場合（ステップＳ８０３，ステップＳ８０５，ステップＳ８０６が全てＮＯの場合）には、ＲＴ状態の終了条件が成立していないことを意味するため、そのまま本処理を終了する。
【０１２４】
本実施の形態では、発光ユニット３３、上部ランプ６３、スピーカ６４及び補助表示部６５の補助演出部において、各リール３２Ｌ，３２Ｍ，３２Ｒの回転開始時に当選役を示唆したり何らかの役に当選したことを示唆したりする示唆演出が行われる場合がある。そこで以下では、補助演出部を駆動制御する表示制御装置８１が示唆演出を行う際に実行する処理について説明する。
【０１２５】
先ず、表示制御装置８１の構成について説明する。表示制御装置８１は、表示制御基板８１ａが透明な合成樹脂材料にて形成された基板ボックスに収容されて構成されている。基板ボックスは、開放不能に又は開放されるとその痕跡が残るように封印処理が施されている。図２０は、表示制御基板８１ａの実装面側の構成を示す平面図である。
【０１２６】
表示制御基板８１ａは、デジタル回路等の電子部品を実装した実装面と、この実装面とバイアホールを介して電気的に接続される裏面とよりなり、これら各面には、導体パターンがプリントされている。実装面の略中央部には、主たる制御を司るＣＰＵ８２や、ＣＰＵ８２の出力したデータをその都度対応する各種信号に加工する複数のラッチ回路ＩＣ８３が搭載されている。
【０１２７】
ＣＰＵ８２には、このＣＰＵ８２によって実行される各種の制御プログラムや固定値データを記憶したＲＯＭと、このＲＯＭに記憶されている制御プログラムを実行するにあたって各種のデータを一時的に記憶する作業エリアを確保するためのＲＡＭの他に、各種処理回路や各種カウンタが内蔵されている。ＲＡＭには、各種のデータを一時的に記憶するためのメモリや、役の抽選結果を記憶するための抽選結果格納エリア、各リール３２Ｌ，３２Ｍ，３２Ｒの回転状況を記憶するための回転情報格納エリア、示唆演出を実行する際に用いる各種データを記憶するための演出情報格納エリア等が設けられている。なお、ＲＯＭ及びＲＡＭは、ＣＰＵ８２と別体構成としても良い。
【０１２８】
表示制御基板８１ａの図中における上部、下部及び右部には、コネクタ搭載領域が形成されており、当該領域には、主制御装置１０１や補助演出部等と接続するためのコネクタ８４が搭載されている。また、表示制御基板８１ａの図中における右部にはバッファ回路ＩＣ搭載領域が形成されており、当該領域には、入力した信号の雑音除去や波形整形等を行うバッファ回路ＩＣ８５が搭載されている。但し、コネクタ搭載領域には、コネクタ搭載が可能であるが実際には搭載されていないコネクタ非搭載領域８４ａが１カ所設けられており、バッファ回路ＩＣ搭載領域には、バッファ回路ＩＣ搭載が可能であるが実際には搭載されていないバッファ回路ＩＣ非搭載領域８５ａが２カ所設けられている。これら各非搭載領域８４ａ，８５ａは、後述する性能試験を行う際に、対応する電子部品を搭載するための領域である。表示制御基板８１ａには、実装された各電子部品を結ぶ導体パターンのみならず、ＣＰＵ８２と各非搭載領域８４ａ，８５ａを結ぶ導体パターンも予めプリントされている。つまり、表示制御基板８１ａには、バッファ回路ＩＣとコネクタが搭載されていないことにより、電気配線の断線された部位が形成されている。なお、表示制御基板８１ａを収容する基板ボックスには、コネクタ８４と対応する位置に当該コネクタ８４を外部に露出させるための開口部が形成されている一方、コネクタ非搭載領域８４ａと対応する位置に開口部が形成されていない。
【０１２９】
次に、抽選結果コマンド処理を、図２１のフローチャートに基づいて説明する。
【０１３０】
ステップＳ９０１では、抽選結果コマンドを受信したか否かを判定し、受信していない場合にはそのまま本処理を終了する。抽選結果コマンドを受信した場合にはステップＳ９０２に進み、抽選結果コマンドの示す情報、すなわち主制御装置１０１にて行われた役の抽選結果を、ＲＡＭの抽選結果格納エリアに格納する。その後、ステップＳ９０３では、抽選結果格納エリアに格納した情報に基づいて何らかの役に当選しているか否かを判定する。何らかの役に当選している場合には、ステップＳ９０４に進み、演出判定処理を実行する。
【０１３１】
演出判定処理について概略を説明すると、演出判定処理では、当選役と、現在の遊技状態と、表示制御装置８１が取得する乱数と、に基づいて、示唆演出を行うか否かを判定する。また、示唆演出を行うと判定した場合には、当選役対応演出と当選役非対応演出のいずれを行うかを決定する。ここで、当選役対応演出とは、当選図柄の組合せを補助表示部６５に表示する示唆演出であり、当選役非対応演出とは、当選図柄の組合せを補助表示部６５に表示しないものの何らかの役に当選したことを示唆する示唆演出である。例えば、第１チェリーに当選している状況で当選役対応演出を行う場合には、第１チェリー図柄たる「赤チェリー」図柄を補助表示部６５に表示し、第２チェリーに当選している状況で当選役対応演出を行う場合には、第２チェリー図柄たる「青チェリー」図柄を補助表示部６５に表示する。一方、第１チェリー等の何らかの役に当選している状況で当選役非対応演出を行う場合には、例えば「何かに当選したよ」という音声をスピーカ６４から出力する。なお、遊技状態がＲＴ状態であって第１チェリー又は第２チェリーに当選している状況における演出判定処理では、必ず示唆演出を行うと判定し、当選役対応演出と当選役非対応演出のいずれを行うかを決定する。
【０１３２】
ステップＳ９０３にていずれの役にも当選していないと判定した場合、又はステップＳ９０４にて演出判定処理を実行した場合には、ステップＳ９０５に進み、ストップスイッチ４２〜４４の適正な操作タイミングを指定するための操作位置指定処理を実行する。その後、ステップＳ９０６にて補助演出部に示唆演出等を行わせるべく補助演出部を駆動制御する駆動制御処理を実行し、本処理を終了する。
【０１３３】
ステップＳ９０５の操作位置指定処理について、図２２のフローチャートを用いて説明する。
【０１３４】
ステップＳ１００１では、今回のゲームで示唆演出を行うか否かを判定する。示唆演出を行う場合には、ステップＳ１００２に進み、示唆演出が当選役対応演出であるか否かを判定する。当選役対応演出である場合には、ステップＳ１００３に進み、当選役が第１チェリー又は第２チェリーであるか否かを判定する。当選役が第１チェリー又は第２チェリーである場合には、ステップＳ１００４にて状況判断処理を実行し、本処理を終了する。
【０１３５】
状況判断処理の説明に先立ち、第１チェリー又は第２チェリーに当選した場合の遊技者の有利度合いについて説明する。
【０１３６】
先ず、左リール３２Ｌの図柄配列について簡単に説明する。左リール３２Ｌには、第１チェリー図柄たる「赤チェリー」図柄は３番の位置に１つだけ配置されており、第２チェリー図柄たる「青チェリー」図柄は１６番の位置に１つだけ配置されている。このため、第１チェリー入賞を成立させる場合には、１８番の「リプレイ」図柄〜３番の「赤チェリー」図柄が下段に到達している際に左ストップスイッチ４２を操作する必要があり、第２チェリー入賞を成立させる場合には、１０番の「ベル」図柄〜１６番の「青チェリー」図柄が下段に到達している際に左ストップスイッチ４２を操作する必要がある。つまり、第１チェリー入賞を成立させるべく左ストップスイッチ４２を操作した場合には、第２チェリー入賞が成立せず、第２チェリー入賞を成立させるべく左ストップスイッチ４２を操作した場合には、第１チェリー入賞が成立しない。また、４番の「ベル」図柄〜９番の「リプレイ」図柄、１７番の「スイカ」図柄が下段に到達している際に左ストップスイッチ４２を操作した場合には、第１チェリー入賞と第２チェリー入賞のいずれも成立しない。したがって、示唆演出が行われなかった場合又は当選役非対応演出が行われた場合、遊技者は、第１チェリーと第２チェリーのいずれに当選しているのかを推測した上で左ストップスイッチ４２を操作する必要がある。
【０１３７】
第１チェリー又は第２チェリーに当選した場合、当選役と対応するチェリー入賞を成立させれば４枚のメダル払出が行われ、チェリー入賞を成立させなければメダル払出が行われない。１回のゲームには３枚のメダルが必要なため、当選役と対応するチェリー入賞を成立させれば遊技者の所有するメダルが１枚増加し、チェリー入賞を成立させなければメダルが３枚減少することとなる。つまり、１回のゲームで比較した場合には、当選役と対応するチェリー入賞を成立させれば遊技者の所有するメダルが１枚増加し、チェリー入賞を成立させなければメダルが３枚減少することとなるため、当選役と対応するチェリー入賞を成立させた方が遊技者の所有するメダルが多くなる。しかしながら、ＲＴ状態下で第１チェリー入賞又は第２チェリー入賞を成立させた場合、遊技状態がＲＴ状態から通常状態に復帰することとなる。このため、本実施の形態では、ＲＴ状態に移行してから９９回のゲームを行う場合、第１チェリー入賞及び第２チェリー入賞を成立させることなくゲームを行う場合の方が、第１チェリー入賞及び第２チェリー入賞を成立させつつゲームを行う場合よりも多くのメダルを獲得することが期待できるようになっており、ＲＴ状態に移行してから１００回目のゲームに限り、第１チェリー入賞及び第２チェリー入賞を成立させた場合の方が成立させない場合よりも多くのメダルを獲得することが期待できるようになっている。換言すれば、ＲＴ状態下で第１チェリー又は第２チェリーに当選した場合には、ＲＴ状態に移行してから１００回目のゲームを除き、当選役と対応するチェリー入賞を成立させない方が遊技者の有利度合いが大きくなる。
【０１３８】
さて、状況判断処理では、図２３のフローチャートに示すように、ステップＳ１１０１にて当選役が第１チェリーであるか否かを判定する。第１チェリーである場合には、ステップＳ１１０２にて現在の遊技状態がＲＴ状態か否かを判定し、ＲＴ状態である場合には、さらにステップＳ１１０３にて現在のゲームがＲＴ状態の最終ゲームであるか、すなわちＲＴ状態に移行してから１００ゲーム目であるか否かを判定する。上述したとおり、現在の遊技状態がＲＴ状態でない場合又はＲＴ状態の最終ゲームである場合、遊技者の獲得メダル数は、第１チェリー入賞を成立させないよりも成立させた方が多くなる。そこで、ステップＳ１１０４では、第１チェリー入賞を成立させる際のストップスイッチ４２〜４４の操作タイミングを示す操作情報を設定する（操作情報設定処理）。具体的には、左操作情報として、左リール３２Ｌの「赤チェリー」図柄が付された図柄番号を示す「３」をセットし、中操作情報として、任意の操作タイミングで良いことを示す「２１」をセットし、右操作情報として、任意の操作タイミングで良いことを示す「２１」をセットする。一方、現在のゲームがＲＴ状態の最終ゲームでない場合（ステップＳ１１０３がＮＯの場合）、遊技者の獲得メダル数は、第１チェリー入賞を成立させるよりも成立させない方が結果的に多くなる。そこで、ステップＳ１１０５では、第１チェリー入賞の成立を回避させる際のストップスイッチ４２〜４４の操作タイミングを示す操作情報を設定する（操作情報設定処理）。具体的には、左操作情報として、左リール３２Ｌの当選図柄でない「青チェリー」図柄が付された図柄番号を示す「１６」をセットし、中操作情報として、任意の操作タイミングで良いことを示す「２１」をセットし、右操作情報として、任意の操作タイミングで良いことを示す「２１」をセットする。
【０１３９】
ステップＳ１１０１にて当選役が第１チェリーでないと判定した場合には、当選役が第２チェリーであることを意味する。かかる場合には、ステップＳ１１０６にて現在の遊技状態がＲＴ状態か否かを判定し、ＲＴ状態である場合には、さらにステップＳ１１０７にて現在のゲームがＲＴ状態の最終ゲームであるかを判定する。上述したとおり、現在の遊技状態がＲＴ状態でない場合又はＲＴ状態の最終ゲームである場合、遊技者の獲得メダル数は、第２チェリー入賞を成立させないよりも成立させた方が多くなる。そこで、ステップＳ１１０８では、第２チェリー入賞を成立させる際のストップスイッチ４２〜４４の操作タイミングを示す操作情報を設定する。具体的には、左操作情報として、左リール３２Ｌの「青チェリー」図柄が付された図柄番号を示す「１６」をセットし、中操作情報として、任意の操作タイミングで良いことを示す「２１」をセットし、右操作情報として、任意の操作タイミングで良いことを示す「２１」をセットする。一方、現在のゲームがＲＴ状態の最終ゲームでない場合（ステップＳ１１０７がＮＯの場合）、遊技者の獲得メダル数は、第２チェリー入賞を成立させるよりも成立させない方が結果的に多くなる。そこで、ステップＳ１１０９では、第２チェリー入賞の成立を回避させる際のストップスイッチ４２〜４４の操作タイミングを示す操作情報を設定する。具体的には、左操作情報として、左リール３２Ｌの当選図柄でない「赤チェリー」図柄が付された図柄番号を示す「３」をセットし、中操作情報として、任意の操作タイミングで良いことを示す「２１」をセットし、右操作情報として、任意の操作タイミングで良いことを示す「２１」をセットする。
【０１４０】
ここで、操作情報とは、補助表示部６５等の補助演出部に出力されるのではなく、表示制御基板８１ａのＣＰＵ８２からバッファ回路ＩＣ非搭載領域８５ａ及びコネクタ非搭載領域８４ａを経由して外部に出力されるデータ信号である。つまり、操作情報とは、バッファ回路ＩＣ非搭載領域８５ａにバッファ回路ＩＣが搭載されるとともにコネクタ非搭載領域８４ａにコネクタが搭載されることで外部に出力可能となるデータ信号である。換言すれば、操作情報とは、バッファ回路ＩＣ非搭載領域８５ａにバッファ回路ＩＣが搭載されておらず、コネクタ非搭載領域８４ａにコネクタが搭載されていない場合、ＣＰＵ８２の出力ポート（操作情報出力手段）からは出力されているものの、表示制御装置８１の外部には出力されていないデータ信号である。なお、操作情報の作用については後述することとする。
【０１４１】
操作位置指定処理の説明に戻り、ステップＳ１００２にて示唆演出が当選役対応演出でないと判定した場合、又はステップＳ１００３にて当選役が第１チェリー及び第２チェリー以外の役であると判定した場合には、ステップＳ１００５にて操作情報設定処理を実行し、本処理を終了する。
【０１４２】
ステップＳ１００５の操作情報設定処理では、示唆演出が第１チェリー及び第２チェリー以外の当選役と対応した当選役対応演出である場合、左，中，右の各操作情報として当選図柄が付された図柄番号を示す情報をセットする。例えば、当選役がスイカである場合には、左操作情報として、左リール３２Ｌの「スイカ」図柄が付された図柄番号を示す「６」をセットし、中操作情報として、中リール３２Ｍの「スイカ」図柄が付された図柄番号を示す「３」をセットし、右操作情報として、右リール３２Ｒの「スイカ」図柄が付された図柄番号を示す「１」をセットする。
【０１４３】
また、示唆演出が当選役非対応演出である場合には、以下の操作情報をセットする。
【０１４４】
遊技状態が通常状態である場合、又はＲＴ状態の最終ゲームである場合には、左操作情報として、「赤チェリー」図柄が付された図柄番号を示す「３」をセットし、中及び右の操作情報として、当選役と対応する入賞を成立させることができる図柄番号を示す情報をセットする。かかる操作情報を設定する理由は、以下のとおりである。本スロットマシン１０では、取りこぼしの発生し得る入賞として各チェリー入賞、スイカ入賞、ベル入賞がある。そこで、当選役非対応演出が行われた場合、遊技者は、通常状態であれば取りこぼしが発生しないように、各ストップスイッチ４２〜４４を操作するものと想定される。左リール３２Ｌには、「赤チェリー」図柄と隣接する２番及び４番の位置に「ベル」図柄が配置されており、「赤チェリー」図柄から２図柄分離れた０番及び６番の位置に「スイカ」図柄が配置されている。このため、「赤チェリー」図柄を上段，中段，下段のいずれかに到達させることが可能なタイミングで左ストップスイッチ４２を操作するとともに、左リール３２Ｌの停止結果に基づいて他のストップスイッチ４３，４４を操作した場合には、第２チェリーに当選している場合を除いて取りこぼしの発生を回避することができる。したがって、通常状態下で当選役非対応演出が行われた場合、遊技者は上述したタイミングでストップスイッチ４２〜４４を操作する可能性が高いと想定されるからである。また、第１チェリーの当選確率と第２チェリーの当選確率は共に約１４分の１であり、左リール３２Ｌの「赤チェリー」図柄と「青チェリー」図柄のいずれを狙って左ストップスイッチ４２が操作された場合であっても、チェリー入賞を取りこぼす確率は２分の１である。したがって、左操作情報として「赤チェリー」図柄が付された図柄番号を示す「３」をセットすることにより、遊技者が「赤チェリー」図柄と「青チェリー」図柄を狙い分けた場合と同様、２分の１の確率でチェリー入賞を取りこぼすこととなるからである。
【０１４５】
遊技状態がＲＴ状態であって当該ＲＴ状態の最終ゲーム以外である場合には、左操作情報として「４」をセットし、中及び右の操作情報として、当選役と対応する入賞を成立させることができる図柄番号を示す情報をセットする。かかる操作情報を設定する理由は、以下のとおりである。上述したとおり、ＲＴ状態では、現在のゲームが最終ゲームでない場合、第１チェリー入賞を成立させるよりも成立させない方が遊技者の獲得メダル数が結果的に多くなる。そこで、かかる状況で当選役非対応演出が行われた場合、遊技者は、第１チェリー入賞及び第２チェリー入賞の成立を回避しつつ、スイカ入賞とベル入賞は成立するように、各ストップスイッチ４２〜４４を操作するものと想定される。そして、左リール３２Ｌの４番の「ベル」図柄が下段に到達しているタイミングで左ストップスイッチ４２を操作するとともに、左リール３２Ｌの停止結果に基づいて他のストップスイッチ４３，４４を操作した場合には、第１チェリー入賞及び第２チェリー入賞の成立を回避しつつ、スイカ入賞とベル入賞の取りこぼしの発生を回避することができるからである。
【０１４６】
ステップＳ１００１にて示唆演出を行わないと判定した場合には、ステップＳ１００６に進み、左，中，右の各操作情報として、任意の操作タイミングで良いことを示す「２１」をセットし、本処理を終了する。
【０１４７】
次に、本スロットマシン１０の性能試験を行う際の構成について説明する。
【０１４８】
図２４は、性能試験時の試験装置を示す概略構成図である。性能試験を行う際には、図２４に示すように、スロットマシン１０の主制御装置１０１と第１中継端子基板２０１とをハーネス等の電気配線を通じて接続し、該第１中継端子基板２０１と性能試験機３０１とをハーネス等の電気配線を通じて接続する。また、スロットマシン１０の表示制御装置８１と第２中継端子基板２０２とをハーネス等の電気配線を通じて接続し、該第２中継端子基板２０２と性能試験機３０１とをハーネス等の電気配線を通じて接続する。上述した通り、表示制御基板８１ａの実装面には、コネクタ非搭載領域８４ａとバッファ回路ＩＣ非搭載領域８５ａとが設けられている（図２０参照）。性能試験を行う際には、先ずこれら各非搭載領域８４ａ，８５ａにバッファ回路ＩＣ及び試験用コネクタを搭載し、該試験用コネクタと第２中継端子基板２０２の入力用コネクタとをハーネス等の電気配線を通じて接続する。第１中継端子基板２０１及び第２中継端子基板２０２は、対応する制御装置１０１，８１から出力されたデータ信号を中継するためのものであり、データ信号を加工する等の処理は行っていない。性能試験機３０１は、各中継端子基板２０１，２０２から出力されたデータ信号に基づいてスロットマシン１０のメダル払出性能等の性能データを取得するためのものである。
【０１４９】
ここで、具体的な例として、１ゲームの開始から終了までを説明する。但し、データ信号の加工に関与しない各中継端子基板２０１，２０２の説明は省略することとする。
【０１５０】
ゲームを開始する場合、性能試験機３０１は、規定数のメダルを投入したことを示す投入信号と、スタートレバー４１を操作したことを示す開始信号と、を主制御装置１０１に対して出力する。主制御装置１０１は、投入信号及び開始信号が入力された場合、通常処理のステップＳ２０６にて肯定判定をし、性能試験機３０１及び表示制御装置８１に対して開始コマンドを出力する（図１１参照）。その後、主制御装置１０１は抽選処理を実行し、抽選結果コマンドを性能試験機３０１及び表示制御装置８１に対して出力する（図１２参照）。
【０１５１】
表示制御装置８１は、抽選結果コマンドが入力された場合、抽選結果コマンド処理を実行し、各ストップスイッチ４２〜４４の操作タイミングを示す左操作情報、中操作情報、右操作情報を性能試験機３０１に対して出力する。このとき、表示制御装置８１は、示唆演出を行うか否かを示すデータ信号や、示唆演出の種別を示すデータ信号を性能試験機３０１に出力しない。
【０１５２】
主制御装置１０１は、各リール３２Ｌ，３２Ｍ，３２Ｒの回転を開始させた場合、回転開始コマンドを性能試験機３０１及び表示制御装置８１に対して出力し、各リール３２Ｌ，３２Ｍ，３２Ｒが定速回転となった場合には、定速回転コマンドを性能試験機３０１及び表示制御装置８１に対して出力する。また、主制御装置１０１は、各リール３２Ｌ，３２Ｍ，３２Ｒのそれぞれに設置されているリールインデックスセンサからの検出信号が入力される都度、性能試験機３０１に対していずれのリールが１回転したのかを示す回転信号を出力する。
【０１５３】
性能試験機３０１は、定速回転コマンドが入力されることにより、停止指令を発生させることが可能となったことを把握し、回転信号が入力されることにより、表示窓２６Ｌ，２６Ｍ，２６Ｒから視認可能な状態となっている図柄を把握する。図柄の把握についてより詳細に説明すると、各リールインデックスセンサは、各リール３２Ｌ，３２Ｍ，３２Ｒの０番の図柄が下段に位置する場合に検出信号を出力するように設置されており、主制御装置１０１は、１．４９ｍｓｅｃごとに励磁パルスを出力する（タイマ割込み処理のステッピングモータ制御処理Ｓ１０６、図１０参照）ことで各リール３２Ｌ，３２Ｍ，３２Ｒを回転させる。そこで、性能試験機３０１は、回転信号が入力されてからの経過時間を把握することにより、表示窓２６Ｌ，２６Ｍ，２６Ｒから視認可能な状態となっている図柄、より詳しくは各リール３２Ｌ，３２Ｍ，３２Ｒの下段に位置している図柄番号を把握する。そして、性能試験機３０１は、定速回転コマンドの入力後に左リール３２Ｌの下段に位置している図柄番号が左操作情報の示す図柄番号となる若干前（より詳しくは５ｍｓｅｃ前）のタイミングになった場合、左ストップスイッチ４２を操作したことを示す左停止操作信号を主制御装置１０１に対して出力する。主制御装置１０１は、左停止操作信号が入力された場合、左リール３２Ｌを停止させ、性能試験機３０１及び表示制御装置８１に対して回転情報コマンドと停止図柄コマンドを出力する。性能試験機３０１は、停止図柄コマンドの入力後に中リール３２Ｍの下段に位置している図柄番号が中操作情報の示す図柄番号となる若干前（より詳しくは５ｍｓｅｃ前）のタイミングになった場合、中ストップスイッチ４３を操作したことを示す中停止操作信号を主制御装置１０１に対して出力する。主制御装置１０１は、中停止操作信号が入力された場合、中リール３２Ｍを停止させ、性能試験機３０１及び表示制御装置８１に対して回転情報コマンドと停止図柄コマンドを出力する。性能試験機３０１は、中リール３２Ｍの停止図柄コマンドの入力後に右リール３２Ｒの下段に位置している図柄番号が右操作情報の示す図柄番号となる若干前（より詳しくは５ｍｓｅｃ前）のタイミングになった場合、右ストップスイッチ４４を操作したことを示す右停止操作信号を主制御装置１０１に対して出力する。主制御装置１０１は、右停止操作信号が入力された場合、右リール３２Ｒを停止させ、性能試験機３０１及び表示制御装置８１に対して回転情報コマンドと停止図柄コマンドを出力する。なお、性能試験機３０１は、操作情報として「２１」が入力されている場合、定速回転コマンド又は停止図柄コマンドが入力されてから予め定めた規定時間が経過した場合に、主制御装置１０１に対して停止操作信号を出力する。
【０１５４】
全リール３２Ｌ，３２Ｍ，３２Ｒが停止した場合、主制御装置１０１は、払出判定処理やＢＢ状態処理等の各種処理を実行し、入賞コマンドや状態コマンド、払出メダル数を示す払出数コマンド等を性能試験機３０１に対して出力する。そして、開始待ち処理に移行した場合には、次回のゲームを開始可能であることを示す開始待ちコマンドを性能試験機３０１に対して出力する。
【０１５５】
以上詳述した本実施の形態によれば、以下の優れた効果を奏する。
【０１５６】
表示制御装置８１は、操作位置指定処理において、示唆演出の実行有無や示唆演出の種別を判定し、ストップスイッチ４２〜４４の適正な操作タイミングを指定するための操作情報を設定する構成とした。かかる構成とすることにより、人が実際に示唆演出を確認しながらメダル払出性能の測定に必要な回数の遊技を行わずとも、性能試験機を用いて前記回数の遊技を行うことでスロットマシン１０のメダル払出性能を把握することができる。故に、比較的容易にスロットマシン１０の性能試験を行うことが可能となる。
【０１５７】
確かに、上記操作情報を設定せず、当選役と対応する入賞が成立するように性能試験機３０１から停止操作信号を出力して性能試験を行うことも可能である。しかしながら、かかる構成においては、通常状態下で取りこぼしが発生せず、ＲＴ状態が第１チェリー又は第２チェリーに当選したゲームで終了することとなるため、遊技場等で遊技者が実際に遊技を行った場合のメダル払出性能と、性能試験機３０１を用いて取得したメダル払出性能と、に差異が生じることとなる。このため、スロットマシン１０を製造する製造業者等が、スロットマシン１０の開発段階で正確なメダル払出性能を把握することができない。また、かかる懸念を解消すべく、人が実際に示唆演出を確認しながらメダル払出性能の測定に必要な回数の遊技を行って性能試験を行った場合、性能試験に必要な時間が長大なものとなったり、人的コストが多大なものとなったりする。一方、示唆演出の実行有無や示唆演出の種別を判定し、ストップスイッチ４２〜４４の適正な操作タイミングを指定するための操作情報を設定する構成においては、上記各懸念を解消することができ、好適な形で性能試験を行うことが可能となる。
【０１５８】
また、かかる構成とすることにより、表示制御装置８１に対して示唆演出に関わる不正がなされた場合に、当該不正を容易に発見することが可能となる。前記不正としては、例えば当選役非対応演出の選択頻度を低減させるとともに当選役対応演出の選択頻度を高め、通常状態においては取りこぼしの発生頻度を低減させ、ＲＴ状態においてはチェリー入賞成立に伴うＲＴ状態の終了を回避させる不正が考えられる。より具体的には、示唆演出を行うと決定した場合には必ず当選役対応演出を行わせる不正や、何らかの役に当選した場合には必ず当選役対応演出を行わせる不正等が考えられる。かかる不正がなされた場合、遊技場等において不正に多くのメダルが獲得される可能性が懸念される一方、前記不正が実際になされているのか否かを判断することが困難なものとなる。遊技場等には多くのスロットマシンが設置されていることが一般的であり、当選役対応演出の発生頻度を確認することが困難だからである。また、当選役対応演出の選択頻度が高い場合であっても、不正によって選択頻度が高いのか、演出判定処理における判定の片寄りによって一時的に選択頻度が高いのかを見極めることが困難だからである。そこで、遊技場等の管理者等やスロットマシン１０を製造する製造業者等が実際に当選役対応演出の発生頻度を確かめることが可能な回数の遊技を行って不正の有無を確認しようとした場合、不正の発見までに要する時間が長大なものとなり、不正の発見が遅れてしまう可能性が懸念される。また、人的コストの問題も懸念される。一方、示唆演出の実行有無や示唆演出の種別を判定し、ストップスイッチ４２〜４４の適正な操作タイミングを指定するための操作情報を設定する構成においては、性能試験機３０１を用いて機械的に遊技を行った場合であっても、人が実際に遊技を行った場合と同様のメダル払出性能を得ることができ、当該測定から得られたメダル払出性能とスロットマシン１０本来のメダル払出性能とを比較することで不正の有無を確認することができる。
【０１５９】
さらには、性能試験機３０１による不正の発見を困難なものとすべく、当選役対応演出を行うと決定した場合に所定確率で当選役非対応演出を行うと決定した場合の操作情報設定処理を行わせる不正、すなわち行われる示唆演出と設定される操作情報とが一致しない不正がなされる可能性も考えられる。具体例を挙げると、示唆演出を行うと決定した場合の２分の１の確率で当選役対応演出を選択し、２分の１の確率で当選役非対応演出を選択する構成において、示唆演出を行うと決定した場合に必ず当選役対応演出を選択するよう不正を行うとともに、操作位置指定処理のステップＳ１００２において肯定判定をした場合に２分の１の確率でステップＳ１００５の操作情報設定処理に進むよう不正を行う。かかる不正がなされた場合、補助表示部６５では示唆演出として常に当選役対応演出が行われる一方、操作情報としては２分の１の確率で当選役非対応演出と対応する操作情報が設定されるため、性能試験機３０１を用いた試験では不正の発見が困難なものとなる。しかしながら、かかる不正は、性能試験機３０１による性能試験の進行を人が確認していれば、示唆演出と停止出目との間で不一致が発生するため、当選役対応演出の発生頻度を確かめることが可能な回数よりも少ない回数で容易に発見することができる。例えば、通常状態でスイカ当選を示唆する当選役対応演出が行われているにも関わらずスイカ入賞が成立しない等の事象が発生するからである。
【０１６０】
以上の結果、表示制御装置８１に対して示唆演出に関わる不正がなされた場合に、当該不正を容易に発見することが可能となる。
【０１６１】
さらにまた、主制御装置１０１は、基板ボックス自体のみならず筐体１１とも封印処理がなされている、すなわち機能が異なる封印処理が複数なされているため、不正防止効果が高い。一方、表示制御装置８１は、基板ボックスのみに封印処理がなされているため、主制御装置１０１と比して不正をなされる可能性が高く、表示制御基板８１ａのＲＯＭが不正ＲＯＭに交換される可能性が懸念される。
【０１６２】
かかる不正ＲＯＭを発見する方法として、上述したような性能試験機３０１を用いた遊技を行って不正を発見するのではなく、ＲＯＭを解析することで不正を発見する方法が考えられる。しかしながら、示唆演出に関わる制御を主制御装置１０１ではなく表示制御装置８１が実行する構成においては、性能試験機３０１を用いた場合よりも不正の発見が遅れてしまう可能性が懸念される。主制御装置１０１のＲＯＭは、不正防止の観点から最大でも１６キロバイトであり、容量が比較的小さいために容易に解析することができる一方、表示制御装置８１のＲＯＭは、演出の多様化やグラフィック性能の向上を図った結果としてその容量が主制御装置１０１のＲＯＭと比して非常に大きくなっており、解析に多大な時間を要するからである。
【０１６３】
また、ＣＰＵとＲＯＭが表示制御基板に別個に搭載されている構成においては、ＣＰＵとＲＯＭの電気的な接続を切断し、当該正規ＲＯＭを表示制御基板上に搭載したまま他の位置に不正ＲＯＭを搭載し、当該不正ＲＯＭとＣＰＵを電気的に接続する不正がなされる可能性がある。かかる不正がなされた場合、ＲＯＭ解析を行ったとしても不正を発見することができない。解析されるＲＯＭは正規ＲＯＭだからである。他の位置に不正ＲＯＭが搭載されているのであれば表示制御基板を目視することで前記不正ＲＯＭを発見できるという考えもあるが、表示制御基板の実装面には多数の電子部品が搭載されているため、目視で不正ＲＯＭを発見することは困難である。一方、性能試験機３０１を用いた遊技を行った場合には、不正ＲＯＭのプログラムに基づいてＣＰＵが動作するため、不正ＲＯＭが搭載されていることを容易に発見することができる。
【０１６４】
当選役対応演出を行う場合、当選役が第１チェリー及び第２チェリー以外の役であれば、左，中，右の各操作情報として当選図柄が付された図柄番号を示す情報をセットし、当選役が第１チェリー又は第２チェリーであれば、左，中，右の各操作情報として遊技者の獲得メダル数が多くなるように図柄番号を示す情報をセットする構成とした。一般の遊技者は、より多くのメダルを獲得することを期待しながら遊技を行うものと想定される。そこで、かかる構成とすることにより、遊技者が遊技場等で実際に遊技を行った場合のメダル払出性能を性能試験で把握することが可能となり、好適な形で性能試験を行うことが可能となる。
【０１６５】
第１チェリー又は第２チェリーに当選している状況で当選役対応演出を行うと決定した場合、状況判断処理を行い、当選役と対応するチェリー入賞を成立させることができる操作情報、又は当選役と対応するチェリー入賞の成立を回避させることができる操作情報を設定する構成とした。第１チェリー入賞又は第２チェリー入賞が成立した場合には、４枚のメダル払出が行われるという遊技者に有利な特典が付与される一方、ＲＴ状態下では当該ＲＴ状態が終了してしまうという遊技者に不利な特典が付与されることとなる。このため、より多くのメダルの獲得を期待する遊技者は、第１チェリー又は第２チェリーに当選した際の遊技状態や、ＲＴ状態下であればＲＴ状態に移行してからのゲーム数等を考慮し、当選役と対応するチェリー入賞を成立させるか否かを判断するものと想定される。そこで、状況判断処理を行って操作情報を設定する構成とすることにより、遊技者が遊技場等で実際に遊技を行った場合のメダル払出性能を性能試験で把握することが可能となり、好適な形で性能試験を行うことが可能となる。
【０１６６】
通常状態又はＲＴ状態の最終ゲームで当選役非対応演出を行う場合、左操作情報として、「赤チェリー」図柄が付された図柄番号を示す「３」をセットし、中及び右の操作情報として、当選役と対応する入賞を成立させることができる図柄番号を示す情報をセットする構成とした。より多くのメダルの獲得を期待する遊技者は、当選役は分からないものの何らかの役に当選していることを察知した場合、通常状態又はＲＴ状態の最終ゲームであれば取りこぼしが発生しないように、各ストップスイッチ４２〜４４を操作するものと想定される。故に、かかる構成とすることにより、遊技者が遊技場等で実際に遊技を行った場合のメダル払出性能を性能試験で把握することが可能となり、好適な形で性能試験を行うことが可能となる。
【０１６７】
示唆演出を行わない場合、左，中，右の各操作情報として、任意の操作タイミングで良いことを示す「２１」をセットする構成とした。かかる構成とすることにより、遊技場等で遊技者が実際に遊技を行った場合のメダル払出性能と、性能試験機３０１を用いて取得したメダル払出性能と、の間に生じる差異を小さくすることが可能となる。確かに、より多くのメダルの獲得を期待する遊技者は、示唆演出が行われない状況であっても取りこぼしの発生頻度が低減するように各ストップスイッチ４２〜４４を操作する可能性が考えられる。しかしながら、図柄を狙ってストップスイッチ４２〜４４を操作する技量の劣った遊技者や、遊技を長時間行う遊技者は、示唆演出が行われない状況下で図柄を狙うことなくストップスイッチ４２〜４４を操作するものと想定されるからである。
【０１６８】
主制御装置１０１ではなく表示制御装置８１が操作位置指定処理を実行し、ストップスイッチ４２〜４４の適正な操作タイミングを指定するための操作情報を設定する構成とした。かかる構成とすることにより、性能試験を行う際に必要であって実際の遊技に不必要な処理で主制御装置１０１の処理負荷が増大化することを回避できる。
【０１６９】
表示制御基板８１ａには、コネクタ非搭載領域８４ａ及びバッファ回路ＩＣ非搭載領域８５ａを結ぶ導体パターンを予めプリントしておく一方、これら非搭載領域８４ａ，８５ａに対応する電子部品を搭載しない構成とした。前記導体パターンを予めプリントしておくことにより、好適に性能試験を行うことが可能となる。確かに、性能試験用の導電パターンがプリントされた試験用基板を別途準備し、当該試験用基板にＣＰＵ８２等の電子部品を搭載して性能試験を行うことも可能である。しかしながら、試験用基板を用いて性能試験を行った場合、実際に販売されるスロットマシン１０に実装される表示制御基板８１ａと、性能試験に用いた基板とが異なっているため、性能試験を行う意味自体が失われてしまうこととなる。取得された性能データが実際に販売されるスロットマシン１０の性能データである保証がなくなってしまうからである。さらにいうと、性能試験専用に準備されたＣＰＵ等の電子部品を性能試験専用に準備された表示制御基板に搭載して性能試験を行うことも可能であるが、かかる場合には、販売されるスロットマシン１０の性能データである保証が全くなくなってしまうため、性能試験を行う意味ばかりでなく価値までもが失われてしまうこととなる。また、コネクタ非搭載領域８４ａとバッファ回路ＩＣ非搭載領域８５ａとを設けておくことにより、性能試験を行う際に前記各非搭載領域８４ａ，８５ａに対応する電子部品を搭載すればよく、性能試験を行わない例えば販売用のスロットマシン１０には搭載する必要がないため、スロットマシン１０のコストを低減させることが可能となる。確かに、販売用のスロットマシン１０であっても、コネクタ非搭載領域８４ａに試験用コネクタを搭載し、バッファ回路ＩＣ非搭載領域８５ａにバッファ回路ＩＣを搭載しておくことも可能である。しかしながら、かかる構成とした場合には、遊技場等において、コネクタ非搭載領域８４ａに搭載された試験用コネクタがハーネス等の電気配線に接続されていない状態となる。このため、試験用コネクタの出力端子から所定の信号をＣＰＵ８２に入力することでＣＰＵ８２を誤作動させるといった試験用コネクタの出力端子を悪用する不正がなされる可能性が考えられる。また、試験用コネクタまで操作情報が出力されることとなるため、試験用コネクタから操作情報を読み出して悪用する不正がなされる可能性も考えられる。一方、非搭載領域８４ａ，８５ａに対応する電子部品を搭載しない構成においては、前記各不正を防止することが可能となる。
【０１７０】
左リール３２Ｌには、第１チェリー入賞を成立させるべく左ストップスイッチ４２が操作された場合、第２チェリー入賞が成立せず、第２チェリー入賞を成立させるべく左ストップスイッチ４２が操作された場合、第１チェリー入賞が成立しないよう、「赤チェリー」図柄と「青チェリー」図柄を配置した。かかる構成においては、第１チェリー入賞又は第２チェリー入賞の成立する頻度やＲＴ状態下で実行できる平均ゲーム数が、第１チェリー又は第２チェリーに当選している状況で当選役対応演出が実行される頻度に依存することとなる。このため、当選役対応演出の実行に関わる不正がなされた場合、不正に多くのメダルを獲得される可能性が懸念される。そこで、示唆演出の実行有無や示唆演出の種別を判定し、ストップスイッチ４２〜４４の適正な操作タイミングを指定するための操作情報を設定する構成とすることにより、前記不正がなされた場合であっても当該不正を容易に発見することが可能となる。
【０１７１】
上記実施の形態では、４番の「ベル」図柄〜９番の「リプレイ」図柄が下段に到達している際に左ストップスイッチ４２を操作された場合、第１チェリー入賞及び第２チェリー入賞の成立を回避できる構成としたが、左ストップスイッチ４２の操作タイミングに関わらずいずれかのチェリー入賞が成立する可能性がある構成としても良い。そこで、第２の実施の形態として、かかる構成について説明する。なお、基本構成は上記実施の形態と同じであるため、ここでは上記実施の形態との相違点について説明する。
【０１７２】
図２５には、左リール３２Ｌ，中リール３２Ｍ，右リール３２Ｒの図柄配列が示されている。左リール３２Ｌには、「赤チェリー」図柄が３番と９番の位置に配置されており、「青チェリー」図柄が１６番と１７番の位置に配置されている。かかる構成においては、０番の「スイカ」図柄〜３番の「赤チェリー」図柄が下段に到達しているタイミングで左ストップスイッチ４２を操作された場合、３番の「赤チェリー」図柄を有効ライン上に停止させることが可能となる。４番の「ベル」図柄〜９番の「赤チェリー」図柄が下段に到達しているタイミングで左ストップスイッチ４２を操作された場合には、９番の「赤チェリー」図柄を有効ライン上に停止させることが可能となる。１０番の「リプレイ」図柄〜１７番の「青チェリー」図柄が下段に到達しているタイミングで左ストップスイッチ４２を操作された場合には、１６番又は１７番の「青チェリー」図柄を有効ライン上に停止させることが可能となる。１８番の「リプレイ」図柄〜２０番の「ベル」図柄が下段に到達しているタイミングで左ストップスイッチ４２を操作された場合には、３番の「赤チェリー」図柄を有効ライン上に停止させることが可能となる。つまり、かかる構成においては、左ストップスイッチ４２の操作タイミングに関わらず、第１チェリー入賞又は第２チェリー入賞の成立する可能性がある。
【０１７３】
次に、表示制御装置８１が行う演出判定処理（ステップＳ９０４、図２１参照）を、図２６のフローチャートに基づいて説明する。
【０１７４】
演出判定処理では、ステップＳ１２０１にて乱数を取得する。表示制御装置８１のＲＡＭには、定期的に更新されるとともに０〜６５５３５の値を生成可能なカウンタ領域が形成されており、ステップＳ１２０１では、そのときのカウンタ領域の値を乱数として取得する。続くステップＳ１２０２では、現在の遊技状態と対応する演出テーブルを選択する。図２７（ａ）は、通常状態で選択される演出テーブルであり、図２７（ｂ）は、ＲＴ状態で選択される演出テーブルである。演出テーブルには、乱数と演出番号との対応関係が定められている。ここで、演出番号「０」とは、示唆演出を行わないことを示す情報であり、演出番号「１」とは、当選役非対応演出を行うことを示す情報であり、演出番号「２」とは、当選役対応演出を行うことを示す情報である。つまり、演出テーブルには、乱数と、示唆演出を行うか否か及び示唆演出を行う場合の演出種別と、の対応関係が定められている。ステップＳ１２０３では、選択した演出テーブルを参照し、取得した乱数と対応する演出番号をＲＡＭにセットする。
【０１７５】
ちなみに、通常状態では、何らかの役に当選している場合、約８０パーセントの割合で演出番号「０」がセットされ、約１４パーセントの割合で演出番号「１」がセットされ、約６パーセントの割合で演出番号「２」がセットされる。また、通常状態では、何らかの役に当選している場合、５０パーセントの割合で演出番号「１」がセットされ、５０パーセントの割合で演出番号「２」がセットされる。
【０１７６】
ステップＳ１２０４では、セットされている演出番号が０か否か、すなわち示唆演出を行わないか否かを判定する。演出番号が０である場合には、そのまま本処理を終了し、演出番号が０でない場合には、ステップＳ１２０５にて補助演出部を駆動制御するための演出データを取得した後に本処理を終了する。より詳しくは、ステップＳ１２０５では、セットされている演出番号と当選役を参照し、ＲＯＭに記憶された演出データのうち対応する演出データを表示制御装置８１のＲＡＭに読み込む処理を行う。例えば、第１チェリーに当選し、演出番号「２」がセットされている場合には、第１チェリーと対応する当選役対応演出を行うための演出データをＲＡＭに読み込む。そして、駆動制御処理（ステップＳ９０６、図２１参照）では、ＲＡＭに読み込んだ演出データを補助演出部に対して順次出力する。これにより、補助演出部において示唆演出が行われることとなる。
【０１７７】
ここで、第１チェリー又は第２チェリーに当選した場合の示唆演出を、図２８に基づいて説明する。第１チェリーに当選した場合の当選役対応演出では、図２８（ａ）に示すように、第１停止指令を発生させることが可能となる前段階で補助表示部６５に「赤チェリー」図柄が表示される。これにより、遊技者は、第１チェリーに当選したことを把握でき、そのときの遊技状況によって第１チェリー入賞を成立させるか否かを判断した上で左ストップスイッチ４２を操作することができる。第２チェリーに当選した場合の当選役対応演出では、図２８（ｂ）に示すように、第１停止指令を発生させることが可能となる前段階で補助表示部６５に「青チェリー」図柄が表示される。これにより、遊技者は、第２チェリーに当選したことを把握でき、そのときの遊技状況によって第２チェリー入賞を成立させるか否かを判断した上で左ストップスイッチ４２を操作することができる。第１チェリー又は第２チェリーに当選した場合の当選役非対応演出では、図２８（ｃ）に示すように、第１停止指令を発生させることが可能となる前段階で補助表示部６５に「白チェリー」図柄が表示される。図２５に示すように、「白チェリー」図柄は各リール３２Ｌ，３２Ｍ，３２Ｒに付されていない。したがって、遊技者は、第１チェリーと第２チェリーのいずれかに当選したことを把握できるものの、いずれに当選したのかを把握できない。この結果、かかる示唆演出が行われた場合、遊技者はいずれのチェリーに当選したのかを推測した上で左ストップスイッチ４２を操作する必要がある。
【０１７８】
なお、本実施の形態における操作位置指定処理（図２２参照）では、第１チェリー又は第２チェリーに当選するとともに示唆演出が当選役非対応演出である場合、左操作情報として、「赤チェリー」図柄が付された図柄番号を示す「３」をセットし、中及び右の操作情報として、任意の操作タイミングで良いことを示す「２１」をセットする。かかる操作情報を設定する理由は、以下のとおりである。上述したとおり、本実施の形態では、左ストップスイッチ４２を如何なるタイミングで操作した場合であっても第１チェリー入賞又は第２チェリー入賞の成立する可能性がある。また、第１チェリーの当選確率と第２チェリーの当選確率は共に約１４分の１であり、左リール３２Ｌの「赤チェリー」図柄と「青チェリー」図柄のいずれを狙って左ストップスイッチ４２が操作された場合であっても、チェリー入賞を取りこぼす確率は２分の１である。したがって、左操作情報として「赤チェリー」図柄が付された図柄番号を示す「３」をセットすることにより、遊技者が「赤チェリー」図柄と「青チェリー」図柄を狙い分けた場合と同様、２分の１の確率でチェリー入賞を取りこぼすこととなるからである。
【０１７９】
次に、性能試験機３０１の構成を図２９に基づいて説明する。
【０１８０】
性能試験機３０１は、ＣＰＵ３０２を中心とするマイクロコンピュータと、定期的に更新されるとともに乱数を生成するための乱数生成器３１１と、性能試験結果を表示するためのデータ表示部３１２と、を有している。ＣＰＵ３０２には、このＣＰＵ３０２によって実行される各種の制御プログラムや固定値データを記憶したＲＯＭ３０３と、このＲＯＭ３０３に記憶されている制御プログラムを実行するにあたって各種のデータを一時的に記憶する作業エリアを確保するためのＲＡＭ３０４の他に、図示はしないが周知のように割込み回路を始めとしてタイマ回路、データ送受信回路など必要な各種の処理回路が内蔵されている。ＲＡＭ３０４には、スロットマシン１０の主制御装置１０１や表示制御装置８１から入力された各種の情報を一時的に記憶するためのメモリや、当選役を記憶するための当選役記憶エリア３０４ａ、左操作情報を記憶するための左操作情報記憶エリア３０４ｂ、中操作情報を記憶するための中操作情報記憶エリア３０４ｃ、右操作情報を記憶するための右操作情報記憶エリア３０４ｄ、停止指令を発生させるリールを指定するための指定リール記憶エリア３０４ｅ、乱数を記憶するための乱数記憶エリア３０４ｆ等が設けられている。
【０１８１】
次に、性能試験を行う場合に性能試験機３０１が行う性能測定処理を、図３０のフローチャートに基づいて説明する。
【０１８２】
先ず、ステップＳ１３０１では、主制御装置１０１から開始待ちコマンドを受信したか否かを判定し、受信していない場合にはそのまま待機する。開始待ちコマンドを受信した場合には、ゲームを開始可能であることを意味するため、ステップＳ１３０２〜ステップＳ１３０８に示す遊技進行処理を行う。遊技進行処理として具体的には、ステップＳ１３０２にて前回のゲームで再遊技入賞が成立したか否かを判定する。再遊技入賞が成立しなかった場合には、ステップＳ１３０３にて規定数のメダルを投入したことを示す投入信号を主制御装置１０１に対して出力するための投入信号出力処理を行い、ステップＳ１３０４に進む。再遊技入賞が成立した場合には、主制御装置１０１が自動投入処理を行うため、投入信号出力処理を行うことなくステップＳ１３０４に進む。ステップＳ１３０４では、スタートレバー４１を操作したことを示す開始信号を主制御装置１０１に対して出力する。これにより、スロットマシン１０においてゲームが開始される。
【０１８３】
ステップＳ１３０５では、表示制御装置８１から操作情報が入力されたか否かを判定し、入力されていない場合にはそのまま待機する。操作情報が入力された場合には、ステップＳ１３０６に進み、入力された操作情報の内容を性能試験機３０１のＲＡＭ３０４に記憶する。すなわち、左操作情報を左操作情報記憶エリア３０４ｂに記憶し、中操作情報を中操作情報記憶エリア３０４ｃに記憶し、右操作情報を右操作情報記憶エリア３０４ｄに記憶する。その後、ステップＳ１３０７では、主制御装置１０１から定速回転コマンドを受信したか否かを判定し、受信していない場合にはそのまま待機する。定速回転コマンドを受信した場合には、停止指令を発生させることが可能となったことを意味するため、ステップＳ１３０８にて停止操作信号出力処理を行う。
【０１８４】
停止操作信号出力処理では、図３１のフローチャートに示すように、ステップＳ１４０１にて指定リール記憶エリア３０４ｅの値を０とする。続くステップＳ１４０２では、指定リール記憶エリア３０４ｅの値と対応する操作情報記憶エリアを参照し、当該操作情報記憶エリアに記憶されている操作情報が「２１」であるか否かを判定する。具体的には、指定リール記憶エリア３０４ｅの値が０である場合、左操作情報記憶エリア３０４ｂを参照し、指定リール記憶エリア３０４ｅの値が１である場合、中操作情報記憶エリア３０４ｃを参照し、指定リール記憶エリア３０４ｅの値が２である場合、右操作情報記憶エリア３０４ｄを参照する。操作情報が「２１」である場合には、対応するストップスイッチを任意の操作タイミングで操作して良いことを意味する。かかる場合には、ステップＳ１４０３に進み、乱数生成器３１１の生成した乱数を取得し、乱数記憶エリア３０４ｆに格納する。一方、操作情報が「２１」でない場合には、所定のタイミングで対応するストップスイッチを操作する必要があるため、ステップＳ１４０４にて操作情報加工処理を行う。操作情報加工処理では、操作情報が０でない場合、当該操作情報に２４を乗算してから４を減算する処理を行い、操作情報が０である場合、当該操作情報に５００を加算する処理を行う。ステップＳ１４０３にて乱数を取得した場合、又はステップＳ１４０４にて操作情報加工処理を行った場合には、ステップＳ１４０５に進み、取得した乱数又は操作情報加工処理にて得られた値をタイマにセットする。
【０１８５】
ステップＳ１４０６では、主制御装置１０１から指定リール記憶エリア３０４ｅの値と対応する回転信号が入力されたか否かを判定し、入力されていない場合にはそのまま待機する。回転信号が入力された場合には、ステップＳ１４０７に進み、タイマの値を減算する処理を許可する。これにより、定期的に（本実施の形態では１．４９ｍｓｅｃ周期で）起動されるタイマ割込み処理において、タイマの値を１減算する処理が開始される。ステップＳ１４０８では、タイマの値が０であるか否かを判定し、０でない場合にはそのまま待機する。タイマの値が０である場合には、ステップＳ１４０９に進み、ストップスイッチを操作したことを示す停止操作信号を主制御装置１０１に対して出力する。つまり、操作情報が「２１」である場合には、回転信号が入力されてから取得した乱数と同数のタイマ割込み処理を行った後に操作信号を出力し、操作情報が「２１」でない場合には、回転信号が入力されてから操作情報加工処理にて得られた値と同数のタイマ割込み処理を行った後に操作信号を出力する。このとき、指定リール記憶エリア３０４ｅの値が０である場合には、左停止操作信号を出力し、指定リール記憶エリア３０４ｅの値が１である場合には、中停止操作信号を出力し、指定リール記憶エリア３０４ｅの値が２である場合には、右停止操作信号を出力する。これにより、主制御装置１０１は、停止操作信号と対応するリールを停止させ、性能試験機３０１及び表示制御装置８１に対して回転情報コマンドと停止図柄コマンドを出力する。
【０１８６】
ここで、操作情報加工処理の作用について説明する。
【０１８７】
スロットマシン１０の各リールインデックスセンサは、各リール３２Ｌ，３２Ｍ，３２Ｒの０番の図柄が下段に位置する場合に検出信号を出力するように設置されており、主制御装置１０１は、１．４９ｍｓｅｃごとに励磁パルスを出力する（タイマ割込み処理のステッピングモータ制御処理Ｓ１０６、図１０参照）ことで各リール３２Ｌ，３２Ｍ，３２Ｒを回転させる。また、ステッピングモータは、５０４パルスの励磁パルスが与えられることによって１回転されるように設定されており、所定の位置においてある図柄を次の図柄へ切り替えるには、２４パルス（＝５０４パルス÷２１図柄）の励磁パルスを要する。このため、操作情報加工処理において操作情報が０でない場合に当該操作情報に２４を乗算することにより、０番の図柄が下段に位置してから操作情報の示す図柄番号の図柄が下段に位置するまでに要する時間（より詳しくはタイマ割込みの割込み数）を導出することができる。また、前記乗算結果から４を減算する理由は、以下のとおりである。操作情報に２４を乗算した値をタイマにセットし、タイマの値が０となった場合に停止操作信号を出力する構成とした場合、操作情報の示す図柄番号の図柄が下段に位置してから主制御装置１０１が停止操作信号の入力を把握するまでの間に、ステッピングモータが励磁されてリールが回転してしまう可能性が考えられる。そして、かかる状況でリールを停止させた場合には、操作情報の示す図柄番号の図柄が下段に停止するものの、停止操作信号の入力を把握するまでに出力した励磁パルス分だけずれた状態で前記図柄が停止することとなり、遊技者に違和感を抱かせることに繋がり得る。一方、操作情報に２４を乗算してから４を減算した場合には、操作情報の示す図柄番号の図柄が下段に到達する少し前のタイミングで停止操作信号を出力することができ、前記懸念を好適な形で回避することができる。
【０１８８】
停止操作信号を出力した後、ステップＳ１４１０では、指定リール記憶エリア３０４ｅの値に１を加算する。その後、ステップＳ１４１１では、指定リール記憶エリア３０４ｅの値が３か否かを判定し、３でない場合にはステップＳ１４０２に戻る。一方、指定リール記憶エリア３０４ｅの値が３である場合には、そのまま本処理を終了する。
【０１８９】
かかる停止操作信号出力処理を行うことにより、左停止操作信号→中停止操作信号→右停止操作信号の順で停止操作信号が主制御装置１０１に対して順次出力される。
【０１９０】
性能測定処理の説明に戻り、ステップＳ１３０８の停止操作信号出力処理が終了した場合には、全リール３２Ｌ，３２Ｍ，３２Ｒが停止したことを意味する。そこで、ステップＳ１３０９では、主制御装置１０１から入力される入賞コマンドや状態コマンド、払出メダル数を示す払出数コマンド等が示す情報、すなわち当該ゲームのゲーム結果を示す情報を記憶するゲーム結果記憶処理を行い、ステップＳ１３０１に戻る。
【０１９１】
以上詳述した本実施の形態においては、左ストップスイッチ４２の操作タイミングに関わらずいずれかのチェリー入賞が成立する可能性があるため、ＲＴ状態の終了時期が当選役対応演出の発生頻度に依存することとなる。第１チェリー又は第２チェリーに当選している状況下で当選役対応演出が行われた場合には、補助表示部６５に表示されていない「チェリー」図柄を狙って左ストップスイッチ４２を操作することでＲＴ状態が終了することを回避できる一方、第１チェリー又は第２チェリーに当選している状況下で当選役非対応演出が行われた場合には、２分の１の確率でＲＴ状態が終了してしまうからである。そして、かかる構成において当選役対応演出の選択頻度を高める不正がなされた場合には、ＲＴ状態が不正に継続されることとなり、上記実施の形態と比してより多くのメダルを不正に獲得される可能性が懸念されることとなる。しかしながら、示唆演出の実行有無や示唆演出の種別を判定し、ストップスイッチ４２〜４４の適正な操作タイミングを指定するための操作情報を設定する構成においては、性能試験を行うことで前記不正を容易に発見することが可能となり、遊技場等における不正の被害が拡大することを抑制することが可能となる。
【０１９２】
なお、上述した各実施の形態の記載内容に限定されず、例えば次のように実施してもよい。
【０１９３】
（１）上記各実施の形態では、第１チェリー入賞又は第２チェリー入賞が成立した場合、ＲＴ状態が終了する構成としたが、第１チェリー入賞又は第２チェリー入賞が成立した場合の所定確率でＲＴ状態が終了する構成としても良い。かかる構成とした場合であっても、上記各実施の形態と同様の作用効果を奏することは明らかである。
【０１９４】
また、第１チェリー入賞又は第２チェリー入賞が成立した場合に、ＲＴ状態が終了しない構成としても良い。かかる構成とした場合であっても、第１チェリー入賞又は第２チェリー入賞の成立する頻度が、第１チェリー又は第２チェリーに当選している状況で当選役対応演出が実行される頻度に依存することとなる。このため、不正に多くのメダルを獲得される可能性が生じ、上記各実施の形態と同様の作用効果を奏することができる。なお、このように所定の入賞が成立した場合に遊技者に不利な特典が付与される状況が生じない構成においては、上記各実施の形態における状況判断処理は不要である。
【０１９５】
さらに、通常状態下で第１チェリー入賞又は第２チェリー入賞が成立した場合にＲＴ状態が開始される構成としても良いし、第１チェリー入賞又は第２チェリー入賞が成立した際の遊技状態によって通常状態とＲＴ状態が切り替わる構成としても良い。
【０１９６】
（２）上記各実施の形態では、当選役と、現在の遊技状態と、表示制御装置８１が取得する乱数と、に基づいて、示唆演出を行うか否かと、当選役対応演出と当選役非対応演出のいずれを行うかと、が決定される構成としたが、かかる構成に限定されるものではなく、遊技者の遊技結果によって当選役対応演出を行うと決定される頻度が変化する構成としても良い。例えば、ＲＴ状態下で第１チェリー又は第２チェリーに当選した場合、ＢＢ状態下で予め定めた所定の停止出目を停止させた回数分だけ当選役対応演出を行うと決定する構成とする。かかる構成においては、ＲＴ状態下で第１チェリー又は第２チェリーに当選した場合に当選役対応演出を行うと決定する回数が変化するため、当選役対応演出の実行に関わる不正がなされた場合に、その発見がより困難なものとなる。しかしながら、示唆演出の実行有無や示唆演出の種別を判定し、ストップスイッチ４２〜４４の適正な操作タイミングを指定するための操作情報を設定する構成とすることにより、前記不正を容易に発見することが可能となる。
【０１９７】
（３）上記各実施の形態では、操作情報として、図柄番号を示す情報をセットする構成としたが、励磁パルス数を出力する構成としても良い。かかる構成とした場合であっても、回転信号が入力されてからの経過時間によって励磁パルス数を把握するができるため、上記各実施の形態と同様の作用効果を奏することが期待できる。
【０１９８】
または、操作情報として、入賞を成立させる（回避させる）ことができる図柄番号又は励磁パルス数の範囲をセットする構成としても良い。例えば第１の実施の形態において、第１チェリー入賞を成立させる場合には、左リール３２Ｌの１８番の「リプレイ」図柄〜３番の「赤チェリー」図柄が下段に到達している際に左ストップスイッチ４２を操作すれば良いため、左操作情報として、「１８」，「１９」，「２０」，「０」，「１」，「２」，「３」の全てをセットする構成とする。そして、性能試験機は、左リール３２Ｌの下段に位置している図柄番号が左操作情報の示す図柄番号のいずれかとなった場合、左停止操作信号を主制御装置１０１に対して出力する構成とする。かかる構成とした場合には、左停止操作信号を出力可能な状態になってから実際に出力するまでに要する時間の短縮化を図ることが可能となり、ひいては１回のゲームに要する時間の短縮化を図ることが可能となる。この結果、性能試験に要する試験時間の短縮化を図ることが可能となる。
【０１９９】
ここで、上述した操作情報としての図柄番号や励磁パルス数は、リールインデックスセンサが検出信号を出力する際のリールの角度位置を基点位置とした場合、当該基点位置からの回転角度を示す情報であるとも言える。
【０２００】
（４）上記各実施の形態では、表示制御装置８１が、図柄番号を示す操作情報を性能試験機３０１に出力し、性能試験機３０１が、操作情報と、回転信号が入力されてからの経過時間と、に基づいて停止操作信号を出力するタイミングを把握する構成としたが、表示制御装置８１が停止操作信号を出力するタイミングを把握する構成としても良い。具体的に説明すると、主制御装置１０１は、表示制御装置８１に対して回転信号を出力する。表示制御装置８１は、当選役と、回転信号が入力されてからの経過時間と、に基づいて、当選図柄を有効ライン上に停止させることが可能なタイミングか否かを判定する。そして、表示制御装置８１は、当選図柄を有効ライン上に停止させることが可能なタイミングである場合、性能試験機３０１に対して前記タイミングであることを示す操作情報を出力する。性能試験機３０１は、操作情報が入力されているタイミングで停止操作信号を主制御装置１０１に対して出力する。
【０２０１】
（５）上記各実施の形態では、操作情報として、図柄番号を示す情報をセットする構成としたが、これに代えて又は加えて、ストップスイッチ４２〜４４の操作順序を示す操作情報をセットする構成としても良い。特に、所定の役に当選した場合にストップスイッチ４２〜４４の操作順序によって入賞成立の有無が決定される構成においては、図柄番号を示す情報に代えて又は加えて、ストップスイッチ４２〜４４の操作順序を示す操作情報をセットすることが望ましい。
【０２０２】
ここで、具体的な構成を説明する。なお、基本構成は上記第１の実施の形態と同じであるため、同一の構成については基本的に説明を省略する。
【０２０３】
図３８は、左リール３２Ｌ，中リール３２Ｍ，右リール３２Ｒの図柄配列を示す図であり、図３９は、入賞となる図柄の組合せと、入賞となった場合に付与される特典との対応関係を示す図であり、図４０は、「設定３」の通常状態下で選択される通常状態用抽選テーブルである。
【０２０４】
メダル払出が行われる小役入賞としては、チェリー入賞と、ベル入賞と、スイカ入賞と、がある。
【０２０５】
遊技状態が移行する状態移行入賞としては、第１ＢＢ入賞と、第２ＢＢ入賞と、第３ＢＢ入賞との３種類のＢＢ入賞がある。有効ライン上に左から「赤７」図柄，「赤７」図柄，「赤７」図柄と並んで停止した場合、第１ＢＢ入賞成立となり、有効ライン上に左から「青７」図柄，「青７」図柄，「青７」図柄と並んで停止した場合、第２ＢＢ入賞成立となり、有効ライン上に左から「青年」図柄，「青年」図柄，「青年」図柄と並んで停止した場合、第３ＢＢ入賞成立となる。
【０２０６】
再遊技の特典が付与される再遊技入賞としては、第１再遊技入賞と、第２再遊技入賞と、第３再遊技入賞と、第４再遊技入賞と、第５再遊技入賞と、の５種類が設定されている。具体的には、有効ライン上に左から「リプレイ」図柄，「リプレイ」図柄，「リプレイ」図柄と並んで停止した場合には第１再遊技入賞成立となり、有効ライン上に左から「ベル」図柄，「リプレイ」図柄，「リプレイ」図柄と並んで停止した場合には第２再遊技入賞成立となり、有効ライン上に左から「青年」図柄，「赤７」図柄，「白７」図柄と並んで停止した場合には第３再遊技入賞成立となり、有効ライン上に左から「青年」図柄，「青年」図柄，「白７」図柄と並んで停止した場合には第４再遊技入賞成立となり、有効ライン上に左から「青年」図柄，「青７」図柄，「白７」図柄と並んで停止した場合には第５再遊技入賞成立となる。
【０２０７】
また、第１再遊技入賞が成立した場合には、再遊技の特典に加えて、遊技状態がＲＴ状態に移行する特典が付与される。
【０２０８】
図４０に示すように、通常状態下における抽選テーブルには、１３のインデックス値ＩＶが設定されており、各インデックス値ＩＶに対して抽選役が設定されている。すなわち、通常状態下では、チェリー、ベル、スイカ、第１ＢＢ、第２ＢＢ、第３ＢＢの他に、再遊技１〜７グループの７つの抽選役が設定されている。再遊技１〜７グループとは、第１〜第５再遊技のいずれかに当選となる抽選役である。
【０２０９】
具体的には、再遊技１グループに当選となった場合、第１再遊技に当選となる。再遊技２グループに当選となった場合には、第１再遊技と第２再遊技に当選となる。再遊技３グループに当選となった場合には、第１再遊技，第２再遊技及び第３再遊技に当選となる。再遊技４グループに当選となった場合には、第１再遊技，第２再遊技及び第４再遊技に当選となる。再遊技５グループに当選となった場合には、第１再遊技，第２再遊技，第３再遊技及び第４再遊技に当選となる。再遊技６グループに当選となった場合には、第１再遊技，第２再遊技及び第５再遊技に当選となる。再遊技７グループに当選となった場合には、第１再遊技，第２再遊技，第３再遊技，第４再遊技及び第５再遊技に当選となる。つまり、再遊技１グループとは、第１再遊技にのみ当選となる抽選役であり、再遊技２〜７グループとは、第１再遊技と他の再遊技、すなわち複数の再遊技に当選となる抽選役である。
【０２１０】
本実施の形態では、再遊技１グループに当選している場合、ストップスイッチ４２〜４４の操作順序に関わらず第１再遊技入賞が成立するようになっている。一方、他の再遊技グループに当選している場合には、ストップスイッチ４２〜４４が予め定めた１の操作順序で操作された場合に限って第１再遊技入賞が成立し、他の操作順序で操作された場合には第１再遊技以外の当選役と対応する再遊技入賞が成立するようになっている。
【０２１１】
具体的には、再遊技２グループに当選している場合には、ストップスイッチ４２〜４４が左ストップスイッチ４２→中ストップスイッチ４３→右ストップスイッチ４４の順で操作された場合に限って第１再遊技入賞が成立する。再遊技３グループに当選している場合には、ストップスイッチ４２〜４４が左ストップスイッチ４２→右ストップスイッチ４４→中ストップスイッチ４３の順で操作された場合に限って第１再遊技入賞が成立する。再遊技４グループに当選している場合には、ストップスイッチ４２〜４４が中ストップスイッチ４３→左ストップスイッチ４２→右ストップスイッチ４４の順で操作された場合に限って第１再遊技入賞が成立する。再遊技５グループに当選している場合には、ストップスイッチ４２〜４４が中ストップスイッチ４３→右ストップスイッチ４４→左ストップスイッチ４２の順で操作された場合に限って第１再遊技入賞が成立する。再遊技６グループに当選している場合には、ストップスイッチ４２〜４４が右ストップスイッチ４４→左ストップスイッチ４２→中ストップスイッチ４３の順で操作された場合に限って第１再遊技入賞が成立する。再遊技７グループに当選している場合には、ストップスイッチ４２〜４４が右ストップスイッチ４４→中ストップスイッチ４３→左ストップスイッチ４２の順で操作された場合に限って第１再遊技入賞が成立する。なお、第１再遊技入賞を成立させることができる操作順序は、主制御装置１０１のＲＯＭ１０５に記憶されている。つまり、ＲＯＭ１０５は、遊技者に有利な停止結果となる所定数の操作順序を予め記憶する操作順序記憶手段としての機能を有する。
【０２１２】
ここで、図３８に示すように、第１再遊技入賞を形成する「リプレイ」図柄は、各リール３２Ｌ，３２Ｍ，３２Ｒにおいてリールの最大スベリ数（４図柄）の範囲内で全図柄間隔が設定されている。このため、第１再遊技に当選している場合には、ストップスイッチ４２〜４４の操作タイミング及び操作順序に関わらず第１再遊技入賞を成立させるための停止制御を行うことが可能である。また、左リール３２Ｌの第２再遊技入賞を形成する「ベル」図柄は、リールの最大スベリ数（４図柄）の範囲内で全図柄間隔が設定されている。中リール３２Ｍ及び右リール３２Ｒの第２再遊技入賞を形成する図柄は「リプレイ」図柄であるため、第２再遊技に当選している場合には、ストップスイッチ４２〜４４の操作タイミング及び操作順序に関わらず第２再遊技入賞を成立させるための停止制御を行うことが可能である。つまり、再遊技２〜７グループのいずれかに当選した場合には、所定の操作順序でストップスイッチ４２〜４４が操作された場合に限って第１再遊技入賞を成立させるための停止制御を行い、他の操作順序でストップスイッチ４２〜４４が操作された場合に第１再遊技入賞の成立を回避させつつ他の再遊技入賞を成立させるための停止制御を行う。なお、第３再遊技入賞〜第５再遊技入賞は、操作順序を多様化させることと、停止出目を多様化させることと、を目的として設定している。
【０２１３】
再遊技２グループに当選した場合を例としてリールの停止制御を説明する。再遊技２グループとは、第１再遊技と第２再遊技に当選となる抽選役であり、左ストップスイッチ４２→中ストップスイッチ４３→右ストップスイッチ４４の順でストップスイッチ４２〜４４が操作された場合に第１再遊技入賞が成立し、他の操作順序でストップスイッチ４２〜４４が操作された場合に第２再遊技入賞が成立する抽選役である。
【０２１４】
再遊技２グループに当選した場合、スベリテーブル設定処理（ステップＳ３１４、図１２参照）では、中リール３２Ｍと右リール３２Ｒの「リプレイ」図柄が中段に停止するように設定されたスベリテーブルをセットする。また、かかるスベリテーブルでは、左リール３２Ｌに関して、１６番の「リプレイ」図柄を下段に停止させることが可能な場合、当該１６番の「リプレイ」図柄が下段に停止するように、１６番の「リプレイ」図柄を下段に停止させることが不可能な場合、他の位置に配置された「リプレイ」図柄が上段に停止するように設定されている。ここで、左リール３２Ｌには、４番，９番，１４番，２０番の「リプレイ」図柄と下流側に隣接する３番，８番，１３番，１９番の各位置に第２再遊技図柄たる「ベル」図柄が配置されており、１６番の「リプレイ」図柄と上流側に隣接する１７番の位置に「ベル」図柄が配置されている。このため、左リール３２Ｌの停止位置が上記位置となるようスベリテーブルを設定することにより、左ストップスイッチ４２の操作タイミングに関わらず第１再遊技入賞と第２再遊技入賞のいずれもが成立し得る停止出目を出現させることができる。
【０２１５】
左ストップスイッチ４２が最初に操作された場合には、上記スベリテーブルに基づいて左リール３２Ｌの停止制御を行う。左リール３２Ｌには、１６番の「リプレイ」図柄を除き、「リプレイ」図柄の下流側に隣接して第２再遊技図柄たる「ベル」図柄が配置されており、１６番の「リプレイ」図柄には上流側に隣接して第２再遊技図柄たる「ベル」図柄が配置されている。例えば左リール３２Ｌの１４番の図柄が下段に到達している際に左ストップスイッチ４２が操作された場合には、左リール３２Ｌが２図柄分滑った後に停止し、１６番の「リプレイ」図柄が下段に停止する。かかる場合、下段には１６番の「リプレイ」図柄が停止し、中段には１７番の「ベル」図柄が停止することとなる（図３８参照）。上述したとおり、第１再遊技入賞は「リプレイ」図柄，「リプレイ」図柄，「リプレイ」図柄の組合せが有効ライン上に停止した場合に成立し、第２再遊技入賞は「ベル」図柄，「リプレイ」図柄，「リプレイ」図柄の組合せが有効ライン上に停止した場合に成立する。このため、左リール３２Ｌが上記停止出目となった場合には、下ラインＬ３及び右上がりラインＬ５で第１再遊技入賞の成立する可能性があり、中ラインＬ２で第２再遊技入賞の成立する可能性がある。また、例えば左リール３２Ｌの０番の図柄が下段に到達している際に左ストップスイッチ４２が操作された場合には、左リール３２Ｌが２図柄分滑った後に停止し、４番の「リプレイ」図柄が上段に停止するとともに３番の「ベル」図柄が中段に停止する。このため、左リール３２Ｌが上記停止出目となった場合には、上ラインＬ１及び右下がりラインＬ４で第１再遊技入賞の成立する可能性があり、中ラインＬ２で第２再遊技入賞の成立する可能性がある。
【０２１６】
左リール３２Ｌを最初に停止させた場合、第２停止指令発生時には上記スベリテーブルを用いてリールの停止制御を行う。このため、第２停止指令として中ストップスイッチ４３が操作された場合には、中リール３２Ｍの中段に「リプレイ」図柄が停止し、右下がりラインＬ４又は右上がりラインＬ５で第１再遊技入賞の成立する可能性が残り、中ラインＬ２で第２再遊技入賞の成立する可能性が残ることとなる。また、第２停止指令として右ストップスイッチ４４が操作された場合には、右リール３２Ｒの中段に「リプレイ」図柄が停止し、第１再遊技入賞の成立する可能性がなくなる一方、中ラインＬ２で第２再遊技入賞の成立する可能性が残ることとなる。
【０２１７】
左リール３２Ｌ→右リール３２Ｒの順にリールを停止させた場合には、第３停止指令発生時についても上記スベリテーブルを用いてリールの停止制御を行う。この結果、左ストップスイッチ４２→右ストップスイッチ４４→中ストップスイッチ４３の順でストップスイッチが操作された場合には、中ラインＬ２上で第２再遊技入賞が成立することとなる。
【０２１８】
左リール３２Ｌ→中リール３２Ｍの順にリールを停止させた場合には、スベリテーブル第２変更処理（ステップＳ４１１、図１５参照）においてスベリテーブルを変更する処理を行う。具体的には、左リール３２Ｌと右リール３２Ｒの「リプレイ」図柄が右下がりラインＬ４に停止している場合、右リール３２Ｒの「リプレイ」図柄が下段に停止するように設定されたスベリテーブルに変更し、左リール３２Ｌと右リール３２Ｒの「リプレイ」図柄が右上がりラインＬ５に停止している場合、右リール３２Ｒの「リプレイ」図柄が上段に停止するように設定されたスベリテーブルに変更する。この結果、左ストップスイッチ４２→中ストップスイッチ４３→右ストップスイッチ４４の順でストップスイッチが操作された場合には、右下がりラインＬ４又は右上がりラインＬ５上で第１再遊技入賞が成立することとなる。
【０２１９】
左ストップスイッチ４２以外のストップスイッチ４３，４４が最初に操作された場合には、スベリテーブル設定処理にてセットしたスベリテーブルを用いて全リール３２Ｌ，３２Ｍ，３２Ｒの停止制御を行う。この結果、かかる場合には中ラインＬ２上で第２再遊技入賞が成立することとなる。
【０２２０】
このように、再遊技２グループ〜再遊技７グループのいずれかに当選した場合には、当選した再遊技グループと対応する操作順序でストップスイッチ４２〜４４が操作された場合に限って第１再遊技入賞が成立し、他の操作順序でストップスイッチ４２〜４４が操作された場合に他の再遊技入賞が成立する。
【０２２１】
表示制御装置８１は、再遊技１グループ〜再遊技７グループのいずれかに当選した場合、操作順序示唆演出と、操作順序非示唆演出と、のいずれを行うかを所定の抽選により決定する。つまり、表示制御装置８１は、所定の条件に基づいて操作順序を示唆するか否かを決定する示唆決定手段としての機能を有する。ここで、操作順序示唆演出とは、第１再遊技入賞を成立させることができるストップスイッチ４２〜４４の操作順序を補助表示部６５に表示する示唆演出であり、操作順序非対応演出とは、前記操作順序を補助表示部６５に表示しないものの、いずれかの再遊技グループに当選したことを示唆する示唆演出である。例えば、再遊技３グループに当選している状況で操作順序示唆演出を行う場合には、左ストップスイッチ４２→右ストップスイッチ４４→中ストップスイッチ４３の順で操作すれば良いことを示す「１３２」を補助表示部６５に表示する。一方、再遊技３グループに当選している状況で操作順序非示唆演出を行う場合には、前記操作順序ではなく「？？？」を補助表示部６５に表示する。つまり、補助表示部６５は、遊技者に有利な停止結果となる操作順序を示唆する操作順序示唆手段としての機能と、前記操作順序は示唆しないものの所定の役に当選したことを示唆する抽選結果示唆手段としての機能と、を有する。
【０２２２】
表示制御装置８１は、いずれの示唆演出を行うかを決定した場合、操作情報として、ストップスイッチの操作順序を示す順序情報と、図柄番号を示す番号情報と、をセットする。例えば、再遊技３グループに当選している状況で操作順序示唆演出を行うと決定した場合には、左操作情報として、最初に操作することを示す順序情報たる「１」と、任意の操作タイミングで良いことを示す番号情報たる「２１」をセットし、中操作情報として、最後に操作することを示す順序情報たる「３」と、任意の操作タイミングで良いことを示す番号情報たる「２１」をセットし、右操作情報として、２番目に操作することを示す順序情報たる「２」と、任意の操作タイミングで良いことを示す番号情報たる「２１」をセットする。また、操作順序非示唆演出を行うと決定した場合には、いずれの再遊技グループに当選したかに関わらず、左操作情報として、最初に操作することを示す順序情報たる「１」と、任意の操作タイミングで良いことを示す番号情報たる「２１」をセットし、中操作情報として、２番目に操作することを示す順序情報たる「２」と、任意の操作タイミングで良いことを示す番号情報たる「２１」をセットし、右操作情報として、最後に操作することを示す順序情報たる「３」と、任意の操作タイミングで良いことを示す番号情報たる「２１」をセットする。これは、再遊技２グループ〜再遊技７グループの当選確率が等しいため、遊技者がストップスイッチ４２〜４４の操作順序を選択した場合と同様、６分の１の確率で第１再遊技入賞が成立することとなるからである。つまり、表示制御装置８１は、停止操作手段（ストップスイッチ４２〜４４）の操作順序を示す順序情報を設定する順序情報設定手段としての機能と、前記停止操作手段の操作タイミングを示すタイミング情報を設定するタイミング情報設定手段としての機能と、を有する。
【０２２３】
このように、ストップスイッチ４２〜４４の操作順序を示す操作情報をセットする構成とした場合であっても、上記各実施の形態と同様の作用効果を奏することができる。
【０２２４】
なお、本実施の形態においては、第１再遊技入賞が成立した場合に遊技状態がＲＴ状態に移行する構成としたが、ＲＴ状態下で第１再遊技入賞が成立した場合にＲＴ状態が終了する構成としても良いことは言うまでもない。かかる構成においては、操作順序示唆演出を行うと決定した場合、第１再遊技入賞を成立させることができない操作順序を順序情報として設定すれば良い。
【０２２５】
本実施の形態では、再遊技２グループ〜再遊技７グループのいずれかに当選した場合、予め定めた１の操作順序でストップスイッチ４２〜４４が操作された場合に第１再遊技入賞が成立する構成としたが、予め２通りの操作順序を設定しておき、いずれかの操作順序でストップスイッチ４２〜４４が操作された場合に第１再遊技入賞が成立する構成としても良いことは言うまでもない。
【０２２６】
本実施の形態では、操作順序非示唆演出を行うと決定した場合、いずれの再遊技グループに当選したかに関わらず左ストップスイッチ４２→中ストップスイッチ４３→右ストップスイッチ４４の順で操作することを示す順序情報をセットする構成としたが、他の順序情報をセットする構成としても良いことは言うまでもない。また、所定の抽選を行い、順序情報としてセットする操作順序をランダムに決定する構成としても良い。
【０２２７】
本実施の形態では、操作順序非示唆演出を行うと決定した場合、当選した再遊技グループに関わらず同一の順序情報をセットする構成としたが、これは再遊技２グループ〜再遊技７グループの当選確率が等しいためである。再遊技２グループ〜再遊技７グループの当選確率が異なる場合、ＲＴ状態への移行を望む遊技者は、最も当選確率の高い再遊技グループと対応する操作順序でストップスイッチ４２〜４４を操作するものと考えられる。このため、表示制御装置８１は、最も当選確率の高い再遊技グループと対応する操作順序を順序情報としてセットすることが望ましい。
【０２２８】
（６）上記各実施の形態では、ＲＴ状態の終了条件として、２種類の入賞態様を設定したが、１種類のみとしても良いし、３種類以上としても良く、その数は任意である。
【０２２９】
例えば、左リール３２Ｌにおいて、３番の位置に第１チェリー図柄たる「赤チェリー」図柄を配置し、１０番の位置に第３チェリー図柄たる「白チェリー」図柄を配置し、１６番ではなく１７番の位置に第２チェリー図柄たる「青チェリー」図柄を配置し、第１〜第３チェリー入賞のいずれが成立した場合であってもＲＴ状態が終了する構成とする。そして、第１チェリー当選確率と、第２チェリー当選確率と、第３チェリー当選確率と、を同一確率とする。
【０２３０】
かかる構成とした場合、０番〜３番の図柄が下段に到達している際に左ストップスイッチ４２を操作した場合、第１チェリー入賞の成立する可能性があり、４番〜１０番の図柄が下段に到達している際に左ストップスイッチ４２を操作した場合、第３チェリー入賞の成立する可能性があり、１１番〜１７番の図柄が下段に到達している際に左ストップスイッチ４２を操作した場合、第２チェリー入賞の成立する可能性があり、１８番〜２０番の図柄が下段に到達している際に左ストップスイッチ４２を操作した場合、第１チェリー入賞の成立する可能性がある。つまり、かかる構成とした場合には、いずれのタイミングで左ストップスイッチ４２を操作した場合であっても、いずれかのチェリー入賞の成立する可能性があり、ＲＴ状態が終了する可能性がある。
【０２３１】
上述した構成においては、示唆演出が当選役非対応演出である場合、当選役に関わらず、左操作情報として「赤チェリー」図柄が付された図柄番号を示す「３」をセットする構成とすれば良い。上記図柄配列においては、遊技者が左リール３２Ｌの「赤チェリー」図柄と「青チェリー」図柄と「白チェリー」図柄のいずれを狙って左ストップスイッチ４２を操作した場合であっても、各チェリー当選確率が等しいため、チェリー入賞の成立を回避できる確率は３分の１である。したがって、左操作情報として、当選役に関わらず、「赤チェリー」図柄が付された図柄番号を示す「３」をセットすれば、遊技者が「赤チェリー」図柄と「青チェリー」図柄と「白チェリー」図柄を狙い分けた場合と同様、３分の１の確率でチェリー入賞の成立が回避される事象を発生させることができるからである。また、かかる構成とすることにより、操作位置指定処理のプログラム構成を比較的簡単なものとするとともにデバック工数の増大化を抑制することが可能となる。
【０２３２】
なお、３分の１の確率で「赤チェリー」図柄が付された図柄番号を示す「３」をセットし、３分の１の確率で「白チェリー」図柄が付された図柄番号を示す「１０」をセットし、３分の１の確率で「青チェリー」図柄が付された図柄番号を示す「１７」をセットする構成としても良い。
【０２３３】
但し、第１チェリーの当選確率と第２チェリーの当選確率と第３チェリーの当選確率が異なる構成においては、これら当選確率の比率を考慮して各図柄番号をセットすることが望ましい。
【０２３４】
例えば、５０分の１の確率で第１チェリーに当選し、５０分の３の確率で第２チェリーに当選し、５０分の６の確率で第３チェリーに当選する構成の場合、通常状態又はＲＴ状態の最終ゲームであれば、１０分の１の確率で「赤チェリー」図柄が付された図柄番号を示す「３」をセットし、１０分の３の確率で「青チェリー」図柄が付された図柄番号を示す「１７」をセットし、１０分の６の確率で「白チェリー」図柄が付された図柄番号を示す「１０」をセットする構成とする。また、ＲＴ状態の最終ゲーム以外では、１０分の６の確率で「赤チェリー」図柄が付された図柄番号を示す「３」をセットし、１０分の３の確率で「青チェリー」図柄が付された図柄番号を示す「１７」をセットし、１０分の１の確率で「白チェリー」図柄が付された図柄番号を示す「１０」をセットする構成とする。
【０２３５】
（７）上記各実施の形態では、示唆演出を行わないと判定した場合、左，中，右の各操作情報として、任意の操作タイミングで良いことを示す「２１」をセットする構成としたが、左操作情報として、「赤チェリー」図柄が付された図柄番号を示す「３」をセットし、中及び右の操作情報として、当選役と対応する入賞を成立させることができる図柄番号を示す情報をセットする構成としても良い。但し、かかる構成とした場合には、性能試験で得られるメダル払出性能と、遊技場等において遊技者が実際に遊技を行ったメダル払出性能とを比較した場合、性能試験で得られるメダル払出性能の方が高くなる可能性が懸念される。
【０２３６】
（８）上記各実施の形態では、示唆演出を行わないと判定した場合、左，中，右の各操作情報として、任意の操作タイミングで良いことを示す「２１」をセットする構成としたが、「０」〜「２０」のいずれかをランダムにセットする構成としても良い。
【０２３７】
（９）上記第１の実施の形態における性能試験機３０１は、操作情報として「２１」が入力されている場合、定速回転コマンド又は停止図柄コマンドが入力されてから予め定めた規定時間が経過した場合に、主制御装置１０１に対して停止操作信号を出力する構成とした。これに代えて、性能試験機３０１を、操作情報として「２１」が入力されている場合、定速回転コマンド又は停止図柄コマンドが入力されてからランダムな時間が経過した場合に、主制御装置１０１に対して停止操作信号を出力する構成としても良い。
【０２３８】
（１０）上記各実施の形態では、操作位置指定処理を行って操作情報を設定する構成としたが、かかる構成を変更する。表示制御装置のＲＯＭには、示唆演出の種別と、セットする操作情報と、の対応関係が定められた操作情報テーブルを、各役について予め記憶させる。また、第１チェリー及び第２チェリーについては、通常状態、ＲＴ状態の１〜９９ゲーム目、ＲＴ状態の１００ゲーム目、のそれぞれについて操作情報テーブルを予め用意する。かかる構成とした場合には、演出判定処理にて行うべき示唆演出を決定した後に、操作情報テーブルを参照して操作情報を設定することができる。故に、操作情報の設定に関わるプログラム構成を比較的簡単なものとすることができるとともに、デバック工数の低減を図ることが可能となる。
【０２３９】
（１１）上記各実施の形態では、操作位置指定処理を表示制御装置８１が実行する構成としたが、主制御装置１０１が実行する構成としても良い。また、第２中継端子基板２０２が実行する構成としても良いし、性能試験機３０１が実行する構成としても良い。これら構成とした場合であっても、上記各実施の形態と同様の作用効果を奏することは明らかである。但し、第２中継端子基板２０２又は性能試験機３０１が操作位置指定処理を実行する場合には、表示制御装置８１から第２中継端子基板２０２又は性能試験機３０１に対し、示唆演出の実行有無や示唆演出の種別を示す演出信号を出力する必要がある。
【０２４０】
（１２）上記各実施の形態では、表示制御基板８１ａに、性能試験用のコネクタ及びバッファ回路ＩＣを搭載しない構成としたが、コネクタとバッファ回路ＩＣの少なくとも一方を搭載する構成としても良い。コネクタのみが搭載されていない構成や、バッファ回路ＩＣのみが搭載されていない構成とした場合であっても、上記各実施の形態と同様の作用効果を奏することが期待できる。
【０２４１】
（１３）上記各実施の形態では、性能試験を行う場合に、主制御装置１０１と表示制御装置８１を別個の中継端子基板に接続する構成としたが、同一の中継端子基板に接続する構成としても良いし、中継端子基板を介することなく直接性能試験機に接続する構成としても良い。
【０２４２】
（１４）上記各実施の形態では、表示制御基板８１ａの実装面側の構成について説明したが、主制御装置１０１が有する主制御基板を表示制御基板８１ａと同様の構成、すなわち性能試験用の導体パターンを予めプリントしておく一方で性能試験用のコネクタ搭載領域とバッファ回路ＩＣ搭載領域に対応する電子部品が実装されていない構成としても良い。
【０２４３】
（１５）上記各実施の形態では、操作情報を性能試験機に出力する構成について説明したが、かかる構成に限定されるものではなく、操作情報を他の装置に出力する構成としても良い。
【０２４４】
例えば、補助表示部と別個に第２補助表示部をスロットマシンに設け、操作情報を第２補助表示部に出力する構成とする。
【０２４５】
具体的には、図３２に示すように、図柄表示装置３５０は、第２補助表示部３５１と、当該第２補助表示部３５１を表示制御する図柄表示制御装置３５２とを有している。そして、図柄表示制御装置３５２には、スロットマシン１０の主制御装置１０１と表示制御装置８１とが接続されており、役の抽選結果を示す抽選結果コマンドや操作情報等が入力されるようになっている。なお、主制御装置１０１と図柄表示装置３５０及び表示制御装置８１と図柄表示装置３５０を、中継端子板を介して接続しても良いことは言うまでもない。
【０２４６】
図柄表示制御装置３５２が行う図柄表示処理を、図３３のフローチャートに基づいて説明する。
【０２４７】
ステップＳ１５０１では、表示制御装置８１から操作情報が入力されたか否かを判定し、入力されていない場合にはそのまま待機する。操作情報が入力された場合には、ステップＳ１５０２に進み、入力された操作情報の内容を図柄表示制御装置３５２が有するＲＡＭに記憶する。図柄表示制御装置３５２のＲＡＭには、左操作情報を記憶するための左操作情報記憶エリアと、中操作情報を記憶するための中操作情報記憶エリアと、右操作情報を記憶するための右操作情報記憶エリアと、が設けられており、ステップＳ１５０２では、対応する記憶エリアに操作情報を記憶する。ステップＳ１５０３では、各記憶エリアに記憶されている操作情報が「２１」であるか否かを判定する。全ての操作情報が「２１」である場合には、各ストップスイッチ４２〜４４を任意の操作タイミングで操作して良いことを意味する。かかる場合には、第２補助表示部３５１に図柄を表示することなくそのまま本処理を終了する。一方、各記憶エリアに記憶されている操作情報の少なくとも１つが「２１」でない場合には、対応するストップスイッチ４２〜４４を所定のタイミングで操作する必要、すなわち所定の図柄を狙ってストップスイッチ４２〜４４を操作する必要があることを意味する。かかる場合には、ステップＳ１５０４〜ステップＳ１５０９に示す図柄把握処理を実行し、本処理を終了する。
【０２４８】
図柄把握処理として、ステップＳ１５０４では、左操作情報が「３」であって、中操作情報と中操作情報が「２１」であるか否か、すなわち左リール３２Ｌの「赤チェリー」図柄を狙うことを示す赤チェリー操作情報であるか否かを判定する。赤チェリー操作情報である場合には、ステップＳ１５０５にて「赤チェリー」図柄を狙う旨を表示すべく第２補助表示部３５１の駆動制御を開始し、本処理を終了する。このとき、第２補助表示部３５１には、「赤チェリー」図柄を狙って左ストップスイッチ４２を操作すると遊技者に有利となる旨が表示される。ステップＳ１５０４にて赤チェリー操作情報でないと判定した場合には、ステップＳ１５０６に進み、左操作情報が「１６」であって、中操作情報と中操作情報が「２１」であるか否か、すなわち左リール３２Ｌの「青チェリー」図柄を狙うことを示す青チェリー操作情報であるか否かを判定する。青チェリー操作情報である場合には、ステップＳ１５０７にて「青チェリー」図柄を狙う旨を表示すべく第２補助表示部３５１の駆動制御を開始し、本処理を終了する。このとき、第２補助表示部３５１には、「青チェリー」図柄を狙って左ストップスイッチ４２を操作すると遊技者に有利となる旨が表示される。ステップＳ１５０６にて青チェリー操作情報でないと判定した場合には、ステップＳ１５０８に進み、表示すべき図柄を特定する図柄特定処理を行う。例えば、左操作情報が「６」、中操作情報が「３」、右操作情報が「１」である場合には、表示すべき図柄が「スイカ」図柄であると特定する。その後、ステップＳ１５０９にて特定した図柄を狙う旨を表示すべく第２補助表示部３５１の駆動制御を開始し、本処理を終了する。
【０２４９】
なお、図柄表示装置３５０は、スロットマシン１０が予め有する構成であっても良いし、遊技場等においてスロットマシン１０に後付けされる構成であっても良い。また、図柄表示装置３５０をスロットマシン１０が予め有する構成とする場合には、図柄表示装置３５０に切替スイッチを設け、遊技場の管理者等や遊技者自身が第２補助表示部３５１に狙うべき図柄を表示させるか否かを選択可能な構成とすることが望ましい。例えば遊技性を十分に理解している遊技者や当該遊技者が遊技を行う遊技場等においては、第２補助表示部３５１に狙うべき図柄が表示されない状態とすることにより、遊技者にとっては遊技を快適に行うことができ、遊技場等においては経費削減を図ることが可能となる。例えば遊技性を理解していない遊技者や当該遊技者が遊技を行う遊技場等においては、第２補助表示部３５１に狙うべき図柄が表示される状態とすることにより、遊技者にとっては遊技を快適に行うことができ、遊技場等においては適正なメダル払出の管理を行うことが可能となる。
【０２５０】
液晶表示装置等の補助表示部を備え、補助表示部にて当選役を示唆する補助演出等を実行可能なスロットマシンにおいては、例えば補助演出を実行した場合に遊技者が演出内容を把握することが困難となる恐れがある。
しかしながら、かかる構成とした場合には、補助表示部にて示唆演出を行いつつ、第２補助表示部にてストップスイッチの操作タイミングを報知することができる。また特に、ＲＴ状態では、例えば補助表示部にて「赤チェリー」図柄が表示されている場合に、第２補助表示部３５１にて「青チェリー」図柄が表示されるとともに当該「青チェリー」図柄を狙って左ストップスイッチ４２を操作すると遊技者に有利となる旨が表示される。故に、ＲＴ状態下ではチェリー入賞の成立を回避させた方が有利となることを知らない遊技者が、ＲＴ状態下で第１チェリー又は第２チェリー当選を示唆する当選役対応演出が行われた場合に対応するチェリー入賞を成立させてＲＴ状態を終了させてしまうことを回避することが可能となる。この結果、上述した表示制御装置８１に対して示唆演出に関わる不正がなされた場合に当該不正を容易に発見することが可能となるという効果に加えて、遊技者が遊技性を知らないことで不利益を被ることを回避することが可能となり、好適に補助演出を実行することが可能となるという新たな効果を奏することが期待できる。
【０２５１】
停止操作確認装置を設け、当該停止操作確認装置に、操作情報と、ストップスイッチの操作結果を示す操作結果情報とが入力される構成としても良い。
【０２５２】
具体的には、図３４に示すように、停止操作確認装置４００は、例えばチェリー当選時の入賞回数等を集計するための集計装置４０１と、前記集計結果を表示するためのデータ表示部４０２とを有している。そして、集計装置４０１には、スロットマシン１０の主制御装置１０１と表示制御装置８１とが接続されており、抽選結果コマンドや停止図柄コマンド（すなわち操作結果情報）等の各種コマンドや操作情報が入力されるようになっている。なお、主制御装置１０１と停止操作確認装置４００及び表示制御装置８１と停止操作確認装置４００を、中継端子板を介して接続しても良いことは言うまでもない。
【０２５３】
ここで、第１チェリー又は第２チェリーに当選した場合に集計装置４０１が行う集計処理を、図３５のフローチャートに基づいて説明する。
【０２５４】
ステップＳ１６０１では、表示制御装置８１から操作情報が入力されたか否かを判定し、入力されていない場合にはそのまま待機する。操作情報が入力された場合には、ステップＳ１６０２に進み、入力された操作情報の内容を集計装置４０１が有するＲＡＭに記憶する。集計装置４０１のＲＡＭには、左操作情報を記憶するための左操作情報記憶エリアと、中操作情報を記憶するための中操作情報記憶エリアと、右操作情報を記憶するための右操作情報記憶エリアと、が設けられており、ステップＳ１６０２では、対応する記憶エリアに操作情報を記憶する。ステップＳ１６０３では、主制御装置１０１から停止図柄コマンドを受信したか否かを判定し、受信していない場合にはそのまま待機する。停止図柄コマンドを受信した場合には、ステップＳ１６０４に進み、技量判定処理を行う。技量判定処理とは、遊技者によるストップスイッチ４２〜４４の操作が正確になされたか否かを判定するための処理である。具体的には、役の抽選結果と、停止図柄コマンドの示す情報と、今回停止したリールと対応する操作情報記憶エリアに記憶された操作情報と、に基づいて判定する。例えば、当選役が第１チェリーであって左操作情報が「３」である場合には、左リール３２Ｌの上段，中段，下段のいずれかに３番の「赤チェリー」図柄が停止したか否かを判定する。また、当選役が第２チェリーであって左操作情報が「３」である場合には、左リール３２Ｌの下段に４番〜６番のいずれかの図柄が停止したか否かを判定する。ステップＳ１６０５では、技量判定処理の判定結果を用いて、今回なされたストップスイッチの操作が正確であったか否かを判定する。正確でなかった場合には、そのままステップＳ１６０７に進み、正確であった場合には、ステップＳ１６０６にて技量カウンタの値に１を加算した後にステップＳ１６０７に進む。なお、操作情報が「２１」である場合には、停止図柄コマンドの示す情報に関わらず、ステップＳ１６０７にて技量カウンタの値に１を加算する。ステップＳ１６０７では、全リール３２Ｌ，３２Ｍ，３２Ｒが停止したか否かを判定し、少なくとも１つのリールが回転中である場合には、ステップＳ１６０３に戻る。全リール３２Ｌ，３２Ｍ，３２Ｒが停止した場合には、ステップＳ１６０８に進み、第１チェリー又は第２チェリーに当選した回数を計測するための当選回数カウンタの値に１を加算する。ステップＳ１６０９では、遊技者の技量レベルを判定するための技量レベル判定処理を行い、ステップＳ１６１０では、第１チェリー又は第２チェリーに当選したゲームにおける遊技結果を集計するための遊技判定処理を行う。その後、上記ステップＳ１６０８〜ステップＳ１６１０の処理結果を表示すべくデータ表示部４０２の駆動制御を開始し、本処理を終了する。
【０２５５】
ステップＳ１６０９の技量レベル判定処理を、図３６のフローチャートに基づいて説明する。
【０２５６】
ステップＳ１７０１では、技量カウンタの値が３であるか否かを判定する。技量カウンタの値が３である場合には、全てのストップスイッチ４２〜４４を操作情報と対応するタイミングで操作したことを意味する。かかる場合には、ステップＳ１７０２にて技量レベルカウンタの値に１を加算し、ステップＳ１７０３に進む。一方、技量カウンタの値が３でない場合には、ストップスイッチ４２〜４４のいずれかを操作情報と対応していないタイミングで操作したことを意味する。かかる場合には、技量レベルカウンタの値に１を加算することなくステップＳ１７０３に進む。ステップＳ１７０３では、技量カウンタの値を０にクリアし、本処理を終了する。
【０２５７】
次に、ステップＳ１６１０の遊技判定処理を、図３７のフローチャートに基づいて説明する。
【０２５８】
ステップＳ１８０１では、入力された操作情報が当選役と対応する入賞を成立させるための当選役操作情報であるか否かを判定する。具体的には、当選役が第１チェリーである場合、左操作情報が「３」であるか否かを判定し、当選役が第２チェリーである場合、左操作情報が「１６」であるか否かを判定する。操作情報が当選役操作情報である場合には、ステップＳ１８０２に進み、入賞が成立したか否かを判定する。かかる判定は、停止図柄コマンドの示す情報に基づいて判定する構成としても良いし、主制御装置１０１から入賞成立の有無や入賞成立役を示す入賞コマンドが入力される構成とし、当該入賞コマンドの示す情報に基づいて判定する構成としても良い。入賞が成立した場合には、ステップＳ１８０３に進み、現在の遊技状態がＲＴ状態であるか否かを判定する。操作情報が当選役操作情報であって現在の遊技状態がＲＴ状態である場合には、現在のゲームがＲＴ状態の最終ゲームであることを意味する。そして、当該ゲームで入賞が成立した場合には、本スロットマシン１０の遊技性を遊技者が十分に理解していることを意味する。かかる場合には、ステップＳ１８０４に進み、習熟カウンタの値に１を加算し、本処理を終了する。また、操作情報が当選役操作情報であって現在の遊技状態がＲＴ状態でない場合には、通常状態で当選役対応演出が行われたことを意味し、遊技者が補助表示部６５に表示された「チェリー」図柄を狙って左ストップスイッチ４２を操作したことを意味する。かかる場合には、ステップＳ１８０５に進み、入賞カウンタの値に１を加算し、本処理を終了する。
【０２５９】
一方、ステップＳ１８０２にて入賞が成立しなかったと判定した場合には、ステップＳ１８０６に進み、取りこぼしカウンタの値に１を加算し、本処理を終了する。ちなみに、取りこぼしカウンタの値に１が加算される状況としては、図柄を狙ってストップスイッチ４２〜４４を操作する技量の劣った遊技者や、ＲＴ状態下では補助表示部６５に表示されていない「チェリー」図柄を狙えば良いという不十分な遊技性の理解をしている遊技者が遊技を行っている状況が考えられる。
【０２６０】
ステップＳ１８０１にて操作情報が当選役操作情報でないと判定した場合には、ステップＳ１８０７に進み、入賞が成立したか否かを判定する。操作情報が当選役操作情報でないにも関わらず入賞が成立した場合には、ＲＴ状態の最終ゲーム以外のゲームでチェリー入賞が成立したことを意味し、これは、遊技者が本スロットマシン１０の遊技性を理解していないことを意味する。かかる場合には、ステップＳ１８０８にて不理解カウンタの値に１を加算し、本処理を終了する。操作情報が当選役操作情報でなく入賞が成立しなかった場合には、ＲＴ状態下では補助表示部６５に表示されていない「チェリー」図柄を狙えば良いという最低限の遊技性の理解は遊技者にされているものと考えられる。かかる場合には、ステップＳ１８０９にて理解カウンタの値に１を加算し、本処理を終了する。
【０２６１】
以上の集計処理が行われることにより、データ表示部４０２には、第１チェリー又は第２チェリー当選時データとして、当選回数カウンタの値と、技量レベルカウンタの値と、習熟カウンタの値と、入賞カウンタの値と、取りこぼしカウンタの値と、不理解カウンタの値と、理解カウンタの値と、が表示される。このため、前記表示データを確認することにより、図柄を狙ってストップスイッチを操作する遊技者の技量や、遊技性の理解度等を確認することができる。例えば、技量レベルカウンタの値と当選回数カウンタの値がほぼ等しい場合には、遊技性を十分に理解しているのみならず図柄を狙う技量も優れた遊技者、すなわち熟練の遊技者によって遊技が行われたものと確認できる。また、例えば習熟カウンタの値が０であった場合には、最低限の遊技性は理解しているものの獲得メダル数に対して貪欲でない、すなわち遊技を純粋に楽しみたい遊技者によって遊技が行われたものと確認できる。
【０２６２】
なお、停止操作確認装置４００は、スロットマシン１０が予め有する構成であっても良いし、遊技場等においてスロットマシン１０に後付けされる構成であっても良い。また、停止操作確認装置４００が取り付けられる位置は、スロットマシン１０内部であっても良いし、遊技場のホール管理装置であっても良い。さらにいうと、停止操作確認装置４００と表示制御装置８１を双方向通信可能な構成とするとともに停止操作確認装置４００がデータ表示部４０２を有さない構成とし、停止操作確認装置４００の集計結果を補助表示部６５に表示する構成としても良い。
【０２６３】
かかる構成とした場合には、データ表示部４０２に表示される各種情報を確認することにより、図柄を狙ってストップスイッチを操作する遊技者の技量や、遊技性の理解度等を確認することが可能となる。この結果、上述した表示制御装置８１に対して示唆演出に関わる不正がなされた場合に当該不正を容易に発見することが可能となるという効果に加えて、遊技場の管理者等が遊技者の熟練度に即したメダル払出の管理を行うことが可能となるという新たな効果を奏することが期待できる。
【０２６４】
上記構成においては、ストップスイッチの操作結果を示す操作結果情報として停止図柄コマンドが入力される構成としたが、これに代えて、到達図柄の図柄番号を示す到達図柄コマンドが入力される構成としても良い。そして、当該到達図柄コマンドの示す情報を用いて技量判定処理と技量レベル判定処理を行う構成としても良い。
【０２６５】
上記構成においては、第１チェリー又は第２チェリー当選時データとして、当選回数カウンタの値と、技量レベルカウンタの値と、習熟カウンタの値と、入賞カウンタの値と、取りこぼしカウンタの値と、不理解カウンタの値と、理解カウンタの値と、がデータ表示部４０２に表示される構成としたが、これに代えて又は加えて、各遊技状態における当選回数に対する入賞成立回数の割合を表示する構成としても良い。
【０２６６】
（１６）上記各実施の形態では、当選役対応演出において、当選図柄の組合せを補助表示部６５に表示する構成としたが、かかる構成に限定されるものではなく、遊技者が当選役を認識できる構成であれば良い。例えば、ベルに当選した場合、補助表示部に黄色のシャツを着用したキャラクタを表示する構成とする。かかる構成とした場合であっても、シャツの色を通じて当選役を示唆することが可能である。
【０２６７】
（１７）上記各実施の形態では、遊技状態がＲＴ状態であって第１チェリー又は第２チェリーに当選している場合、必ず示唆演出を行う構成としたが、通常状態と同様に所定確率で示唆演出を行う構成としても良い。
【０２６８】
（１８）上記各実施の形態では、メダルが３枚ベットされた後に開始指令が発生したか否かを判定する構成としたが、１枚ベットされた後や２枚ベットされた後にも開始指令が発生したか否かを判定する構成としてもよいことは言うまでもない。但し、かかる構成の場合には、ベット状況に応じた抽選テーブルを予め記憶させておく必要がある。
【０２６９】
（１９）上記各実施の形態では、付与される特典として、遊技状態が移行する特典と、再遊技の特典の他に、メダルを払い出す特典を備える構成としたが、かかる構成に限定されるものではなく、遊技者に何らかの特典が付与される構成であればよい。例えば、メダルを払い出す特典に代えてメダル以外の賞品を払い出す構成であってもよい。また、現実のメダル投入やメダル払出機能を有さず、遊技者の所有するメダルをクレジット管理するスロットマシンにおいては、クレジットされたメダルの増加が特典の付与に相当する。
【０２７０】
（２０）上記各実施の形態では、リールを３つ並列して備え、有効ラインとして５ラインを有するスロットマシンについて説明したが、かかる構成に限定されるものではなく、例えばリールを５つ並列して備えたスロットマシンや、有効ラインを７ライン有するスロットマシンであってもよい。
【０２７１】
（２１）上記各実施の形態では、いわゆるＡタイプのスロットマシンについて説明したが、Ｂタイプ、Ｃタイプ、ＡタイプとＣタイプの複合タイプ、ＢタイプとＣタイプの複合タイプ、さらにはＣＴゲームを備えたタイプなど、どのようなスロットマシンにこの発明を適用してもよく、何れの場合であっても上述した各実施の形態と同様の作用効果を奏することは明らかである。なお、これらの各タイプにおけるボーナス当選としては、ＢＢ当選、ＲＢ当選、ＳＢ当選、ＣＴ当選などが挙げられる。
【０２７２】
（２２）上記各実施の形態では、スロットマシン１０について具体化した例を示したが、スロットマシンとパチンコ機とを融合した形式の遊技機に適用してもよい。即ち、スロットマシンのうち、メダル投入及びメダル払出機能に代えて、パチンコ機のような球投入及び球払出機能をもたせた遊技機としてもよい。
【０２７３】
以下、本発明の遊技機を、必要に応じて効果等を示しつつ説明する。なお以下においては、理解の容易のため、上記実施の形態において対応する構成を括弧書き等で適宜示すが、この括弧書き等で示した具体的構成に限定されるものではない。
【０２７４】
遊技機１．複数種の絵柄（図柄）を循環表示させる循環表示手段（リール３２Ｌ，３２Ｍ，３２Ｒ）と、
前記循環表示手段に前記絵柄の循環表示を開始させると決定する開始決定手段（主制御装置１０１の開始指令判定処理機能Ｓ２０６）と、
前記開始決定手段の決定結果に基づいて役の抽選を行う抽選手段（主制御装置１０１の抽選処理機能）と、
前記絵柄の循環表示を停止させるべく操作される停止操作手段（ストップスイッチ４２〜４４）と、
前記開始決定手段の決定結果に基づいて前記絵柄の循環表示を開始させるとともに、前記停止操作手段の操作に基づいて前記絵柄の循環表示を停止させるよう前記循環表示手段を表示制御する表示制御手段（主制御装置１０１のスベリテーブル設定処理機能及びリール制御処理機能）と、
前記役の抽選結果が当選であって、当選した役と対応する当選絵柄が予め定めた有効位置（有効ライン）に停止した場合に特典（メダル払出、ＢＢ状態への移行、再遊技等）を付与する特典付与手段（主制御装置１０１のメダル払出処理機能Ｓ２１１、ＢＢ開始処理機能Ｓ６０４）と、
前記役の抽選に当選した当選役を示唆する補助演出（当選役対応演出）を実行可能な補助演出実行手段（補助表示部６５）と
を備えた遊技機において、
前記補助演出を実行するか否かを決定する補助演出決定手段（表示制御装置８１の演出判定処理機能Ｓ９０４）と、
少なくとも前記補助演出決定手段が前記補助演出を実行すると決定した場合、前記停止操作手段の操作に関わる特定操作情報を設定する操作情報設定手段（表示制御装置８１の操作位置指定処理におけるＳ１００４、Ｓ１００５）と
を備え、
前記表示制御手段は、前記操作情報設定手段の設定した特定操作情報に基づいて前記停止操作手段が操作された場合、遊技者に有利な停止結果となるように前記循環表示手段を表示制御することを特徴とする遊技機。
【０２７５】
本遊技機によれば、当選役を示唆する補助演出が実行される場合、停止操作手段の操作に関わる特定操作情報が設定される。そして、特定操作情報に基づいて停止操作手段を操作した場合には、遊技者に有利な停止結果となるように循環表示手段が表示制御される。かかる構成においては、補助演出の実行に関して何らかの不正が行われた場合であっても、特定操作情報に基づいて停止操作手段を操作する又は停止操作手段の操作に相当する操作を行うことにより、補助演出の実行に関わる不正を容易に発見することが可能となる。
【０２７６】
遊技機２．上記遊技機１において、前記役の抽選結果が第１役（第１チェリー）当選であって第１絵柄（左リール３２Ｌの「赤チェリー」図柄）が前記有効位置に停止した場合、遊技者に有利な第１特典（４枚のメダル払出）を付与する第１特典付与手段（主制御装置１０１のメダル払出処理機能Ｓ２１１）と、前記役の抽選結果が前記第１役当選であって前記第１絵柄が前記有効位置に停止したことに基づいて、遊技者に有利な特定遊技状態（ＲＴ状態）を終了させる特定遊技状態終了手段（主制御装置１０１のＲＴ状態終了処理機能Ｓ８０７、Ｓ８０４）とを備え、前記操作情報設定手段は、前記役の抽選結果が前記第１役当選である場合、遊技状況を判断し、前記第１絵柄を前記有効位置に停止させることができる第１特定操作情報（左操作情報「３」、中操作情報「２１」、右操作情報「２１」）又は前記第１絵柄が前記有効位置に停止することを回避できる第２特定操作情報（左操作情報「１６」、中操作情報「２１」、右操作情報「２１」）を設定することを特徴とする遊技機。
【０２７７】
本遊技機によれば、第１絵柄が有効位置に停止した場合、遊技者に有利な第１特典が付与される。一方、特定遊技状態下で第１絵柄が有効位置に停止した場合には、当該特定遊技状態が終了される可能性がある。かかる構成においては、第１役当選を示唆する補助演出が実行された場合に、第１絵柄を有効位置に停止させるべく停止操作手段が操作されたり、第１絵柄が有効位置に停止することを回避させるべく停止操作手段が操作されたりすると想定される。そこで、遊技状況を判断し、第１絵柄を有効位置に停止させることができる第１特定操作情報又は第１絵柄が有効位置に停止することを回避できる第２特定操作情報を設定する構成とすることにより、循環表示手段を実際の遊技に即した停止結果とすることができ、補助演出の実行に関わる不正を容易に発見することが可能となる。
【０２７８】
遊技機３．上記遊技機２において、前記操作情報設定手段は、前記第１絵柄を有効位置に停止させると、停止させない場合と比してその後の遊技でより多くの遊技媒体の払出が期待できる場合、前記第１特定操作情報を設定し、前記第１絵柄が有効位置に停止することを回避させると、停止させる場合と比してその後の遊技でより多くの遊技媒体の払出が期待できる場合、前記第２特定操作情報を設定することを特徴とする遊技機。
【０２７９】
本遊技機によれば、より多くの遊技媒体を払い出すことが期待できるように特定操作情報が設定される。遊技者は多くの遊技媒体を獲得することを期待して遊技を行うことが一般的であるため、かかる構成とすることにより、循環表示手段を実際の遊技に即した停止結果とすることができ、補助演出の実行に関わる不正を容易に発見することが可能となる。
【０２８０】
遊技機４．上記遊技機１乃至遊技機３のいずれかにおいて、少なくとも前記抽選手段及び前記表示制御手段を有し、遊技を進行制御するメイン制御装置（主制御装置１０１）と、前記補助演出決定手段を有し、前記メイン制御装置から入力される制御信号に基づいて前記補助演出を制御するサブ制御装置（表示制御装置８１）とを備えることを特徴とする遊技機。
【０２８１】
本遊技機のように、メイン制御装置から入力される制御信号に基づいてサブ制御装置が補助演出を制御する構成においては、サブ制御装置に対して不正がなされた場合にその発見が困難なものとなる。そこで、本構成に上記遊技機１乃至遊技機３のいずれかの構成を適用することにより、サブ制御装置に対して不正がなされた場合であっても容易に発見することが可能となる。
【０２８２】
遊技機５．上記遊技機４において、前記サブ制御装置に前記操作情報設定手段を設けたことを特徴とする遊技機。
【０２８３】
本遊技機によれば、特定操作情報の設定はサブ制御装置にて行われる。かかる構成とすることにより、メイン制御装置の処理負荷を増加させることなく不正対策を施すことが可能となる。
【０２８４】
遊技機６．上記遊技機１乃至遊技機５のいずれかにおいて、前記操作情報設定手段を有する制御装置（表示制御装置８１）には、前記特定操作情報を設定するための演算装置（ＣＰＵ８２）と、前記特定操作情報を遊技機外部に出力するための外部出力部材（バッファ回路ＩＣ、試験用コネクタ）を搭載可能とする出力部材搭載領域（コネクタ非搭載領域８４ａ、バッファ回路ＩＣ非搭載領域８５ａ）と、前記演算装置から前記出力部材搭載領域に前記特定操作情報を伝送可能とする伝送部材（配線パターン）と、を設け、前記出力部材搭載領域には、前記外部出力部材を非実装としたことを特徴とする遊技機。
【０２８５】
本遊技機によれば、操作情報設定手段を有する制御装置には、特定操作情報を設定するための演算装置と、特定操作情報を遊技機外部に出力するための外部出力部材を搭載可能とする出力部材搭載領域と、演算装置から出力部材搭載領域に特定操作情報を伝送可能とする伝送部材と、が設けられている。また、出力部材搭載領域には、外部出力部材が非実装とされている。出力部材搭載領域に外部出力部材を常時実装する構成とした場合、例えば遊技場等において、外部出力部材から不正信号を入力して演算装置を誤動作させる等の不正が行われる可能性がある。そこで、出力部材搭載領域に外部出力部材を非実装とすることにより、伝送部材の接続を断線させることが可能となり、前記不正を回避することが可能となる。また、制御装置に伝送部材を設けることにより、制御装置に不正がなされていないかを確認する場合に、出力部材搭載領域に外部出力部材を搭載することで前記確認を行うことが可能となる。故に、不正信号を入力して演算装置を誤動作させる等の不正を困難なものとしつつ、補助演出の実行に関わる不正を容易に発見することが可能となる。
【０２８６】
遊技機７．上記遊技機１乃至遊技機６のいずれかにおいて、前記特定操作情報は、前記停止操作手段の操作タイミングを示す情報であることを特徴とする遊技機。
【０２８７】
本遊技機によれば、特定操作情報の示す操作タイミングで停止操作手段を操作することにより、不正が行われたか否かを確認することが可能となる。
【０２８８】
遊技機８．上記遊技機１乃至遊技機７のいずれかにおいて、前記停止操作手段を複数備えた遊技機であって、前記特定操作情報は、前記停止操作手段の操作順序を示す情報であることを特徴とする遊技機。
【０２８９】
本遊技機によれば、特定操作情報の示す操作順序で停止操作手段を操作することにより、不正が行われたか否かを確認することが可能となる。
【０２９０】
遊技機９．上記遊技機１乃至遊技機８のいずれかにおいて、前記役の抽選結果が第１役（第１チェリー）当選であって第１絵柄（左リール３２Ｌの「赤チェリー」図柄）が前記有効位置に停止した場合、遊技者に有利な第１特典（４枚のメダル払出）を付与する第１特典付与手段（主制御装置１０１のメダル払出処理機能Ｓ２１１）と、前記役の抽選結果が第２役（第２チェリー）当選であって第２絵柄（左リール３２Ｌの「青チェリー」図柄）が前記有効位置に停止した場合、遊技者に有利な第２特典（４枚のメダル払出）を付与する第２特典付与手段（主制御装置１０１のメダル払出処理機能Ｓ２１１）と、を備え、前記循環表示手段には、前記第１絵柄を前記有効位置に停止させることが可能なタイミングで前記停止操作手段が操作された場合、前記第２絵柄を前記有効位置に停止させることができず、前記第２絵柄を前記有効位置に停止させることが可能なタイミングで前記停止操作手段が操作された場合、前記第１絵柄を前記有効位置に停止させることができないよう、前記第１絵柄と前記第２絵柄を離間して配置したことを特徴とする遊技機。
【０２９１】
本遊技機によれば、第１役に当選している状況で第２絵柄を有効位置に停止させることが可能なタイミングで停止操作手段が操作された場合、第１絵柄が有効位置に停止せず、第１特典が付与されない。また、第２役に当選している状況で第１絵柄を有効位置に停止させることが可能なタイミングで停止操作手段が操作された場合、第２絵柄が有効位置に停止せず、第２特典が付与されない。かかる構成においては、第１特典又は第２特典を付与される頻度が、第１役又は第２役に当選している状況で補助演出を実行すると決定する頻度に依存することとなり、補助演出の実行に関わる不正がなされた場合、特典を不正に取得される可能性が懸念される。そこで、本構成に上記遊技機１乃至遊技機８のいずれかの構成を適用することにより、前記不正がなされた場合であっても当該不正を容易に発見することが可能となる。
【０２９２】
遊技機１０．複数種の絵柄（図柄）を循環表示させる循環表示手段（リール３２Ｌ，３２Ｍ，３２Ｒ）と、
前記循環表示手段に前記絵柄の循環表示を開始させることを決定可能な開始決定手段（主制御装置１０１の開始指令判定処理機能Ｓ２０６）と、
前記開始決定手段の決定結果に基づいて役の抽選を行う抽選手段（主制御装置１０１の抽選処理機能）と、
前記絵柄の循環表示を停止させるべく操作される停止操作手段（ストップスイッチ４２〜４４）と、
前記開始決定手段の決定結果に基づいて前記絵柄の循環表示を開始させるとともに、前記停止操作手段の操作に基づいて前記絵柄の循環表示を停止させるよう前記循環表示手段を表示制御する表示制御手段（主制御装置１０１のスベリテーブル設定処理機能及びリール制御処理機能）と、
前記役の抽選結果が当選であって、当選した役と対応する当選絵柄が予め定めた有効位置（有効ライン）に停止した場合に特典（メダル払出、ＢＢ状態への移行、再遊技等）を付与する特典付与手段（主制御装置１０１のメダル払出処理機能Ｓ２１１、ＢＢ開始処理機能Ｓ６０４）と、
前記役の抽選に当選した当選役を示唆する補助演出（当選役対応演出）を実行可能な補助演出実行手段（補助表示部６５）と
を備えた遊技機において、
前記役の抽選結果が第１役（第１チェリー）当選であって第１絵柄（左リール３２Ｌの「赤チェリー」図柄）が前記有効位置に停止した場合、遊技者に有利な第１特典（４枚のメダル払出）を付与する第１特典付与手段（主制御装置１０１のメダル払出処理機能Ｓ２１１）と、
前記役の抽選結果が前記第１役当選であって前記第１絵柄が前記有効位置に停止したことに基づいて、遊技者に有利な特定遊技状態（ＲＴ状態）を終了させる特定遊技状態終了手段（主制御装置１０１のＲＴ状態終了処理機能Ｓ８０７、Ｓ８０４）と、
前記補助演出を実行するか否かを決定する補助演出決定手段（表示制御装置８１の演出判定処理機能Ｓ９０４）と、
少なくとも前記補助演出決定手段が前記補助演出を実行すると決定した場合、前記停止操作手段の操作に関わる特定操作情報を設定する操作情報設定手段（表示制御装置８１の操作位置指定処理におけるＳ１００４、Ｓ１００５）と
を備え、
前記操作情報設定手段は、前記役の抽選結果が前記第１役当選である場合、遊技状況を判断し、前記第１絵柄を前記有効位置に停止させることができる第１特定操作情報（左操作情報「３」、中操作情報「２１」、右操作情報「２１」）又は前記第１絵柄が前記有効位置に停止することを回避できる第２特定操作情報（左操作情報「１６」、中操作情報「２１」、右操作情報「２１」）を設定し、
前記表示制御手段は、前記操作情報設定手段の設定した特定操作情報に基づいて前記停止操作手段が操作された場合、遊技者に有利な停止結果となるように前記循環表示手段を表示制御することを特徴とする遊技機。
【０２９３】
本遊技機によれば、当選役を示唆する補助演出が実行される場合、停止操作手段の操作に関わる特定操作情報が設定される。そして、特定操作情報に基づいて停止操作手段を操作した場合には、遊技者に有利な停止結果となるように循環表示手段が表示制御される。かかる構成においては、補助演出の実行に関して何らかの不正が行われた場合であっても、特定操作情報に基づいて停止操作手段を操作する又は停止操作手段の操作に相当する操作を行うことにより、補助演出の実行に関わる不正を容易に発見することが可能となる。
【０２９４】
また、第１絵柄が有効位置に停止した場合、遊技者に有利な第１特典が付与される。一方、特定遊技状態下で第１絵柄が有効位置に停止した場合には、当該特定遊技状態が終了される可能性がある。かかる構成においては、第１役当選を示唆する補助演出が実行された場合に、第１絵柄を有効位置に停止させるべく停止操作手段が操作されたり、第１絵柄が有効位置に停止することを回避させるべく停止操作手段が操作されたりすると想定される。そこで、遊技状況を判断し、第１絵柄を有効位置に停止させることができる第１特定操作情報又は第１絵柄が有効位置に停止することを回避できる第２特定操作情報を設定する構成とすることにより、循環表示手段を実際の遊技に即した停止結果とすることができ、補助演出の実行に関わる不正を容易に発見することが可能となる。
【０２９５】
遊技機１１．複数種の絵柄（図柄）を循環表示させる循環表示手段（リール３２Ｌ，３２Ｍ，３２Ｒ）と、
前記循環表示手段に前記絵柄の循環表示を開始させることを決定可能な開始決定手段（主制御装置１０１の開始指令判定処理機能Ｓ２０６）と、
前記開始決定手段の決定結果に基づいて役の抽選を行う抽選手段（主制御装置１０１の抽選処理機能）と、
前記絵柄の循環表示を停止させるべく操作される停止操作手段（ストップスイッチ４２〜４４）と、
前記開始決定手段の決定結果に基づいて前記絵柄の循環表示を開始させるとともに、前記停止操作手段の操作に基づいて前記絵柄の循環表示を停止させるよう前記循環表示手段を表示制御する表示制御手段（主制御装置１０１のスベリテーブル設定処理機能及びリール制御処理機能）と、
前記役の抽選結果が当選であって、当選した役と対応する当選絵柄が予め定めた有効位置（有効ライン）に停止した場合に特典（メダル払出、ＢＢ状態への移行、再遊技等）を付与する特典付与手段（主制御装置１０１のメダル払出処理機能Ｓ２１１、ＢＢ開始処理機能Ｓ６０４）と、
前記役の抽選に当選した当選役を示唆する補助演出（当選役対応演出）を実行可能な補助演出実行手段（補助表示部６５）と
を備えた遊技機において、
前記役の抽選結果が第１役（第１チェリー）当選であって第１絵柄（左リール３２Ｌの「赤チェリー」図柄）が前記有効位置に停止した場合、遊技者に有利な第１特典（４枚のメダル払出）を付与する第１特典付与手段（主制御装置１０１のメダル払出処理機能Ｓ２１１）と、
前記役の抽選結果が前記第１役当選であって前記第１絵柄が前記有効位置に停止したことに基づいて、遊技者に有利な特定遊技状態（ＲＴ状態）を終了させる特定遊技状態終了手段（主制御装置１０１のＲＴ状態終了処理機能Ｓ８０７、Ｓ８０４）と、
前記補助演出を実行するか否かを決定する補助演出決定手段（表示制御装置８１の演出判定処理機能Ｓ９０４）と、
少なくとも前記補助演出決定手段が前記補助演出を実行すると決定した場合、前記停止操作手段の操作に関わる特定操作情報を設定する操作情報設定手段（表示制御装置８１の操作位置指定処理におけるＳ１００４、Ｓ１００５）と、
前記特定操作情報を出力する特定操作情報出力手段（表示制御装置８１）と、
前記特定操作情報が入力された場合、前記停止操作手段の操作タイミングを示唆する第２補助演出（図柄表示演出）を実行可能な第２補助演出実行手段（図柄表示装置３５０）と
を備え、
前記操作情報設定手段は、前記役の抽選結果が前記第１役当選である場合、遊技状況を判断して第１特定操作情報（左操作情報「３」、中操作情報「２１」、右操作情報「２１」）又は第２特定操作情報（左操作情報「１６」、中操作情報「２１」、右操作情報「２１」）を設定し、
前記表示制御手段は、前記第１特定操作情報に基づいて前記停止操作手段が操作された場合には前記第１絵柄を前記有効位置に停止させるとともに、前記第２特定操作情報に基づいて前記停止操作手段が操作された場合には前記第１絵柄が前記有効位置に停止することを回避させることにより、遊技者に有利な停止結果となるように前記循環表示手段を表示制御し、
前記第２補助演出実行手段は、前記第１特定操作情報が入力された場合、前記第１絵柄を前記有効位置に停止させることができる操作タイミングを示唆する第２補助演出（赤チェリー図柄の表示）を実行し、前記第２特定操作情報が入力された場合、前記第１絵柄が前記有効位置に停止することを回避できる操作タイミングを示唆する第２補助演出（青チェリー図柄の表示）を実行することを特徴とする遊技機。
【０２９６】
本遊技機によれば、第１絵柄が有効位置に停止した場合、遊技者に有利な第１特典が付与される。一方、特定遊技状態下で第１絵柄が有効位置に停止した場合には、当該特定遊技状態が終了される可能性がある。かかる構成においては、第１役当選を示唆する補助演出が実行された場合に、第１絵柄を有効位置に停止させるべく停止操作手段を操作することが遊技者に有利な停止結果とならない場合が生じ得る。このため、遊技性を知らない遊技者は、第１役当選を示唆する補助演出が実行された場合に、その演出内容を把握することが困難となる恐れがある。そこで、操作情報設定手段は、遊技状況を判断して第１特定操作情報又は第２特定操作情報を設定し、第２補助演出実行手段は、第１特定操作情報が入力された場合、第１絵柄を有効位置に停止させることができる操作タイミングを示唆する第２補助演出を実行し、第２特定操作情報が入力された場合、第１絵柄が有効位置に停止することを回避できる操作タイミングを示唆する第２補助演出を実行する構成とした。かかる構成とすることにより、第１役当選を示唆する補助演出を実行する場合に、第１絵柄を有効位置に停止させるべく停止操作手段を操作すれば良いのか、第１絵柄が有効位置に停止することを回避させるべく停止操作手段を操作すれば良いのかを、第２補助演出を通じて遊技者に示唆することが可能となる。故に、遊技者が遊技性を知らないことで不利益を被ることを回避することが可能となり、好適に補助演出を実行することが可能となる。
【０２９７】
遊技機１２．上記遊技機１１において、前記第２補助演出実行手段には、前記第２補助演出を実行させるか否かを選択すべく操作される選択操作手段（切替スイッチ）を設けたことを特徴とする遊技機。
【０２９８】
本遊技機によれば、第２補助演出実行手段には、第２補助演出を実行させるか否かを選択すべく操作される選択操作手段が設けられている。かかる構成とすることにより、例えば遊技場の管理者等や遊技者自身が、遊技者の遊技性の理解度等を考慮して第２補助演出の実行有無を選択できる。
【０２９９】
遊技機１３．上記遊技機１０乃至遊技機１２のいずれかにおいて、前記役の抽選結果が第２役（第２チェリー）当選であって第２絵柄（左リール３２Ｌの「青チェリー」図柄）が前記有効位置に停止した場合、遊技者に有利な第２特典（４枚のメダル払出）を付与する第２特典付与手段（主制御装置１０１のメダル払出処理機能Ｓ２１１）と、前記役の抽選結果が前記第２役当選であって前記第２絵柄が前記有効位置に停止したことに基づいて、前記特定遊技状態を終了させる第２特定遊技状態終了手段（主制御装置１０１のＲＴ状態終了処理機能Ｓ８０７、Ｓ８０４）を備え、前記循環表示手段には、前記第１絵柄を前記有効位置に停止させることが可能なタイミングで前記停止操作手段が操作された場合、前記第２絵柄を前記有効位置に停止させることができず、前記第２絵柄を前記有効位置に停止させることが可能なタイミングで前記停止操作手段が操作された場合、前記第１絵柄を前記有効位置に停止させることができないように、且つ、前記第１絵柄を前記有効位置に停止させることが不可能なタイミングで前記停止操作手段が操作された場合、前記第２絵柄を前記有効位置に停止させることができ、前記第２絵柄を前記有効位置に停止させることが不可能なタイミングで前記停止操作手段が操作された場合、前記第１絵柄を前記有効位置に停止させることができるように、前記第１絵柄と前記第２絵柄を離間して配置したことを特徴とする遊技機。
【０３００】
本遊技機によれば、特定遊技状態は、第１絵柄が有効位置に停止した場合に加えて第２絵柄が有効位置に停止した場合にも終了される可能性がある。また、循環表示手段には、第１絵柄を前記有効位置に停止させることが可能なタイミングで停止操作手段が操作された場合、第２絵柄を有効位置に停止させることができず、第２絵柄を有効位置に停止させることが可能なタイミングで停止操作手段が操作された場合、第１絵柄を有効位置に停止させることができないように、且つ、第１絵柄を有効位置に停止させることが不可能なタイミングで停止操作手段が操作された場合、第２絵柄を有効位置に停止させることができ、第２絵柄を有効位置に停止させることが不可能なタイミングで停止操作手段が操作された場合、第１絵柄を有効位置に停止させることができるように、第１絵柄と第２絵柄が離間して配置されている。かかる構成においては、特定遊技状態下で第１役当選を示唆する補助演出や第２役当選を示唆する補助演出が実行されなかった場合、停止操作手段の操作タイミングに関わらず特定遊技状態が終了する可能性が生じる。このため、特定遊技状態の終了時期が第１役又は第２役に当選している状況で補助演出を実行すると決定する頻度に依存することとなり、補助演出の実行に関わる不正がなされた場合、不正に特定遊技状態下での遊技が継続される可能性が懸念される。そこで、本構成に上記遊技機１０乃至遊技機１２のいずれかの構成を適用することにより、前記不正がなされた場合であっても当該不正を容易に発見することが可能となる。
【０３０１】
遊技機１４．上記遊技機１３において、前記操作情報設定手段は、前記第１特定操作情報として、前記第２絵柄を前記有効位置に停止させることが不可能であって前記第１絵柄を前記有効位置に停止させることができる情報を設定し、前記第２特定操作情報として、前記第１絵柄を前記有効位置に停止させることが不可能であって前記第２絵柄を前記有効位置に停止させることができる情報を設定することを特徴とする遊技機。
【０３０２】
本遊技機によれば、第１特定操作情報として、第２絵柄を有効位置に停止させることが不可能であって第１絵柄を有効位置に停止させることができる情報が設定され、第２特定操作情報として、第１絵柄を有効位置に停止させることが不可能であって第２絵柄を有効位置に停止させることができる情報が設定される。かかる構成とすることにより、役の抽選結果が第１役当選である場合のみならず第２役当選である場合についても、第１特定操作情報と第２特定操作情報を用いて特定操作情報を設定することが可能となる。
【０３０３】
遊技機１５．上記遊技機１０乃至遊技機１４のいずれかにおいて、前記操作情報設定手段は、前記第１絵柄を有効位置に停止させると、停止させない場合と比してその後の遊技でより多くの遊技媒体の払出が期待できる場合、前記第１特定操作情報を設定し、前記第１絵柄が有効位置に停止することを回避させると、停止させる場合と比してその後の遊技でより多くの遊技媒体の払出が期待できる場合、前記第２特定操作情報を設定することを特徴とする遊技機。
【０３０４】
本遊技機によれば、より多くの遊技媒体を払い出すことが期待できるように特定操作情報が設定される。遊技者は多くの遊技媒体を獲得することを期待して遊技を行うことが一般的であるため、かかる構成とすることにより、循環表示手段を実際の遊技に即した停止結果とすることができ、補助演出の実行に関わる不正を容易に発見することが可能となる。また、上記遊技機１１又は遊技機１２の構成に本構成を適用した場合には、第２補助演出に基づいて停止操作手段を操作することにより、遊技性の理解度に関わらずより多くの遊技媒体の払出を期待することができる。故に、遊技者が遊技性を知らないことで不利益を被ることを回避することが可能となる。
【０３０５】
遊技機１６．上記遊技機１０乃至遊技機１５のいずれかにおいて、少なくとも前記抽選手段及び前記表示制御手段を有し、遊技を進行制御するメイン制御手段（主制御装置１０１）と、前記補助演出決定手段を有し、前記メイン制御手段から入力される制御信号に基づいて前記補助演出を制御するサブ制御手段（表示制御装置８１）とを備えることを特徴とする遊技機。
【０３０６】
本遊技機のように、メイン制御手段から入力される制御信号に基づいてサブ制御手段が補助演出を制御する構成においては、サブ制御手段に対して不正がなされた場合にその発見が困難なものとなる。そこで、本構成に上記遊技機１０乃至遊技機１５のいずれかの構成を適用することにより、サブ制御手段に対して不正がなされた場合であっても容易に発見することが可能となる。
【０３０７】
遊技機１７．上記遊技機１６において、前記サブ制御手段に前記操作情報設定手段を設けたことを特徴とする遊技機。
【０３０８】
本遊技機によれば、特定操作情報の設定はサブ制御手段にて行われる。かかる構成とすることにより、メイン制御手段の処理負荷を増加させることなく不正対策を施すことが可能となる。
【０３０９】
遊技機１８．上記遊技機１０乃至遊技機１７のいずれかにおいて、前記操作情報設定手段を有する制御装置（表示制御装置８１）には、前記特定操作情報を設定するための演算装置（ＣＰＵ８２）と、前記特定操作情報を制御装置外部に出力するための外部出力部材（バッファ回路ＩＣ、試験用コネクタ）を搭載可能とする出力部材搭載領域（コネクタ非搭載領域８４ａ、バッファ回路ＩＣ非搭載領域８５ａ）と、前記演算装置から前記出力部材搭載領域に前記特定操作情報を伝送可能とする伝送部材（配線パターン）と、を設け、前記出力部材搭載領域には、前記外部出力部材を非実装としたことを特徴とする遊技機。
【０３１０】
本遊技機によれば、操作情報設定手段を有する制御装置には、特定操作情報を設定するための演算装置と、特定操作情報を制御装置外部に出力するための外部出力部材を搭載可能とする出力部材搭載領域と、演算装置から出力部材搭載領域に特定操作情報を伝送可能とする伝送部材と、が設けられている。また、出力部材搭載領域には、外部出力部材が非実装とされている。出力部材搭載領域に外部出力部材を常時実装する構成とした場合、例えば遊技場等において、外部出力部材から不正信号を入力して演算装置を誤動作させる等の不正が行われる可能性がある。そこで、出力部材搭載領域に外部出力部材を非実装とすることにより、伝送部材の接続を断線させることが可能となり、前記不正を回避することが可能となる。また、制御装置に伝送部材を設けることにより、制御装置に不正がなされていないかを確認する場合に、出力部材搭載領域に外部出力部材を搭載することで前記確認を行うことが可能となる。故に、不正信号を入力して演算装置を誤動作させる等の不正を困難なものとしつつ、補助演出の実行に関わる不正を容易に発見することが可能となる。
【０３１１】
遊技機１９．上記遊技機１０乃至遊技機１８のいずれかにおいて、前記特定操作情報は、前記停止操作手段の操作タイミングを示す情報であることを特徴とする遊技機。
【０３１２】
本遊技機によれば、特定操作情報の示す操作タイミングで停止操作手段を操作することにより、不正が行われたか否かを確認することが可能となる。
【０３１３】
遊技機システム１．複数種の絵柄（図柄）を循環表示させる循環表示手段（リール３２Ｌ，３２Ｍ，３２Ｒ）と、
前記循環表示手段に前記絵柄の循環表示を開始させると決定する開始決定手段（主制御装置１０１の開始指令判定処理機能Ｓ２０６）と、
前記開始決定手段の決定結果に基づいて役の抽選を行う抽選手段（主制御装置１０１の抽選処理機能）と、
前記絵柄の循環表示を停止させるべく操作される停止操作手段（ストップスイッチ４２〜４４）と、
前記開始決定手段の決定結果に基づいて前記絵柄の循環表示を開始させるとともに、前記停止操作手段の操作に基づいて前記絵柄の循環表示を停止させるよう前記循環表示手段を表示制御する表示制御手段（主制御装置１０１のスベリテーブル設定処理機能及びリール制御処理機能）と、
前記役の抽選結果が当選であって、当選した役と対応する当選絵柄が予め定めた有効位置（有効ライン）に停止した場合に特典（メダル払出、ＢＢ状態への移行、再遊技等）を付与する特典付与手段（主制御装置１０１のメダル払出処理機能Ｓ２１１、ＢＢ開始処理機能Ｓ６０４）と、
前記役の抽選に関わる補助演出（示唆演出）を実行可能な補助演出実行手段（補助表示部６５）と
を備えた遊技機と、
前記遊技機と電気的に接続される示唆手段（図柄表示装置３５０）と
を備え、
前記遊技機は、
前記役の抽選結果が第１役（第１チェリー）当選であって第１絵柄（左リール３２Ｌの「赤チェリー」図柄）が前記有効位置に停止した場合、遊技者に有利な第１特典（４枚のメダル払出）を付与する第１特典付与手段（主制御装置１０１のメダル払出処理機能Ｓ２１１）と、
前記役の抽選結果が前記第１役当選であって前記第１絵柄が前記有効位置に停止したことに基づいて、遊技者に有利な特定遊技状態（ＲＴ状態）を終了させる特定遊技状態終了手段（主制御装置１０１のＲＴ状態終了処理機能Ｓ８０７、Ｓ８０４）と、
前記補助演出を実行するか否かを決定する補助演出決定手段（表示制御装置８１の演出判定処理機能Ｓ９０４）と、
少なくとも前記補助演出決定手段が前記補助演出を実行すると決定した場合、前記停止操作手段の操作に関わる特定操作情報を設定するとともに、前記役の抽選結果が前記第１役当選である場合、遊技状況を判断して第１特定操作情報（左操作情報「３」、中操作情報「２１」、右操作情報「２１」）又は第２特定操作情報（左操作情報「１６」、中操作情報「２１」、右操作情報「２１」）を設定する操作情報設定手段（表示制御装置８１の操作位置指定処理におけるＳ１００４、Ｓ１００５）と、
前記特定操作情報を前記示唆手段に出力する特定操作情報出力手段（表示制御装置８１）と
を備え、前記表示制御手段は、前記第１特定操作情報に基づいて前記停止操作手段が操作された場合には前記第１絵柄を前記有効位置に停止させるとともに、前記第２特定操作情報に基づいて前記停止操作手段が操作された場合には前記第１絵柄が前記有効位置に停止することを回避させることにより、遊技者に有利な停止結果となるように前記循環表示手段を表示制御し、
前記示唆手段は、
前記特定操作情報が入力された場合、前記停止操作手段の操作タイミングを示唆する第２補助演出（図柄表示演出）を実行可能な第２補助演出実行手段（図柄表示装置３５０）を備え、前記第２補助演出実行手段は、前記第１特定操作情報が入力された場合、前記第１絵柄を前記有効位置に停止させることができる操作タイミングを示唆する第２補助演出（赤チェリー図柄の表示）を実行し、前記第２特定操作情報が入力された場合、前記第１絵柄が前記有効位置に停止することを回避できる操作タイミングを示唆する第２補助演出（青チェリー図柄の表示）を実行することを特徴とする遊技機システム。
【０３１４】
本遊技機システムによれば、第１絵柄が有効位置に停止した場合、遊技者に有利な第１特典が付与される。一方、特定遊技状態下で第１絵柄が有効位置に停止した場合には、当該特定遊技状態が終了される可能性がある。かかる構成においては、第１役当選を示唆する補助演出が実行された場合に、第１絵柄を有効位置に停止させるべく停止操作手段を操作することが遊技者に有利な停止結果とならない場合が生じ得る。このため、遊技性を知らない遊技者は、第１役当選を示唆する補助演出が実行された場合に、その演出内容を把握することが困難となる恐れがある。そこで、操作情報設定手段は、遊技状況を判断して第１特定操作情報又は第２特定操作情報を設定し、第２補助演出実行手段は、第１特定操作情報が入力された場合、第１絵柄を有効位置に停止させることができる操作タイミングを示唆する第２補助演出を実行し、第２特定操作情報が入力された場合、第１絵柄が有効位置に停止することを回避できる操作タイミングを示唆する第２補助演出を実行する構成とした。かかる構成とすることにより、第１役当選を示唆する補助演出を実行する場合に、第１絵柄を有効位置に停止させるべく停止操作手段を操作すれば良いのか、第１絵柄が有効位置に停止することを回避させるべく停止操作手段を操作すれば良いのかを、第２補助演出を通じて遊技者に示唆することが可能となる。故に、遊技者が遊技性を知らないことで不利益を被ることを回避することが可能となり、好適に補助演出を実行することが可能となる。
【符号の説明】
【０３１５】
１０…遊技機としてのスロットマシン、３２…循環表示手段を構成すると共に周回体としてのリール、３３…示唆手段を構成する発光ユニット、４１…開始操作手段又は始動操作手段としてのスタートレバー、４２〜４４…停止操作手段としてのストップスイッチ、５６…開始操作手段又は入力操作手段としての第１クレジット投入スイッチ、５７…開始操作手段又は入力操作手段としての第２クレジット投入スイッチ、５８…開始操作手段又は入力操作手段としての第３クレジット投入スイッチ、６３…補助演出実行手段を構成する上部ランプ、６４…スピーカ、６５…第２示唆手段を構成する補助表示部、８１…示唆手段や示唆決定手段等を構成する表示制御装置、８２…ＣＰＵ、８４ａ…コネクタ非搭載領域、８５ａ…バッファ回路ＩＣ非搭載領域、１０１…メイン制御基板としての主制御装置、１０２…抽選手段やメイン制御手段等の各種制御手段を構成するＣＰＵ、２０１…第１中継端子基板、２０２…第２中継端子基板、３０１…性能試験機、３０２…ＣＰＵ、３０３…ＲＯＭ、３０４…ＲＡＭ、３０４ａ…当選役記憶エリア、３０４ｂ…左操作情報記憶エリア、３０４ｃ…中操作情報記憶エリア、３０４ｄ…右操作情報記憶エリア、３０４ｅ…指定リール記憶エリア、３１１…データ表示部、３５０…図柄表示装置、３５１…第２補助表示部、３５２…図柄表示制御装置、４００…停止操作確認装置、４０１…集計装置、４０２…データ表示部。
【図１】
2020018913.tif 000003
【図２】
2020018913.tif 000004
【図３】
2020018913.tif 000005
【図４】
2020018913.tif 000006
【図５】
2020018913.tif 000007
【図６】
2020018913.tif 000008
【図７】
2020018913.tif 000009
【図８】
2020018913.tif 000010
【図９】
2020018913.tif 000011
【図１０】
2020018913.tif 000012
【図１１】
2020018913.tif 000013
【図１２】
2020018913.tif 000014
【図１３】
2020018913.tif 000015
【図１４】
2020018913.tif 000016
【図１５】
2020018913.tif 000017
【図１６】
2020018913.tif 000018
【図１７】
2020018913.tif 000019
【図１８】
2020018913.tif 000020
【図１９】
2020018913.tif 000021
【図２０】
2020018913.tif 000022
【図２１】
2020018913.tif 000023
【図２２】
2020018913.tif 000024
【図２３】
2020018913.tif 000025
【図２４】
2020018913.tif 000026
【図２５】
2020018913.tif 000027
【図２６】
2020018913.tif 000028
【図２７】
2020018913.tif 000029
【図２８】
2020018913.tif 000030
【図２９】
2020018913.tif 000031
【図３０】
2020018913.tif 000032
【図３１】
2020018913.tif 000033
【図３２】
2020018913.tif 000034
【図３３】
2020018913.tif 000035
【図３４】
2020018913.tif 000036
【図３５】
2020018913.tif 000037
【図３６】
2020018913.tif 000038
【図３７】
2020018913.tif 000039
【図３８】
2020018913.tif 000040
【図３９】
2020018913.tif 000041
【図４０】
2020018913.tif 000042